(57)【要約】  アクティブＢＷＰの周波数範囲がターゲットＢＷＰの周波数範囲と異なるとき、ＢＷＰ切り替えイベントの後に、帯域幅部分（ＢＷＰ）の通信リソースをスケジューリングするための技法をここで説明する。ユーザ機器（ＵＥ）は、アクティブＢＷＰに基づいて、ＢＷＰ切り替えイベントをトリガするスケジューリングダウンリンク制御情報（ＤＣＩ）中のリソース割り振りフィールドを解釈してもよい。ＵＥおよび基地局は、ＢＷＰ切り替えイベントの後、最初の送信機会において、アクティブＢＷＰのリソースの少なくとも一部分を使用して、通信するように構成されていてもよい。ターゲットＢＷＰに対するスケジューリングＤＣＩがＵＥにより受信される後続の送信機会において、ＵＥは、新しいＤＣＩのリソース割り振りフィールドをターゲットＢＷＰに基づいているものとして解釈してもよい。【選択図】図５
2021518060.tif 000002
【特許請求の範囲】
【請求項１】
ユーザ機器（ＵＥ）におけるワイヤレス通信のための方法において、
前記ＵＥに通信リソースを割り振り、帯域幅部分（ＢＷＰ）識別子フィールドとリソース割り振りフィールドとを含む、ダウンリンク制御情報（ＤＣＩ）を受信することと、
前記ＢＷＰ識別子フィールド中に含まれている情報に少なくとも部分的に基づいて、前記ＵＥにアクティブＢＷＰからターゲットＢＷＰに変更させるＢＷＰ切り替えイベントを識別することと、
前記ＢＷＰ切り替えイベントを識別することに少なくとも部分的に基づいて、前記アクティブＢＷＰ中の物理リソースブロック（ＰＲＢ）割り振りに関係する、前記ターゲットＢＷＰの通信リソースを識別することと、
前記ターゲットＢＷＰの識別された通信リソースを使用して、基地局と通信することとを含み、
前記リソース割り振りフィールドは、前記ＵＥにより使用されている前記アクティブＢＷＰのサイズに少なくとも部分的に基づいている長さを有している方法。
【請求項２】
前記アクティブＢＷＰ中のＰＲＢ割り振りの基準位置を識別することをさらに含み、
前記ＰＲＢ割り振りに関係する、前記ターゲットＢＷＰの通信リソースを識別することは、前記基準位置を識別することに少なくとも部分的に基づいている請求項１記載の方法。
【請求項３】
前記基準位置は、前記アクティブＢＷＰの最低周波数リソースである請求項２記載の方法。
【請求項４】
前記ＢＷＰ切り替えイベントを識別することに少なくとも部分的に基づいて、前記アクティブＢＷＰのリソースを前記ターゲットＢＷＰのリソースにマッピングすることをさらに含み、
前記ＰＲＢ割り振りに関係する、前記ターゲットＢＷＰの通信リソースを識別することは、前記リソースをマッピングすることに少なくとも部分的に基づいている請求項１記載の方法。
【請求項５】
前記基地局から受信されたＤＣＩに少なくとも部分的に基づいて、前記ＢＷＰ切り替えイベント間に、前記アクティブＢＷＰのリソースが、前記ターゲットＢＷＰのリソースにどのようにマッピングされるかを示すマッピングオプションを決定することをさらに含み、
前記リソースをマッピングすることは、前記マッピングオプションを決定することに少なくとも部分的に基づいている請求項４記載の方法。
【請求項６】
前記ＤＣＩは、前記マッピングオプションを示すマッピングフィールドを含んでいる請求項５記載の方法。
【請求項７】
前記ターゲットＢＷＰの周波数ドメインリソース割り振りフィールドが、前記アクティブＢＷＰの周波数ドメインリソース割り振りフィールドよりも大きいかまたは小さいか否かを決定することをさらに含み、
前記ＰＲＢ割り振りに関係する、前記ターゲットＢＷＰの通信リソースを識別することは、前記ターゲットＢＷＰの周波数ドメインリソース割り振りフィールドが、前記アクティブＢＷＰの周波数ドメインリソース割り振りフィールドよりも大きいかまたは小さいか否かを決定することに少なくとも部分的に基づいている請求項１記載の方法。
【請求項８】
前記ターゲットＢＷＰの周波数ドメインリソース割り振りフィールドが、前記アクティブＢＷＰの周波数ドメインリソース割り振りフィールドよりも小さいことを決定することに少なくとも部分的に基づいて、前記ＤＣＩの最下位ビットに少なくとも部分的に基づいている情報を識別することをさらに含む請求項７記載の方法。
【請求項９】
前記ターゲットＢＷＰの周波数ドメインリソース割り振りフィールドが、前記アクティブＢＷＰの周波数ドメインリソース割り振りフィールドよりも大きいことを決定することに少なくとも部分的に基づいて、０パディングで、前記アクティブＢＷＰの周波数ドメインリソース割り振りフィールドを埋めることをさらに含む請求項７記載の方法。
【請求項１０】
前記ＤＣＩのＢＷＰ識別子フィールドが、前記ＵＥにより通信するのに使用されている前記アクティブＢＷＰとは異なるＢＷＰを識別することを決定することをさらに含み、
前記ＢＷＰ切り替えイベントを識別することは、前記ＤＣＩのＢＷＰ識別子フィールドが、前記アクティブＢＷＰとは異なるＢＷＰを識別することを決定することに少なくとも部分的に基づいている請求項１記載の方法。
【請求項１１】
前記アクティブＢＷＰに対するリソース割り振りフィールドの長さは、前記ターゲットＢＷＰに対する第２のリソース割り振りフィールドの第２の長さより短い請求項１記載の方法。
【請求項１２】
前記アクティブＢＷＰに対するリソース割り振りフィールドの長さは、前記搬送波のターゲットＢＷＰ中で利用可能な通信リソースのすべてを割り振るには不十分である請求項１記載の方法。
【請求項１３】
前記ターゲットＢＷＰの通信リソースの一部分を使用して、前記基地局と通信することに少なくとも部分的に基づいて、前記ターゲットＢＷＰを使用して、前記ＵＥに対するリソースを割り振る第２のＤＣＩを受信することと、
前記第２のＤＣＩのリソース割り振りフィールド中に含まれている、前記ターゲットＢＷＰのすべての通信リソースを使用して、前記基地局と通信することをさらに含み、
前記第２のＤＣＩは、前記ＵＥにより使用されている前記ターゲットＢＷＰのサイズに少なくとも部分的に基づいている第２の長さを有する第２のリソース割り振りフィールドを含み、
前記第２の長さは、前記ＤＣＩ中のリソース割り振りフィールドの長さよりも長い請求項１記載の方法。
【請求項１４】
前記ＤＣＩは、非フォールバックＤＣＩである請求項１記載の方法。
【請求項１５】
基地局におけるワイヤレス通信のための方法において、
ユーザ機器（ＵＥ）と通信するのに使用されているアクティブ帯域幅部分（ＢＷＰ）とは異なる、前記ＵＥと通信するのに使用されるべきターゲットＢＷＰを識別することと、
ＢＷＰ切り替えイベントを識別することに少なくとも部分的に基づいて、前記アクティブＢＷＰ中の物理リソースブロック（ＰＲＢ）割り振りに関係する、前記ターゲットＢＷＰの通信リソースを識別することと、
前記ＵＥに通信リソースを割り振り、ＢＷＰ識別子フィールドとリソース割り振りフィールドとを含む、ダウンリンク制御情報（ＤＣＩ）を発生させることと、
前記ＤＣＩを前記ＵＥに送信することと、
前記リソース割り振りフィールド中に含まれている、前記ターゲットＢＷＰの通信リソースの一部分を使用して、前記ＵＥと通信することとを含み、
前記リソース割り振りフィールドは、前記ＵＥにより使用されるべき前記ターゲットＢＷＰの通信リソースを示し、
前記リソース割り振りフィールドは、前記ＵＥにより使用されている前記アクティブＢＷＰのサイズに少なくとも部分的に基づいている長さを有している方法。
【請求項１６】
前記アクティブＢＷＰ中のＰＲＢ割り振りの基準位置を識別することをさらに含み、
前記ＰＲＢ割り振りに関係する、前記ターゲットＢＷＰの通信リソースを識別することは、前記基準位置を識別することに少なくとも部分的に基づいている請求項１５記載の方法。
【請求項１７】
前記基準位置は、前記アクティブＢＷＰの最低周波数である請求項１６記載の方法。
【請求項１８】
前記ＢＷＰ切り替えイベントを識別することに少なくとも部分的に基づいて、前記アクティブＢＷＰのリソースを前記ターゲットＢＷＰのリソースにマッピングすることをさらに含み、
前記ＰＲＢ割り振りに関係する、前記ターゲットＢＷＰの通信リソースを識別することは、前記リソースをマッピングすることに少なくとも部分的に基づいている請求項１５記載の方法。
【請求項１９】
前記基地局から受信されたＤＣＩに少なくとも部分的に基づいて、前記ＢＷＰ切り替えイベント間に、前記アクティブＢＷＰのリソースが、前記ターゲットＢＷＰのリソースにどのようにマッピングされるかを示すマッピングオプションを決定することをさらに含み、
前記リソースをマッピングすることは、前記マッピングオプションを決定することに少なくとも部分的に基づいている請求項１８記載の方法。
【請求項２０】
前記ＤＣＩは、前記マッピングオプションを示すマッピングフィールドを含んでいる請求項１９記載の方法。
【請求項２１】
前記ターゲットＢＷＰの周波数ドメインリソース割り振りフィールドが、前記アクティブＢＷＰの周波数ドメインリソース割り振りフィールドよりも大きいかまたは小さいか否かを決定するように、前記ＵＥを構成することをさらに含み、
前記ＰＲＢ割り振りに関係する、前記ターゲットＢＷＰの通信リソースを識別することは、前記ターゲットＢＷＰの周波数ドメインリソース割り振りフィールドが、前記アクティブＢＷＰの周波数ドメインリソース割り振りフィールドよりも大きいかまたは小さいか否かを決定することに少なくとも部分的に基づいている請求項１５記載の方法。
【請求項２２】
前記ターゲットＢＷＰの周波数ドメインリソース割り振りフィールドが、前記アクティブＢＷＰの周波数ドメインリソース割り振りフィールドよりも小さいことを決定することに少なくとも部分的に基づいて、前記ＤＣＩの最下位ビットに少なくとも部分的に基づいている情報を識別するように、前記ＵＥを構成することをさらに含む請求項２１記載の方法。
【請求項２３】
前記ターゲットＢＷＰの周波数ドメインリソース割り振りフィールドが、前記アクティブＢＷＰの周波数ドメインリソース割り振りフィールドよりも大きいことを決定することに少なくとも部分的に基づいて、０パディングで、前記アクティブＢＷＰの周波数ドメインリソース割り振りフィールドを埋めるように、前記ＵＥを構成することをさらに含む請求項２１記載の方法。
【請求項２４】
前記アクティブＢＷＰに対するリソース割り振りフィールドの長さは、前記ターゲットＢＷＰに対する第２のリソース割り振りフィールドの第２の長さより短い請求項１５記載の方法。
【請求項２５】
前記ＤＣＩは、非フォールバックＤＣＩである請求項１５記載の方法。
【請求項２６】
ユーザ機器（ＵＥ）におけるワイヤレス通信のための方法において、
搬送波のアクティブ帯域幅部分（ＢＷＰ）に対する、非フォールバックダウンリンク制御情報（ＤＣＩ）とフォールバックＤＣＩとを監視することと、
前記ＵＥの搬送波のアクティブＢＷＰが、基地局と非同期であることを決定することと、
前記ＵＥの搬送波のアクティブＢＷＰが、前記基地局と非同期であることを決定することに少なくとも部分的に基づいて、前記フォールバックＤＣＩ中に示される通信リソースを識別することと、
前記フォールバックＤＣＩ中に示される通信リソースを使用して、前記基地局と通信することとを含み、
前記フォールバックＤＣＩの長さは、前記搬送波のアクティブＢＷＰとは異なる基準ＢＷＰのサイズに少なくとも部分的に基づいている方法。
【請求項２７】
前記非フォールバックＤＣＩが、正常にデコードされるのに失敗したことを決定することをさらに含み、
前記ＵＥの搬送波のアクティブＢＷＰが、前記基地局と非同期であることを決定することは、前記非フォールバックＤＣＩが、正常にデコードされるのに失敗したことを決定することに少なくとも部分的に基づいている請求項２６記載の方法。
【請求項２８】
前記搬送波のアクティブＢＷＰの制御サーチ空間（ＣＳＳ）が、前記基準ＢＷＰのＣＳＳと同一であることを識別することをさらに含み、
前記フォールバックＤＣＩ中に示される通信リソースを識別することは、前記搬送波のアクティブＢＷＰのＣＳＳが、前記基準ＢＷＰのＣＳＳと同一であることを識別することに少なくとも部分的に基づいている請求項２６記載の方法。
【請求項２９】
前記基準ＢＷＰの第１の周波数範囲が、前記搬送波のアクティブＢＷＰの第２の周波数範囲のサブセットであることを決定することをさらに含み、
前記フォールバックＤＣＩ中に示される通信リソースを識別することは、前記基準ＢＷＰの第１の周波数範囲が、前記搬送波のアクティブＢＷＰの第２の周波数範囲のサブセットであることを決定することに少なくとも部分的に基づいている請求項２６記載の方法。
【請求項３０】
前記フォールバックＤＣＩの長さは、前記搬送波のアクティブＢＷＰのサイズとは無関係である請求項２６記載の方法。
【請求項３１】
基地局におけるワイヤレス通信のための方法において、
搬送波のアクティブ帯域幅部分（ＢＷＰ）に対する非フォールバックダウンリンク制御情報（ＤＣＩ）を発生させることと、
基準ＢＷＰに対するフォールバックＤＣＩを発生させることと、
前記非フォールバックＤＣＩと前記フォールバックＤＣＩとをユーザ機器（ＵＥ）に送信することと、
前記フォールバックＤＣＩ中に示される通信リソースを使用して、前記ＵＥと通信することとを含み、
前記非フォールバックＤＣＩの長さは、前記搬送波のアクティブＢＷＰのサイズに少なくとも部分的に基づいており、
前記フォールバックＤＣＩの長さは、前記搬送波のアクティブＢＷＰとは異なる基準ＢＷＰのサイズに少なくとも部分的に基づいている方法。
【請求項３２】
前記フォールバックＤＣＩ中に示される通信リソースを使用して、前記ＵＥと通信することに少なくとも部分的に基づいて、前記非フォールバックＤＣＩが、前記ＵＥにより正常にデコードされることに失敗したことを決定することとをさらに含む請求項３１記載の方法。
【請求項３３】
前記搬送波のアクティブＢＷＰの制御サーチ空間（ＣＳＳ）が、前記基準ＢＷＰのＣＳＳと同一であることを識別することをさらに含み、
前記フォールバックＤＣＩを発生させることは、前記搬送波のアクティブＢＷＰのＣＳＳが、前記基準ＢＷＰのＣＳＳと同一であることを識別することに少なくとも部分的に基づいている請求項３１記載の方法。
【請求項３４】
前記基準ＢＷＰの第１の周波数範囲が、前記搬送波のアクティブＢＷＰの第２の周波数範囲のサブセットであることを決定することをさらに含み、
前記フォールバックＤＣＩを発生させることは、前記基準ＢＷＰの第１の周波数範囲が、前記搬送波のアクティブＢＷＰの第２の周波数範囲のサブセットであることを決定することに少なくとも部分的に基づいている請求項３１記載の方法。
【請求項３５】
前記フォールバックＤＣＩの長さは、前記搬送波のアクティブＢＷＰのサイズとは無関係である請求項３１記載の方法。
【請求項３６】
ユーザ機器（ＵＥ）におけるワイヤレス通信のための装置において、
前記ＵＥに通信リソースを割り振り、帯域幅部分（ＢＷＰ）識別子フィールドとリソース割り振りフィールドとを含む、ダウンリンク制御情報（ＤＣＩ）を受信する手段と、
前記ＢＷＰ識別子フィールド中に含まれている情報に少なくとも部分的に基づいて、前記ＵＥにアクティブＢＷＰからターゲットＢＷＰに変更させるＢＷＰ切り替えイベントを識別する手段と、
前記ＢＷＰ切り替えイベントを識別することに少なくとも部分的に基づいて、前記アクティブＢＷＰ中の物理リソースブロック（ＰＲＢ）割り振りに関係する、前記ターゲットＢＷＰの通信リソースを識別する手段と、
前記ターゲットＢＷＰの識別された通信リソースを使用して、基地局と通信する手段とを具備し、
前記リソース割り振りフィールドは、前記ＵＥにより使用されている前記アクティブＢＷＰのサイズに少なくとも部分的に基づいている長さを有している装置。
【請求項３７】
基地局におけるワイヤレス通信のための装置において、
ユーザ機器（ＵＥ）と通信するのに使用されているアクティブ帯域幅部分（ＢＷＰ）とは異なる、前記ＵＥと通信するのに使用されるべきターゲットＢＷＰを識別する手段と、
ＢＷＰ切り替えイベントを識別することに少なくとも部分的に基づいて、前記アクティブＢＷＰ中の物理リソースブロック（ＰＲＢ）割り振りに関係する、前記ターゲットＢＷＰの通信リソースを識別する手段と、
前記ＵＥに通信リソースを割り振り、ＢＷＰ識別子フィールドとリソース割り振りフィールドとを含む、ダウンリンク制御情報（ＤＣＩ）を発生させる手段と、
前記ＤＣＩを前記ＵＥに送信する手段と、
前記リソース割り振りフィールド中に含まれている、搬送波の前記ターゲットＢＷＰの通信リソースの一部分を使用して、前記ＵＥと通信する手段とを具備し、
前記リソース割り振りフィールドは、前記ＵＥにより使用されるべき前記ターゲットＢＷＰの通信リソースを示し、
前記リソース割り振りフィールドは、前記ＵＥにより使用されている前記アクティブＢＷＰのサイズに少なくとも部分的に基づいている長さを有している装置。
【請求項３８】
ユーザ機器（ＵＥ）におけるワイヤレス通信のための装置において、
搬送波のアクティブ帯域幅部分（ＢＷＰ）に対する、非フォールバックダウンリンク制御情報（ＤＣＩ）とフォールバックＤＣＩとを監視する手段と、
前記ＵＥの搬送波のアクティブＢＷＰが、基地局と非同期であることを決定する手段と、
前記ＵＥの搬送波のアクティブＢＷＰが、前記基地局と非同期であることを決定することに少なくとも部分的に基づいて、前記フォールバックＤＣＩ中に示される通信リソースを識別する手段と、
前記フォールバックＤＣＩ中に示される通信リソースを使用して、前記基地局と通信する手段とを具備し、
前記フォールバックＤＣＩの長さは、前記搬送波のアクティブＢＷＰとは異なる基準ＢＷＰのサイズに少なくとも部分的に基づいている装置。
【請求項３９】
基地局におけるワイヤレス通信のための装置において、
搬送波のアクティブ帯域幅部分（ＢＷＰ）に対する非フォールバックダウンリンク制御情報（ＤＣＩ）を発生させる手段と、
基準ＢＷＰに対するフォールバックＤＣＩを発生させる手段と、
前記非フォールバックＤＣＩと前記フォールバックＤＣＩとをユーザ機器（ＵＥ）に送信する手段と、
前記フォールバックＤＣＩ中に示される通信リソースを使用して、前記ＵＥと通信する手段とを具備し、
前記非フォールバックＤＣＩの長さは、前記搬送波のアクティブＢＷＰのサイズに少なくとも部分的に基づいており、
前記フォールバックＤＣＩの長さは、前記搬送波のアクティブＢＷＰとは異なる基準ＢＷＰのサイズに少なくとも部分的に基づいている装置。
【発明の詳細な説明】
【相互参照】
【０００１】
［０００１］
本特許出願は、２０１９年１月３日に出願され、「帯域幅部分に対するシグナリング技法」と題する、Ａｎｇ氏らによる米国特許出願第１６／２３９，４１２号、２０１８年１月１２日に出願され、「帯域幅部分に対するシグナリング技法」と題する、Ａｎｇ氏らによる米国仮特許出願第６２／６１７，１６８号、２０１８年４月５日に出願され、「帯域幅部分に対するシグナリング技法」と題する、Ａｎｇ氏らによる米国仮特許出願第６２／６５３，４９２号、２０１８年４月１３日に出願され、「帯域幅部分に対するシグナリング技法」と題する、Ａｎｇ氏らによる米国仮特許出願第６２／６５７，５５７号に対する優先権を主張し、このそれぞれは、本明細書の譲受人に譲渡され、参照により全体が本明細書に明示的に組み込まれている。
【序論】
【０００２】
［０００２］
以下は、一般的に、ワイヤレス通信に関し、より具体的には、帯域幅部分に対するシグナリング技法に関する。
【０００３】
［０００３］
ワイヤレス通信システムは、音声、ビデオ、パケットデータ、メッセージング、ブロードキャストなど、さまざまなタイプの通信コンテンツを提供するために広く配備されている。これらのシステムは、利用可能なシステムリソース（例えば、時間、周波数、および、電力）を共有することにより、複数のユーザとの通信をサポートすることが可能であるかもしれない。このような多元接続システムの例は、ロングタームエボリューション（ＬＴＥ（登録商標））システム、ＬＴＥアドバンスト（ＬＴＥ−Ａ）システム、または、ＬＴＥ−Ａプロシステムのような第４世代（４Ｇ）システムと、新しい無線（ＮＲ）システムとして呼ばれることがある第５世代（５Ｇ）システムとを含んでいる。これらのシステムは、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、または、離散フーリエ変換−拡散ＯＦＤＭ（ＤＦＴ−Ｓ−ＯＦＤＭ）のような、技術を用いてもよい。ワイヤレス多元接続通信システムは、多数の基地局またはネットワークアクセスノードを含んでいてもよく、各基地局またはネットワークアクセスノードは、複数の通信デバイスのための通信を同時にサポートし、複数の通信デバイスは、さもなければ、ユーザ機器（ＵＥ）として知られているかもしれない。
【０００４】
［０００４］
いくつかのワイヤレス通信システムでは、ダウンリンク制御情報（ＤＣＩ）のサイズは、関係する帯域幅部分（ＢＷＰ）のサイズに基づいているかもしれない。ＤＣＩの変化するサイズに基づいて、異なるシグナリング技法を使用してもよい。
【概要】
【０００５】
［０００５］
説明する技法は、帯域幅部分に対するシグナリング技法をサポートする、改善された方法、システム、デバイス、または、装置に関する。一般的に、説明する技法は、アクティブＢＷＰの周波数範囲がターゲットＢＷＰの周波数範囲と異なるとき、ＢＷＰ切り替えイベントの後に、ＢＷＰの通信リソース（例えば、リソースブロック）をスケジューリングすることを提供する。ＵＥは、アクティブＢＷＰに基づいて、ＢＷＰ切り替えイベントをトリガするスケジューリングＤＣＩ中のリソース割り振りフィールド（例えば、周波数ドメインリソース割り振りフィールドなど）を解釈するかもしれない。このようなケースでは、ＵＥおよび基地局は、ＢＷＰ切り替えイベントの後、最初の送信機会（例えば、最初のスロット）において、アクティブＢＷＰのリソース（例えば、リソースブロック）の少なくとも一部分を使用して、通信するように構成されているかもしれない。ターゲットＢＷＰに対するスケジューリングＤＣＩがＵＥにより受信される後続の送信機会では、ＵＥは、正常に挙動するように構成されているかもしれない。
【０００６】
［０００６］
加えて、説明する技法は、ＵＥが非フォールバックＤＣＩを正常にデコードすることができないときに、基準ＢＷＰに関係するフォールバックＤＣＩを使用して、基地局とのリンクを維持または復元することを提供する。基地局は、アクティブＢＷＰに関係する非フォールバックＤＣＩと、基準ＢＷＰに関係するフォールバックＤＣＩとを発生させるように構成されていてもよい。基地局は、非フォールバックＤＣＩとフォールバックＤＣＩとをＵＥに送信してもよい。基地局と通信している間、ＵＥは、非フォールバックＤＣＩとフォールバックＤＣＩの両方を監視してもよい。
【０００７】
［０００７］
ユーザ機器（ＵＥ）におけるワイヤレス通信の方法を説明する。方法は、ＵＥに通信リソースを割り振り、搬送波の帯域幅部分（ＢＷＰ）識別子フィールドとリソース割り振りフィールドとを含む、ダウンリンク制御情報（ＤＣＩ）を受信することと、ＢＷＰ識別子フィールド中に含まれている情報に少なくとも部分的に基づいて、ＵＥに搬送波のアクティブＢＷＰからターゲットＢＷＰに変更させるＢＷＰ切り替えイベントを識別することと、リソース割り振りフィールド中の情報に少なくとも部分的に基づいて、搬送波のアクティブＢＷＰとターゲットＢＷＰの両方に共通の通信リソースを識別することと、リソース割り振りフィールド中に含まれている、搬送波のターゲットＢＷＰの通信リソースの一部分を使用して、基地局と通信することとを含んでいてもよく、リソース割り振りフィールドは、ＵＥにより使用されている搬送波のアクティブＢＷＰのサイズに少なくとも部分的に基づいている長さを有し、通信リソースの一部分は、搬送波のアクティブＢＷＰとターゲットＢＷＰの両方に共通の通信リソースを含んでいる。
【０００８】
［０００８］
ユーザ機器（ＵＥ）におけるワイヤレス通信のための装置を説明する。装置は、ＵＥに通信リソースを割り振り、搬送波の帯域幅部分（ＢＷＰ）識別子フィールドとリソース割り振りフィールドとを含む、ダウンリンク制御情報（ＤＣＩ）を受信する手段と、ＢＷＰ識別子フィールド中に含まれている情報に少なくとも部分的に基づいて、ＵＥに搬送波のアクティブＢＷＰからターゲットＢＷＰに変更させるＢＷＰ切り替えイベントを識別する手段と、リソース割り振りフィールド中の情報に少なくとも部分的に基づいて、搬送波のアクティブＢＷＰとターゲットＢＷＰの両方に共通の通信リソースを識別する手段と、リソース割り振りフィールド中に含まれている、搬送波のターゲットＢＷＰの通信リソースの一部分を使用して、基地局と通信する手段とを具備していてもよく、リソース割り振りフィールドは、ＵＥにより使用されている搬送波のアクティブＢＷＰのサイズに少なくとも部分的に基づいている長さを有し、通信リソースの一部分は、搬送波のアクティブＢＷＰとターゲットＢＷＰの両方に共通の通信リソースを含んでいる。
【０００９】
［０００９］
ユーザ機器（ＵＥ）におけるワイヤレス通信のための別の装置を説明する。装置は、プロセッサと、プロセッサと電子通信するメモリと、メモリ中に記憶されている命令とを含んでいてもよい。命令は、プロセッサに、ＵＥに通信リソースを割り振り、搬送波の帯域幅部分（ＢＷＰ）識別子フィールドとリソース割り振りフィールドとを含む、ダウンリンク制御情報（ＤＣＩ）を受信させ、ＢＷＰ識別子フィールド中に含まれている情報に少なくとも部分的に基づいて、ＵＥに搬送波のアクティブＢＷＰからターゲットＢＷＰに変更させるＢＷＰ切り替えイベントを識別させ、リソース割り振りフィールド中の情報に少なくとも部分的に基づいて、搬送波のアクティブＢＷＰとターゲットＢＷＰの両方に共通の通信リソースを識別させ、リソース割り振りフィールド中に含まれている、搬送波のターゲットＢＷＰの通信リソースの一部分を使用させて、基地局と通信させるように動作可能であってもよく、リソース割り振りフィールドは、ＵＥにより使用されている搬送波のアクティブＢＷＰのサイズに少なくとも部分的に基づいている長さを有し、通信リソースの一部分は、搬送波のアクティブＢＷＰとターゲットＢＷＰの両方に共通の通信リソースを含んでいる。
【００１０】
［００１０］
ユーザ機器（ＵＥ）におけるワイヤレス通信のための非一時的コンピュータ読取可能媒体を説明する。非一時的コンピュータ読取可能媒体は、プロセッサに、ＵＥに通信リソースを割り振り、搬送波の帯域幅部分（ＢＷＰ）識別子フィールドとリソース割り振りフィールドとを含む、ダウンリンク制御情報（ＤＣＩ）を受信させ、ＢＷＰ識別子フィールド中に含まれている情報に少なくとも部分的に基づいて、ＵＥに搬送波のアクティブＢＷＰからターゲットＢＷＰに変更させるＢＷＰ切り替えイベントを識別させ、リソース割り振りフィールド中の情報に少なくとも部分的に基づいて、搬送波のアクティブＢＷＰとターゲットＢＷＰの両方に共通の通信リソースを識別させ、リソース割り振りフィールド中に含まれている、搬送波のターゲットＢＷＰの通信リソースの一部分を使用させて、基地局と通信させるように動作可能な命令を含んでいてもよく、リソース割り振りフィールドは、ＵＥにより使用されている搬送波のアクティブＢＷＰのサイズに少なくとも部分的に基づいている長さを有し、通信リソースの一部分は、搬送波のアクティブＢＷＰとターゲットＢＷＰの両方に共通の通信リソースを含んでいる。
【００１１】
［００１１］
上記で説明した方法、装置、および、非一時的コンピュータ読取可能媒体のいくつかの例は、ＤＣＩのＢＷＰ識別子フィールドが、通信するためにＵＥにより使用されている搬送波のアクティブＢＷＰとは異なるＢＷＰを識別することを決定するためのプロセス、特徴、手段、または、命令をさらに含んでいてもよく、ＢＷＰ切り替えイベントを識別することは、ＤＣＩのＢＷＰ識別子フィールドが、搬送波のアクティブＢＷＰとは異なるＢＷＰを識別することを決定することに少なくとも部分的に基づいていてもよい。
【００１２】
［００１２］
上記で説明した方法、装置、および、非一時的コンピュータ読取可能媒体のいくつかの例は、搬送波のアクティブＢＷＰの第１の周波数範囲が、搬送波のターゲットＢＷＰの第２の周波数範囲と少なくとも部分的にオーバーラップしていることを決定するためのプロセス、特徴、手段、または、命令をさらに含んでいてもよく、搬送波のアクティブＢＷＰと搬送波のターゲットＢＷＰの両方に共通の通信リソースを識別することは、搬送波のアクティブＢＷＰの第１の周波数範囲が、搬送波のターゲットＢＷＰの第２の周波数範囲と少なくとも部分的にオーバーラップしていることを決定することに少なくとも部分的に基づいていてもよい。
【００１３】
［００１３］
上記で説明した方法、装置、および、非一時的コンピュータ読取可能媒体のいくつかの例では、搬送波のターゲットＢＷＰの第２の周波数範囲は、搬送波のアクティブＢＷＰの第１の周波数範囲よりも広くてもよい。
【００１４】
［００１４］
上記で説明した方法、装置、および、非一時的コンピュータ読取可能媒体のいくつかの例では、搬送波のアクティブＢＷＰの第１の周波数範囲は、搬送波のターゲットＢＷＰの第２の周波数範囲内に入れ子にされていてもよい。
【００１５】
［００１５］
上記で説明した方法、装置、および、非一時的コンピュータ読取可能媒体のいくつかの例は、搬送波のアクティブＢＷＰに対するリソース割り振りフィールド中に含まれている通信リソースを、搬送波のターゲットＢＷＰに対する通信リソースにマッピングするためのプロセス、特徴、手段、または、命令をさらに含んでいてもよく、搬送波のアクティブＢＷＰと搬送波のターゲットＢＷＰの両方に共通の通信リソースを識別することは、搬送波のアクティブＢＷＰに対するリソース割り振りフィールド中に含まれている通信リソースを、搬送波のターゲットＢＷＰに対する通信リソースにマッピングすることに少なくとも部分的に基づいていてもよい。
【００１６】
［００１６］
上記で説明した方法、装置、および、非一時的コンピュータ読取可能媒体のいくつかの例では、搬送波のアクティブＢＷＰに対するリソース割り振りフィールドの長さは、搬送波のターゲットＢＷＰに対する第２のリソース割り振りフィールドの第２の長さよりも短いかもしれない。
【００１７】
［００１７］
上記で説明した方法、装置、および、非一時的コンピュータ読取可能媒体のいくつかの例では、搬送波のアクティブＢＷＰに対するリソース割り振りフィールドの長さは、搬送波のターゲットＢＷＰ中で利用可能な通信リソースのすべてを割り振るのには不十分かもしれない。
【００１８】
［００１８］
上記で説明した方法、装置、および、非一時的コンピュータ読取可能媒体のいくつかの例は、搬送波のアクティブＢＷＰの第１の周波数範囲が、搬送波のターゲットＢＷＰの第２の周波数範囲とオーバーラップしていないことを決定するためのプロセス、特徴、手段、または、命令をさらに含んでいてもよい。上記で説明した方法、装置、および、非一時的コンピュータ読取可能媒体のいくつかの例は、搬送波のアクティブＢＷＰの第１の周波数範囲が、搬送波のターゲットＢＷＰの第２の周波数範囲とオーバーラップしていないことを決定することに少なくとも部分的に基づいて、ＤＣＩの通信リソースを使用して、信号を送信または受信することを止めるためのプロセス、特徴、手段、または、命令をさらに含んでいてもよい。
【００１９】
［００１９］
上記で説明した方法、装置、および、非一時的コンピュータ読取可能媒体のいくつかの例は、搬送波のターゲットＢＷＰの通信リソースの一部分を使用して、基地局と通信することに少なくとも部分的に基づいて、搬送波のターゲットＢＷＰを使用するＵＥに対してリソースを割り振る第２のＤＣＩを受信するためのプロセス、特徴、手段、または、命令をさらに含んでいてもよく、第２のＤＣＩは、ＵＥにより使用されている搬送波のターゲットＢＷＰのサイズに少なくとも部分的に基づいているかもしれない第２の長さを有する第２のリソース割り振りフィールドを含み、第２の長さは、ＤＣＩ中のリソース割り振りフィールドの長さよりも長い。上記で説明した方法、装置、および、非一時的コンピュータ読取可能媒体のいくつかの例は、第２のＤＣＩのリソース割り振りフィールド中に含まれている、搬送波のターゲットＢＷＰのすべての通信リソースを使用して、基地局と通信するためのプロセス、特徴、手段、または、命令をさらに含んでいてもよい。
【００２０】
［００２０］
上記で説明した方法、装置、および、非一時的コンピュータ読取可能媒体のいくつかの例では、ＤＣＩは、非フォールバックＤＣＩであってもよい。
【００２１】
［００２１］
上記で説明した方法、装置、および、非一時的コンピュータ読取可能媒体のいくつかの例は、ターゲットＢＷＰのリソースが、アクティブＢＷＰのリソースと入れ子にされているかもしれないことを決定するためのプロセス、特徴、手段、または、命令をさらに含んでいてもよく、搬送波のアクティブＢＷＰとターゲットＢＷＰの両方に共通の通信リソースを識別することは、ターゲットＢＷＰのリソースが、アクティブＢＷＰのリソースと入れ子にされているかもしれないことを決定することに少なくとも部分的に基づいていてもよい。
【００２２】
［００２２］
上記で説明した方法、装置、および、非一時的コンピュータ読取可能媒体のいくつかの例は、ターゲットＢＷＰの第１の周波数範囲が、ターゲットＢＷＰの第２の周波数範囲と完全にオーバーラップしているか、または、ターゲットＢＷＰの第２の周波数範囲が、アクティブＢＷＰの第１の周波数範囲と完全にオーバーラップしていることを決定するためのプロセス、特徴、または、命令をさらに含んでいてもよく、リソースが入れ子にされていることを決定することは、１つの周波数範囲が、別の周波数範囲と完全にオーバーラップしていることを決定することに少なくとも部分的に基づいている。
【００２３】
［００２３］
上記で説明した方法、装置、および、非一時的コンピュータ読取可能媒体のいくつかの例は、ターゲットＢＷＰのリソースが、アクティブＢＷＰのリソースと入れ子にされているかもしれないことを決定することに少なくとも部分的に基づいて、アクティブＢＷＰのリソースをターゲットＢＷＰのリソースにマッピングするためのプロセス、特徴、手段、または、命令をさらに含んでいてもよく、アクティブＢＷＰとターゲットＢＷＰの両方に共通の通信リソースを識別することは、リソースをマッピングすることに少なくとも部分的に基づいていてもよい。
【００２４】
［００２４］
上記で説明した方法、装置、および、非一時的コンピュータ読取可能媒体のいくつかの例では、１つより多いリソースブロック（ＲＢ）がＢＷＰに対して割り振られていることをＤＣＩ中の単一ビットが示すように、ＵＥに通信リソースを割り振る受信されたＤＣＩは、リソースブロックグループ（ＲＢＧ）毎のベースで、通信リソースを割り振る。
【００２５】
［００２５］
基地局におけるワイヤレス通信の方法を説明する。方法は、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別することと、ＵＥに通信リソースを割り振り、ＢＷＰ識別子フィールドとリソース割り振りフィールドとを含む、ダウンリンク制御情報（ＤＣＩ）を発生させることと、ＤＣＩをＵＥに送信することと、リソース割り振りフィールド中に含まれている、搬送波のターゲットＢＷＰの通信リソースの一部分を使用して、ＵＥと通信することとを含んでいてもよく、リソース割り振りフィールドは、ＵＥにより使用されるべき搬送波のターゲットＢＷＰの通信リソースを示し、リソース割り振りフィールドは、ＵＥに使用されている搬送波のアクティブＢＷＰのサイズに少なくとも部分的に基づいている長さを有している。通信リソースの一部分は、搬送波のアクティブＢＷＰと搬送波のターゲットＢＷＰの両方に共通の通信リソースを含んでいる。
【００２６】
［００２６］
基地局におけるワイヤレス通信のための装置を説明する。装置は、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別する手段と、ＵＥに通信リソースを割り振り、ＢＷＰ識別子フィールドとリソース割り振りフィールドとを含む、ダウンリンク制御情報（ＤＣＩ）を発生させる手段と、ＤＣＩをＵＥに送信する手段と、リソース割り振りフィールド中に含まれている、搬送波のターゲットＢＷＰの通信リソースの一部分を使用して、ＵＥと通信する手段とを含んでいてもよく、リソース割り振りフィールドは、ＵＥにより使用されるべき搬送波のターゲットＢＷＰの通信リソースを示し、リソース割り振りフィールドは、ＵＥにより使用されている搬送波のアクティブＢＷＰのサイズに少なくとも部分的に基づいている長さを有している。通信リソースの一部分は、搬送波のアクティブＢＷＰと搬送波のターゲットＢＷＰの両方に共通の通信リソースを含んでいる。
【００２７】
［００２７］
基地局におけるワイヤレス通信のための別の装置を説明する。装置は、プロセッサと、プロセッサと電子通信するメモリと、メモリ中に記憶されている命令とを含んでいてもよい。命令は、プロセッサに、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別させ、ＵＥに通信リソースを割り振り、ＢＷＰ識別子フィールドとリソース割り振りフィールドとを含む、ダウンリンク制御情報（ＤＣＩ）を発生させ、ＤＣＩをＵＥに送信させ、リソース割り振りフィールド中に含まれている、搬送波のターゲットＢＷＰの通信リソースの一部分を使用させて、ＵＥと通信させるように動作可能であってもよく、リソース割り振りフィールドは、ＵＥにより使用されるべき搬送波のターゲットＢＷＰの通信リソースを示し、リソース割り振りフィールドは、ＵＥにより使用されている搬送波のアクティブＢＷＰのサイズに少なくとも部分的に基づいている長さを有している。通信リソースの一部分は、搬送波のアクティブＢＷＰと搬送波のターゲットＢＷＰの両方に共通の通信リソースを含んでいる。
【００２８】
［００２８］
基地局におけるワイヤレス通信のための非一時的コンピュータ読取可能媒体を説明する。非一時的コンピュータ読取可能媒体は、プロセッサに、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別させ、ＵＥに通信リソースを割り振り、ＢＷＰ識別子フィールドとリソース割り振りフィールドとを含む、ダウンリンク制御情報（ＤＣＩ）を発生させ、ＤＣＩをＵＥに送信させ、リソース割り振りフィールド中に含まれている、搬送波のターゲットＢＷＰの通信リソースの一部分を使用させて、ＵＥと通信させるように動作可能な命令を含んでいてもよく、リソース割り振りフィールドは、ＵＥにより使用されるべき搬送波のターゲットＢＷＰの通信リソースを示し、リソース割り振りフィールドは、ＵＥにより使用されている搬送波のアクティブＢＷＰのサイズに少なくとも部分的に基づいている長さを有している。通信リソースの一部分は、搬送波のアクティブＢＷＰと搬送波のターゲットＢＷＰの両方に共通の通信リソースを含んでいる。
【００２９】
［００２９］
上記で説明した方法、装置、および、非一時的コンピュータ読取可能媒体のいくつかの例は、リソース割り振りフィールド中でＵＥに割り振られている搬送波のターゲットＢＷＰの通信リソースを、搬送波のアクティブＢＷＰの通信リソースにマッピングするためのプロセス、特徴、手段、または、命令をさらに含んでいてもよく、ＤＣＩを発生させることは、リソース割り振りフィールド中でＵＥに割り振られている搬送波のターゲットＢＷＰの通信リソースを、搬送波のアクティブＢＷＰの通信リソースにマッピングすることに少なくとも部分的に基づいていてもよい。
【００３０】
［００３０］
上記で説明した方法、装置、および、非一時的コンピュータ読取可能媒体のいくつかの例は、搬送波のアクティブＢＷＰの第１の周波数範囲が、搬送波のターゲットＢＷＰの第２の周波数範囲と少なくとも部分的にオーバーラップしていることを決定するためのプロセス、特徴、手段、または、命令をさらに含んでいてもよく、ＤＣＩを発生させることは、搬送波のアクティブＢＷＰの第１の周波数範囲が、搬送波のターゲットＢＷＰの第２の周波数範囲と少なくとも部分的にオーバーラップしていることを決定することに少なくとも部分的に基づいていてもよい。
【００３１】
［００３１］
上記で説明した方法、装置、および、非一時的コンピュータ読取可能媒体のいくつかの例では、搬送波のターゲットＢＷＰの第２の周波数範囲は、搬送波のアクティブＢＷＰの第１の周波数範囲よりも広いかもしれない。
【００３２】
［００３２］
上記で説明した方法、装置、および、非一時的コンピュータ読取可能媒体のいくつかの例では、搬送波のアクティブＢＷＰの第１の周波数範囲は、搬送波のターゲットＢＷＰの第２の周波数範囲内に入れ子にされていてもよい。
【００３３】
［００３３］
上記で説明した方法、装置、および、非一時的コンピュータ読取可能媒体のいくつかの例では、搬送波のアクティブＢＷＰに対するリソース割り振りフィールドの長さは、搬送波のターゲットＢＷＰに対する第２のリソース割り振りフィールドの第２の長さよりも短いかもしれない。
【００３４】
［００３４］
上記で説明した方法、装置、および、非一時的コンピュータ読取可能媒体のいくつかの例では、搬送波のアクティブＢＷＰに対するリソース割り振りフィールドの長さは、搬送波のターゲットＢＷＰ中で利用可能な通信リソースのすべてを割り振るのには不十分かもしれない。
【００３５】
［００３５］
上記で説明した方法、装置、および、非一時的コンピュータ読取可能媒体のいくつかの例は、搬送波のアクティブＢＷＰの第１の周波数範囲が、搬送波のターゲットＢＷＰの第２の周波数範囲とオーバーラップしていないことを決定するためのプロセス、特徴、手段、または、命令をさらに含んでいてもよい。上記で説明した方法、装置、および、非一時的コンピュータ読取可能媒体のいくつかの例は、搬送波のアクティブＢＷＰの第１の周波数範囲が、搬送波のターゲットＢＷＰの第２の周波数範囲とオーバーラップしていないことを決定することに少なくとも部分的に基づいて、０の割り当てで、リソース割り振りフィールドを埋めるためのプロセス、特徴、手段、または、命令をさらに含んでいてもよい。
【００３６】
［００３６］
上記で説明した方法、装置、および、非一時的コンピュータ読取可能媒体のいくつかの例では、ＤＣＩは、非フォールバックＤＣＩであってもよい。
【００３７】
［００３７］
上記で説明した方法、装置、および、非一時的コンピュータ読取可能媒体のいくつかの例は、アクティブＢＷＰとターゲットＢＷＰの両方に共通の通信リソースを識別するためのプロセス、特徴、手段、または、命令をさらに含んでいてもよい。上記の方法、装置、および、非一時的コンピュータ読取可能媒体のいくつかの例は、アクティブＢＷＰとターゲットＢＷＰの両方に共通の識別された通信リソース内に、ターゲットＢＷＰに関係する物理リソースブロック割り振り（ＰＲＢ）を配置するためのプロセス、特徴、手段、または、命令をさらに含んでいてもよい。
【００３８】
［００３８］
上記で説明した方法、装置、および、非一時的コンピュータ読取可能媒体のいくつかの例は、ターゲットＢＷＰのリソースが、アクティブＢＷＰのリソースと入れ子にされているかもしれないことを決定するためのプロセス、特徴、手段、または、命令をさらに含んでいてもよく、搬送波のアクティブＢＷＰとターゲットＢＷＰの両方に共通の通信リソースを識別することは、ターゲットＢＷＰのリソースが、アクティブＢＷＰのリソースと入れ子にされているかもしれないことを決定することに少なくとも部分的に基づいていてもよい。
【００３９】
［００３９］
上記で説明した方法、装置、および、非一時的コンピュータ読取可能媒体のいくつかの例は、ターゲットＢＷＰの第１の周波数範囲が、ターゲットＢＷＰの第２の周波数範囲と完全にオーバーラップしているか、または、ターゲットＢＷＰの第２の周波数範囲が、アクティブＢＷＰの第１の周波数範囲と完全にオーバーラップしていることを決定するためのプロセス、特徴、または、命令をさらに含んでいてもよく、リソースが入れ子にされていることを決定することは、１つの周波数範囲が、別の周波数範囲と完全にオーバーラップしていることを決定することに少なくとも部分的に基づいている。
【００４０】
［００４０］
上記で説明した方法、装置、および、非一時的コンピュータ読取可能媒体のいくつかの例は、ターゲットＢＷＰのリソースが、アクティブＢＷＰのリソースと入れ子にされているかもしれないことを決定することに少なくとも部分的に基づいて、アクティブＢＷＰのリソースをターゲットＢＷＰのリソースにマッピングするためのプロセス、特徴、手段、または、命令をさらに含んでいてもよく、アクティブＢＷＰとターゲットＢＷＰの両方に共通の通信リソースを識別することは、リソースをマッピングすることに少なくとも部分的に基づいていてもよい。
【００４１】
［００４１］
上記で説明した方法、装置、および、非一時的コンピュータ読取可能媒体のいくつかの例では、リソースブロックグループ（ＲＢＧ）毎のベースで、ＵＥのターゲットＢＷＰに通信リソースを割り振るためのプロセス、特徴、手段、または、命令をさらに含んでいてもよく、１つより多いリソースブロック（ＲＢ）がターゲットＢＷＰに対して割り振られていることをＤＣＩ中の単一ビットが示している。
【００４２】
［００４２］
ユーザ機器（ＵＥ）におけるワイヤレス通信の方法を説明する。方法は、搬送波のアクティブ帯域幅部分（ＢＷＰ）に対する、非フォールバックダウンリンク制御情報（ＤＣＩ）とフォールバックＤＣＩとを監視することと、ＵＥの搬送波のアクティブＢＷＰが基地局と非同期であることを決定することと、ＵＥの搬送波のアクティブＢＷＰが基地局と非同期であることを決定することに少なくとも部分的に基づいて、フォールバックＤＣＩ中に示される通信リソースを識別することと、フォールバックＤＣＩ中に示される通信リソースを使用して、基地局と通信することとを含んでいてもよく、フォールバックＤＣＩの長さは、搬送波のアクティブＢＷＰとは異なる基準ＢＷＰのサイズに少なくとも部分的に基づいている。
【００４３】
［００４３］
ユーザ機器（ＵＥ）におけるワイヤレス通信のための装置を説明する。装置は、搬送波のアクティブ帯域幅部分（ＢＷＰ）に対する、非フォールバックダウンリンク制御情報（ＤＣＩ）とフォールバックＤＣＩとを監視する手段と、ＵＥの搬送波のアクティブＢＷＰが基地局と非同期であることを決定する手段と、ＵＥの搬送波のアクティブＢＷＰが基地局と非同期であることを決定することに少なくとも部分的に基づいて、フォールバックＤＣＩ中に示される通信リソースを識別する手段と、フォールバックＤＣＩ中に示される通信リソースを使用して、基地局と通信する手段とを含んでいてもよく、フォールバックＤＣＩの長さは、搬送波のアクティブＢＷＰとは異なる基準ＢＷＰのサイズに少なくとも部分的に基づいている。
【００４４】
［００４４］
ユーザ機器（ＵＥ）におけるワイヤレス通信のための別の装置を説明する。装置は、プロセッサと、プロセッサと電子通信するメモリと、メモリ中に記憶されている命令とを含んでいてもよい。命令は、プロセッサに、搬送波のアクティブ帯域幅部分（ＢＷＰ）に対する、非フォールバックダウンリンク制御情報（ＤＣＩ）とフォールバックＤＣＩとを監視させ、ＵＥの搬送波のアクティブＢＷＰが基地局と非同期であることを決定させ、ＵＥの搬送波のアクティブＢＷＰが基地局と非同期であることを決定させることに少なくとも部分的に基づいて、フォールバックＤＣＩ中に示される通信リソースを識別させ、フォールバックＤＣＩ中に示される通信リソースを使用させて、基地局と通信させるように動作可能であってもよく、フォールバックＤＣＩの長さは、搬送波のアクティブＢＷＰとは異なる基準ＢＷＰのサイズに少なくとも部分的に基づいている。
【００４５】
［００４５］
ユーザ機器（ＵＥ）におけるワイヤレス通信のための非一時的コンピュータ読取可能媒体を説明する。非一時的コンピュータ読取可能媒体は、プロセッサに、搬送波のアクティブ帯域幅部分（ＢＷＰ）に対する、非フォールバックダウンリンク制御情報（ＤＣＩ）とフォールバックＤＣＩとを監視させ、ＵＥの搬送波のアクティブＢＷＰが基地局と非同期であることを決定させ、ＵＥの搬送波のアクティブＢＷＰが基地局と非同期であることを決定させることに少なくとも部分的に基づいて、フォールバックＤＣＩ中に示される通信リソースを識別させ、フォールバックＤＣＩ中に示される通信リソースを使用させて、基地局と通信させるように動作可能な命令を含んでいてもよく、フォールバックＤＣＩの長さは、搬送波のアクティブＢＷＰとは異なる基準ＢＷＰのサイズに少なくとも部分的に基づいている。
【００４６】
［００４６］
上記で説明した方法、装置、および、非一時的コンピュータ読取可能媒体のいくつかの例は、非フォールバックＤＣＩが、正常にデコードされるのに失敗したことを決定するためのプロセス、特徴、手段、または、命令をさらに含んでいてもよく、ＵＥの搬送波のアクティブＢＷＰが基地局と非同期であるかもしれないことを決定することは、非フォールバックＤＣＩが、正常にデコードされるのに失敗したことを決定することに少なくとも部分的に基づいていてもよい。
【００４７】
［００４７］
上記で説明した方法、装置、および、非一時的コンピュータ読取可能媒体のいくつかの例は、搬送波のアクティブＢＷＰの制御サーチ空間（ＣＳＳ）が、基準ＢＷＰのＣＳＳと同一であるかもしれないことを識別するためのプロセス、特徴、手段、または、命令をさらに含んでいてもよく、フォールバックＤＣＩ中に示される通信リソースを識別することは、搬送波のアクティブＢＷＰのＣＳＳが、基準ＢＷＰのＣＳＳと同一であるかもしれないことを識別することに少なくとも部分的に基づいていてもよい。制御サーチ空間（ＣＳＳ）は、そのペイロードとしてダウンリンク制御情報（ＤＣＩ）を搬送する、物理ダウンリンク制御チャネル（ＰＤＣＣＨ）を探すようにＵＥが構成されている通信リソースを含んでいてもよい。
【００４８】
［００４８］
上記で説明した方法、装置、および、非一時的コンピュータ読取可能媒体のいくつかの例は、基準ＢＷＰの第１の周波数範囲が、搬送波のアクティブＢＷＰの第２の周波数範囲のサブセットであるかもしれないことを決定するためのプロセス、特徴、手段、または、命令をさらに含んでいてもよく、フォールバックＤＣＩ中に示される通信リソースを識別することは、基準ＢＷＰの第１の周波数範囲が、搬送波のアクティブＢＷＰの第２の周波数範囲のサブセットであるかもしれないことを決定することに少なくとも部分的に基づいていてもよい。
【００４９】
［００４９］
上記で説明した方法、装置、および、非一時的コンピュータ読取可能媒体のいくつかの例では、フォールバックＤＣＩの長さは、搬送波のアクティブＢＷＰのサイズとは無関係であってもよい。
【００５０】
［００５０］
上記で説明した方法、装置、および、非一時的コンピュータ読取可能媒体のいくつかの例は、基地局から情報を受信して、基準ＢＷＰを動的に構成するためのプロセス、特徴、手段、または、命令をさらに含んでいてもよい。
【００５１】
［００５１］
上記で説明した方法、装置、および、非一時的コンピュータ読取可能媒体のいくつかの例では、基準ＢＷＰは、静的に予め構成されていてもよい。
【００５２】
［００５２］
基地局におけるワイヤレス通信の方法を説明する。方法は、搬送波のアクティブ帯域幅部分（ＢＷＰ）に対する非フォールバックダウンリンク制御情報（ＤＣＩ）を発生させることと、基準ＢＷＰに対するフォールバックＤＣＩを発生させることと、非フォールバックＤＣＩとフォールバックＤＣＩとをユーザ機器（ＵＥ）に送信することと、フォールバックＤＣ
Ｉ中に示される通信リソースを使用して、ＵＥと通信することとを含んでいてもよく、非フォールバックＤＣＩの長さは、搬送波のアクティブＢＷＰのサイズに少なくとも部分的に基づいており、フォールバックＤＣＩの長さは、搬送波のアクティブＢＷＰとは異なる基準ＢＷＰのサイズに少なくとも部分的に基づいている。
【００５３】
［００５３］
基地局におけるワイヤレス通信のための装置を説明する。装置は、搬送波のアクティブ帯域幅部分（ＢＷＰ）に対する非フォールバックダウンリンク制御情報（ＤＣＩ）を発生させる手段と、基準ＢＷＰに対するフォールバックＤＣＩを発生させる手段と、非フォールバックＤＣＩとフォールバックＤＣＩとをユーザ機器（ＵＥ）に送信する手段と、フォールバックＤＣＩ中に示される通信リソースを使用して、ＵＥと通信する手段とを含んでいてもよく、非フォールバックＤＣＩの長さは、搬送波のアクティブＢＷＰのサイズに少なくとも部分的に基づいており、フォールバックＤＣＩの長さは、搬送波のアクティブＢＷＰとは異なる基準ＢＷＰのサイズに少なくとも部分的に基づいている。
【００５４】
［００５４］
基地局におけるワイヤレス通信のための別の装置を説明する。装置は、プロセッサと、プロセッサと電子通信するメモリと、メモリ中に記憶されている命令とを含んでいてもよい。命令は、プロセッサに、搬送波のアクティブ帯域幅部分（ＢＷＰ）に対する非フォールバックダウンリンク制御情報（ＤＣＩ）を発生させ、基準ＢＷＰに対するフォールバックＤＣＩを発生させ、非フォールバックＤＣＩとフォールバックＤＣＩとをユーザ機器（ＵＥ）に送信させ、フォールバックＤＣＩ中に示される通信リソースを使用させて、ＵＥと通信させるように動作可能であってもよく、非フォールバックＤＣＩの長さは、搬送波のアクティブＢＷＰのサイズに少なくとも部分的に基づいており、フォールバックＤＣＩの長さは、搬送波のアクティブＢＷＰとは異なる基準ＢＷＰのサイズに少なくとも部分的に基づいている。
【００５５】
［００５５］
基地局におけるワイヤレス通信のための非一時的コンピュータ読取可能媒体を説明する。非一時的コンピュータ読取可能媒体は、プロセッサに、搬送波のアクティブ帯域幅部分（ＢＷＰ）に対する非フォールバックダウンリンク制御情報（ＤＣＩ）を発生させ、基準ＢＷＰに対するフォールバックＤＣＩを発生させ、非フォールバックＤＣＩとフォールバックＤＣＩとをユーザ機器（ＵＥ）に送信させ、フォールバックＤＣＩ中に示される通信リソースを使用させて、ＵＥと通信させるように動作可能な命令を含んでいてもよく、非フォールバックＤＣＩの長さは、搬送波のアクティブＢＷＰのサイズに少なくとも部分的に基づいており、フォールバックＤＣＩの長さは、搬送波のアクティブＢＷＰとは異なる基準ＢＷＰのサイズに少なくとも部分的に基づいている。
【００５６】
［００５６］
上記で説明した方法、装置、および、非一時的コンピュータ読取可能媒体のいくつかの例は、フォールバックＤＣＩ中に示される通信リソースを使用して、ＵＥと通信することに少なくとも部分的に基づいて、非フォールバックＤＣＩが、ＵＥにより正常にデコードされるのに失敗したことを決定するためのプロセス、特徴、手段、または、命令をさらに含んでいてもよい。
【００５７】
［００５７］
上記で説明した方法、装置、および、非一時的コンピュータ読取可能媒体のいくつかの例は、搬送波のアクティブＢＷＰの制御サーチ空間（ＣＳＳ）が、基準ＢＷＰのＣＳＳと同一であるかもしれないことを識別するためのプロセス、特徴、手段、または、命令をさらに含んでいてもよく、フォールバックＤＣＩを発生させることは、搬送波のアクティブＢＷＰのＣＳＳが、基準ＢＷＰのＣＳＳと同一であるかもしれないことを識別することに少なくとも部分的に基づいていてもよい。
【００５８】
［００５８］
上記で説明した方法、装置、および、非一時的コンピュータ読取可能媒体のいくつかの例は、基準ＢＷＰの第１の周波数範囲が、搬送波のアクティブＢＷＰの第２の周波数範囲のサブセットであるかもしれないことを決定するためのプロセス、特徴、手段、または、命令をさらに含んでいてもよく、フォールバックＤＣＩを発生させることは、基準ＢＷＰの第１の周波数範囲が、搬送波のアクティブＢＷＰの第２の周波数範囲のサブセットであるかもしれないことを決定することに少なくとも部分的に基づいていてもよい。
【００５９】
［００５９］
上記で説明した方法、装置、および、非一時的コンピュータ読取可能媒体のいくつかの例は、フォールバックＤＣＩ中に示される通信リソースを使用して、ＵＥと通信することに少なくとも部分的に基づいて、ＵＥにより使用されている搬送波のアクティブＢＷＰが何であるかもしれないことを基地局に通知するように、ＵＥに要求するためのプロセス、特徴、手段、または、命令をさらに含んでいてもよい。上記で説明した方法、装置、および、非一時的コンピュータ読取可能媒体のいくつかの例は、ＵＥの搬送波のアクティブＢＷＰに少なくとも部分的に基づいて、基地局の搬送波のアクティブＢＷＰを修正するためのプロセス、特徴、手段、または、命令をさらに含んでいてもよい。
【００６０】
［００６０］
上記で説明した方法、装置、および、非一時的コンピュータ読取可能媒体のいくつかの例は、フォールバックＤＣＩ中に示される通信リソースを使用して、ＵＥと通信している間に、搬送波のアクティブＢＷＰに関係するタイマーが満了することを可能にするためのプロセス、特徴、手段、または、命令をさらに含んでいてもよい。上記で説明した方法、装置、および、非一時的コンピュータ読取可能媒体のいくつかの例は、タイマー満了に少なくとも部分的に基づいて、ＵＥとの新しいＢＷＰを確立するためのプロセス、特徴、手段、または、命令をさらに含んでいてもよい。
【００６１】
［００６１］
上記で説明した方法、装置、および、非一時的コンピュータ読取可能媒体のいくつかの例では、フォールバックＤＣＩの長さは、搬送波のアクティブＢＷＰのサイズとは無関係であってもよい。
【００６２】
［００６２］
上記で説明した方法、装置、および、非一時的コンピュータ読取可能媒体のいくつかの例は、基準ＢＷＰを識別するためのプロセス、特徴、手段、または、命令をさらに含んでいてもよい。上記で説明した方法、装置、および、非一時的コンピュータ読取可能媒体のいくつかの例は、基準ＢＷＰを動的に構成するための情報をＵＥに送信するためのプロセス、特徴、手段、または、命令をさらに含んでいてもよい。
【００６３】
［００６３］
上記で説明した方法、装置、および、非一時的コンピュータ読取可能媒体のいくつかの例では、基準ＢＷＰは、静的に予め構成されていてもよい。
【００６４】
［００６４］
ワイヤレス通信の方法を説明する。方法は、ＵＥに通信リソースを割り振り、搬送波の帯域幅部分（ＢＷＰ）識別子フィールドとリソース割り振りフィールドとを含む、ダウンリンク制御情報（ＤＣＩ）を受信することと、ＢＷＰ識別子フィールド中に含まれている情報に少なくとも部分的に基づいて、ＵＥに搬送波のアクティブＢＷＰからターゲットＢＷＰに変更させるＢＷＰ切り替えイベントを識別することと、ＢＷＰ切り替えイベントを識別することに少なくとも部分的に基づいて、ターゲットＢＷＰのリソースが、アクティブＢＷＰのリソースと入れ子にされていないことを決定することと、ターゲットＢＷＰのリソースが、アクティブＢＷＰのリソースと入れ子にされていないことを決定することに少なくとも部分的に基づいて、アクティブＢＷＰ中の物理リソースブロック（ＰＲＢ）割り振りに関係する、ターゲットＢＷＰの通信リソースを識別することと、ターゲットＢＷＰの識別された通信リソースを使用して、基地局と通信することとを含んでいてもよく、リソース割り振りフィールドは、ＵＥにより使用されている搬送波のアクティブＢＷＰのサイズに少なくとも部分的に基づいている長さを有している。
【００６５】
［００６５］
ワイヤレス通信のための装置を説明する。装置は、ＵＥに通信リソースを割り振り、搬送波の帯域幅部分（ＢＷＰ）識別子フィールドとリソース割り振りフィールドとを含む、ダウンリンク制御情報（ＤＣＩ）を受信する手段と、ＢＷＰ識別子フィールド中に含まれている情報に少なくとも部分的に基づいて、ＵＥに搬送波のアクティブＢＷＰからターゲットＢＷＰに変更させるＢＷＰ切り替えイベントを識別する手段と、ＢＷＰ切り替えイベントを識別することに少なくとも部分的に基づいて、ターゲットＢＷＰのリソースが、アクティブＢＷＰのリソースと入れ子にされていないことを決定する手段と、ターゲットＢＷＰのリソースが、アクティブＢＷＰのリソースと入れ子にされていないことを決定することに少なくとも部分的に基づいて、アクティブＢＷＰ中の物理リソースブロック（ＰＲＢ）割り振りに関係する、ターゲットＢＷＰの通信リソースを識別する手段と、ターゲットＢＷＰの識別された通信リソースを使用して、基地局と通信する手段とを含んでいてもよく、リソース割り振りフィールドは、ＵＥにより使用されている搬送波のアクティブＢＷＰのサイズに少なくとも部分的に基づいている長さを有している。
【００６６】
［００６６］
ワイヤレス通信のための別の装置を説明する。装置は、プロセッサと、プロセッサと電子通信するメモリと、メモリ中に記憶されている命令とを含んでいてもよい。命令は、プロセッサに、ＵＥに通信リソースを割り振り、搬送波の帯域幅部分（ＢＷＰ）識別子フィールドとリソース割り振りフィールドとを含む、ダウンリンク制御情報（ＤＣＩ）を受信させ、ＢＷＰ識別子フィールド中に含まれている情報に少なくとも部分的に基づいて、ＵＥに搬送波のアクティブＢＷＰからターゲットＢＷＰに変更させるＢＷＰ切り替えイベントを識別させ、ＢＷＰ切り替えイベントを識別させることに少なくとも部分的に基づいて、ターゲットＢＷＰのリソースが、アクティブＢＷＰのリソースと入れ子にされていないことを決定させ、ターゲットＢＷＰのリソースが、アクティブＢＷＰのリソースと入れ子にされていないことを決定させることに少なくとも部分的に基づいて、アクティブＢＷＰ中の物理リソースブロック（ＰＲＢ）割り振りに関係する、ターゲットＢＷＰの通信リソースを識別させ、ターゲットＢＷＰの識別された通信リソースを使用させて、基地局と通信させるように動作可能であってもよく、リソース割り振りフィールドは、ＵＥにより使用されている搬送波のアクティブＢＷＰのサイズに少なくとも部分的に基づいている長さを有している。
【００６７】
［００６７］
ワイヤレス通信のための非一時的コンピュータ読取可能媒体を説明する。非一時的コンピュータ読取可能媒体は、プロセッサに、ＵＥに通信リソースを割り振り、搬送波の帯域幅部分（ＢＷＰ）識別子フィールドとリソース割り振りフィールドとを含む、ダウンリンク制御情報（ＤＣＩ）を受信させ、ＢＷＰ識別子フィールド中に含まれている情報に少なくとも部分的に基づいて、ＵＥに搬送波のアクティブＢＷＰからターゲットＢＷＰに変更させるＢＷＰ切り替えイベントを識別させ、ＢＷＰ切り替えイベントを識別させることに少なくとも部分的に基づいて、ターゲットＢＷＰのリソースが、アクティブＢＷＰのリソースと入れ子にされていないことを決定させ、ターゲットＢＷＰのリソースが、アクティブＢＷＰのリソースと入れ子にされていないことを決定させることに少なくとも部分的に基づいて、アクティブＢＷＰ中の物理リソースブロック（ＰＲＢ）割り振りに関係する、ターゲットＢＷＰの通信リソースを識別させ、ターゲットＢＷＰの識別された通信リソースを使用させて、基地局と通信させるように動作可能な命令を含んでいてもよく、リソース割り振りフィールドは、ＵＥにより使用されている搬送波のアクティブＢＷＰのサイズに少なくとも部分的に基づいている長さを有している。
【００６８】
［００６８］
上記で説明した方法、装置、および、非一時的コンピュータ読取可能媒体のいくつかの例は、アクティブＢＷＰ中のＰＲＢ割り振りの基準位置を識別するためのプロセス、特徴、手段、または、命令をさらに含んでいてもよく、ＰＲＢ割り振りに関係する、ターゲットＢＷＰの通信リソースを識別することは、基準位置を識別することに少なくとも部分的に基づいていてもよい。
【００６９】
［００６９］
上記で説明した方法、装置、および、非一時的コンピュータ読取可能媒体のいくつかの例は、ターゲットＢＷＰに関係する基準位置に対するオフセットを識別するためのプロセス、特徴、手段、または、命令をさらに含んでいてもよく、ＰＲＢ割り振りに関係する、ターゲットＢＷＰの通信リソースを識別することは、オフセットを識別することに少なくとも部分的に基づいていてもよい。
【００７０】
［００７０］
上記で説明した方法、装置、および、非一時的コンピュータ読取可能媒体のいくつかの例では、基準位置は、アクティブＢＷＰの最低周波数リソースであってもよい。
【００７１】
［００７１］
上記で説明した方法、装置、および、非一時的コンピュータ読取可能媒体のいくつかの例は、ターゲットＢＷＰのリソースが、アクティブＢＷＰのリソースと入れ子にされていないことを決定することに少なくとも部分的に基づいて、アクティブＢＷＰのリソースをターゲットＢＷＰのリソースにマッピングするためのプロセス、特徴、手段、または、命令をさらに含んでいてもよく、ＰＲＢ割り振りに関係する、ターゲットＢＷＰの通信リソースを識別することは、リソースをマッピングすることに少なくとも部分的に基づいていてもよい。
【００７２】
［００７２］
上記で説明した方法、装置、および、非一時的コンピュータ読取可能媒体のいくつかの例は、ターゲットＢＷＰの周波数範囲が、アクティブＢＷＰの周波数範囲よりも広いかもしれないか、または、狭いかもしれないか否かを決定するためのプロセス、特徴、手段、または、命令をさらに含んでいてもよく、ＰＲＢ割り振りに関係する、ターゲットＢＷＰの通信リソースを識別することは、ターゲットＢＷＰの周波数範囲が、アクティブＢＷＰの周波数範囲よりも広いかもしれないか、または、狭いかもしれないか否かを決定することに少なくとも部分的に基づいていてもよい。
【００７３】
［００７３］
上記で説明した方法、装置、および、非一時的コンピュータ読取可能媒体のいくつかの例は、ターゲットＢＷＰの周波数範囲が、アクティブＢＷＰの周波数範囲よりも狭いことに少なくとも部分的に基づいて、情報を切り捨てるためのプロセス、特徴、手段、または、命令をさらに含んでいてもよく、ターゲットＢＷＰの識別された通信リソースを使用して、基地局と通信することは、情報を切り捨てることに少なくとも部分的に基づいていてもよい。上記で説明した方法、装置、および、非一時的コンピュータ読取可能媒体のいくつかの例は、ターゲットＢＷＰの周波数ドメインリソース割り振りフィールドが、アクティブＢＷＰの周波数ドメインリソース割り振りフィールドよりも大きいかまたは小さいか否かを決定するためのプロセス、特徴、手段、または、命令をさらに含み、ＰＲＢ割り振りに関係する、ターゲットＢＷＰの通信リソースを識別することは、ターゲットＢＷＰの周波数ドメインリソース割り振りフィールドが、アクティブＢＷＰの周波数ドメインリソース割り振りフィールドよりも大きいかまたは小さいか否かを決定することに少なくとも部分的に基づいている。上記で説明した方法、装置、および、非一時的コンピュータ読取可能媒体のいくつかの例は、ターゲットＢＷＰの周波数ドメインリソース割り振りフィールドが、アクティブＢＷＰの周波数ドメインリソース割り振りフィールドよりも小さいことを決定することに少なくとも部分的に基づいて、ＤＣＩの最下位ビットに少なくとも部分的に基づいている情報を識別するためのプロセス、特徴、手段、または、命令をさらに含んでいてもよい。上記で説明した方法、装置、および、非一時的コンピュータ読取可能媒体のいくつかの例は、ターゲットＢＷＰの周波数ドメインリソース割り振りフィールドが、アクティブＢＷＰの周波数ドメインリソース割り振りフィールドよりも大きいことを決定することに少なくとも部分的に基づいて、アクティブＢＷＰの周波数ドメインリソース割り振りフィールドを０パディングで埋めることに少なくとも部分的に基づいている情報を識別するためのプロセス、特徴、手段、または、命令をさらに含んでいてもよい。
【００７４】
［００７４］
上記で説明した方法、装置、および、非一時的コンピュータ読取可能媒体のいくつかの例は、ターゲットＢＷＰの周波数範囲の一部分が、アクティブＢＷＰの周波数範囲を除外しているかもしれないことを決定するためのプロセス、特徴、手段、または、命令をさらに含んでいてもよい。上記で説明した方法、装置、および、非一時的コンピュータ読取可能媒体のいくつかの例は、アクティブＢＷＰの周波数範囲の一部分が、ターゲットＢＷＰの周波数範囲を除外しているかもしれないことを決定するためのプロセス、特徴、手段、または、命令をさらに含んでいてもよく、ターゲットＢＷＰのリソースが、アクティブＢＷＰのリソースと入れ子にされていないかもしれないことを決定することは、この決定に少なくとも部分的に基づいていてもよい。
【００７５】
［００７５］
ワイヤレス通信の方法を説明する。方法は、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別することと、ＢＷＰ切り替えイベントを識別することに少なくとも部分的に基づいて、ターゲットＢＷＰのリソースが、アクティブＢＷＰのリソースと入れ子にされていないことを決定することと、ターゲットＢＷＰのリソースが、アクティブＢＷＰのリソースと入れ子にされていないことを決定することに少なくとも部分的に基づいて、アクティブＢＷＰ中の物理リソースブロック（ＰＲＢ）割り振りに関係する、ターゲットＢＷＰの通信リソースを識別することと、ＵＥに通信リソースを割り振り、ＢＷＰ識別子フィールドとリソース割り振りフィールドとを含む、ダウンリンク制御情報（ＤＣＩ）を発生させることと、ＤＣＩをＵＥに送信することと、リソース割り振りフィールド中に含まれている、搬送波のターゲットＢＷＰの通信リソースの一部分を使用して、ＵＥと通信することとを含んでいてもよく、リソース割り振りフィールドは、ＵＥにより使用されるべき搬送波のターゲットＢＷＰの通信リソースを示し、リソース割り振りフィールドは、ＵＥに使用されている搬送波のアクティブＢＷＰのサイズに少なくとも部分的に基づいている長さを有している。
【００７６】
［００７６］
ワイヤレス通信のための装置を説明する。装置は、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別する手段と、ＢＷＰ切り替えイベントを識別することに少なくとも部分的に基づいて、ターゲットＢＷＰのリソースが、アクティブＢＷＰのリソースと入れ子にされていないことを決定する手段と、ターゲットＢＷＰのリソースが、アクティブＢＷＰのリソースと入れ子にされていないことを決定することに少なくとも部分的に基づいて、アクティブＢＷＰ中の物理リソースブロック（ＰＲＢ）割り振りに関係する、ターゲットＢＷＰの通信リソースを識別する手段と、ＵＥに通信リソースを割り振り、ＢＷＰ識別子フィールドとリソース割り振りフィールドとを含む、ダウンリンク制御情報（ＤＣＩ）を発生させる手段と、ＤＣＩをＵＥに送信する手段と、リソース割り振りフィールド中に含まれている、搬送波のターゲットＢＷＰの通信リソースの一部分を使用して、ＵＥと通信する手段とを含んでいてもよく、リソース割り振りフィールドは、ＵＥにより使用されるべき搬送波のターゲットＢＷＰの通信リソースを示し、リソース割り振りフィールドは、ＵＥに使用されている搬送波のアクティブＢＷＰのサイズに少なくとも部分的に基づいている長さを有している。
【００７７】
［００７７］
ワイヤレス通信のための別の装置を説明する。装置は、プロセッサと、プロセッサと電子通信するメモリと、メモリ中に記憶されている命令とを含んでいてもよい。命令は、プロセッサに、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別させ、ＢＷＰ切り替えイベントを識別させることに少なくとも部分的に基づいて、ターゲットＢＷＰのリソースが、アクティブＢＷＰのリソースと入れ子にされていないことを決定させ、ターゲットＢＷＰのリソースが、アクティブＢＷＰのリソースと入れ子にされていないことを決定させることに少なくとも部分的に基づいて、アクティブＢＷＰ中の物理リソースブロック（ＰＲＢ）割り振りに関係する、ターゲットＢＷＰの通信リソースを識別させ、ＵＥに通信リソースを割り振り、ＢＷＰ識別子フィールドとリソース割り振りフィールドとを含む、ダウンリンク制御情報（ＤＣＩ）を発生させ、ＤＣＩをＵＥに送信させ、リソース割り振りフィールド中に含まれている、搬送波のターゲットＢＷＰの通信リソースの一部分を使用させて、ＵＥと通信させるように動作可能であってもよく、リソース割り振りフィールドは、ＵＥにより使用されるべき搬送波のターゲットＢＷＰの通信リソースを示し、リソース割り振りフィールドは、ＵＥに使用されている搬送波のアクティブＢＷＰのサイズに少なくとも部分的に基づいている長さを有している。
【００７８】
［００７８］
ワイヤレス通信のための非一時的コンピュータ読取可能媒体を説明する。非一時的コンピュータ読取可能媒体は、プロセッサに、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別させ、ＢＷＰ切り替えイベントを識別させることに少なくとも部分的に基づいて、ターゲットＢＷＰのリソースが、アクティブＢＷＰのリソースと入れ子にされていないことを決定させ、ターゲットＢＷＰのリソースが、アクティブＢＷＰのリソースと入れ子にされていないことを決定させることに少なくとも部分的に基づいて、アクティブＢＷＰ中の物理リソースブロック（ＰＲＢ）割り振りに関係する、ターゲットＢＷＰの通信リソースを識別させ、ＵＥに通信リソースを割り振り、ＢＷＰ識別子フィールドとリソース割り振りフィールドとを含む、ダウンリンク制御情報（ＤＣＩ）を発生させ、ＤＣＩをＵＥに送信させ、リソース割り振りフィールド中に含まれている、搬送波のターゲットＢＷＰの通信リソースの一部分を使用させて、ＵＥと通信させるように動作可能な命令を含んでいてもよく、リソース割り振りフィールドは、ＵＥにより使用されるべき搬送波のターゲットＢＷＰの通信リソースを示し、リソース割り振りフィールドは、ＵＥに使用されている搬送波のアクティブＢＷＰのサイズに少なくとも部分的に基づいている長さを有している。
【００７９】
［００７９］
上記で説明した方法、装置、および、非一時的コンピュータ読取可能媒体のいくつかの例は、アクティブＢＷＰ中のＰＲＢ割り振りの基準位置を識別するためのプロセス、特徴、手段、または、命令をさらに含んでいてもよく、ＰＲＢ割り振りに関係する、ターゲットＢＷＰの通信リソースを識別することは、基準位置を識別することに少なくとも部分的に基づいていてもよい。
【００８０】
［００８０］
上記で説明した方法、装置、および、非一時的コンピュータ読取可能媒体のいくつかの例は、ターゲットＢＷＰに関係する基準位置に対するオフセットを識別するためのプロセス、特徴、手段、または、命令をさらに含んでいてもよく、ＰＲＢ割り振りに関係する、ターゲットＢＷＰの通信リソースを識別することは、オフセットを識別することに少なくとも部分的に基づいていてもよい。
【００８１】
［００８１］
上記で説明した方法、装置、および、非一時的コンピュータ読取可能媒体のいくつかの例では、基準位置は、アクティブＢＷＰの最低周波数であってもよい。
【００８２】
［００８２］
上記で説明した方法、装置、および、非一時的コンピュータ読取可能媒体のいくつかの例は、ターゲットＢＷＰのリソースが、アクティブＢＷＰのリソースと入れ子にされていないことを決定することに少なくとも部分的に基づいて、アクティブＢＷＰのリソースをターゲットＢＷＰのリソースにマッピングするためのプロセス、特徴、手段、または、命令をさらに含んでいてもよく、ＰＲＢ割り振りに関係する、ターゲットＢＷＰの通信リソースを識別することは、リソースをマッピングすることに少なくとも部分的に基づいていてもよい。
【００８３】
［００８３］
上記で説明した方法、装置、および、非一時的コンピュータ読取可能媒体のいくつかの例は、ターゲットＢＷＰの周波数範囲が、アクティブＢＷＰの周波数範囲よりも広いかもしれないか、または、狭いかもしれないか否かを決定するためのプロセス、特徴、手段、または、命令をさらに含んでいてもよく、ＰＲＢ割り振りに関係する、ターゲットＢＷＰの通信リソースを識別することは、ターゲットＢＷＰの周波数範囲が、アクティブＢＷＰの周波数範囲よりも広いかもしれないか、または、狭いかもしれないか否かを決定することに少なくとも部分的に基づいていてもよい。
【００８４】
［００８４］
上記で説明した方法、装置、および、非一時的コンピュータ読取可能媒体のいくつかの例は、ターゲットＢＷＰの周波数範囲が、アクティブＢＷＰの周波数範囲よりも狭いことに少なくとも部分的に基づいて、情報を切り捨てるためのプロセス、特徴、手段、または、命令をさらに含んでいてもよく、ターゲットＢＷＰの識別された通信リソースを使用して、基地局と通信することは、情報を切り捨てることに少なくとも部分的に基づいていてもよい。
【００８５】
［００８５］
上記で説明した方法、装置、および、非一時的コンピュータ読取可能媒体のいくつかの例は、ターゲットＢＷＰの周波数範囲の一部分が、アクティブＢＷＰの周波数範囲を除外しているかもしれないことを決定するためのプロセス、特徴、手段、または、命令をさらに含んでいてもよい。上記で説明した方法、装置、および、非一時的コンピュータ読取可能媒体のいくつかの例は、アクティブＢＷＰの周波数範囲の一部分が、ターゲットＢＷＰの周波数範囲を除外しているかもしれないことを決定するためのプロセス、特徴、手段、または、命令をさらに含んでいてもよく、ターゲットＢＷＰのリソースが、アクティブＢＷＰのリソースと入れ子にされていないかもしれないことを決定することは、この決定に少なくとも部分的に基づいていてもよい。
【００８６】
［００８６］
ＵＥにおけるワイヤレス通信の方法を説明する。方法は、ＵＥに通信リソースを割り振り、帯域幅部分（ＢＷＰ）識別子フィールドとリソース割り振りフィールドとを含む、ＤＣＩを受信することと、ＢＷＰ識別子フィールド中に含まれている情報に基づいて、ＵＥにアクティブＢＷＰからターゲットＢＷＰに変更させるＢＷＰ切り替えイベントを識別することと、ＢＷＰ切り替えイベントを識別することに基づいて、アクティブＢＷＰ中の物理リソースブロック（ＰＲＢ）割り振りに関係する、ターゲットＢＷＰの通信リソースを識別することと、ターゲットＢＷＰの識別された通信リソースを使用して、基地局と通信することとを含み、リソース割り振りフィールドは、ＵＥにより使用されているアクティブＢＷＰのサイズに基づいている長さを有している。
【００８７】
［００８７］
ＵＥにおけるワイヤレス通信のための装置を説明する。装置は、プロセッサと、プロセッサと電子通信するメモリと、メモリ中に記憶されている命令とを含んでいてもよい。命令は、装置に、ＵＥに通信リソースを割り振り、帯域幅部分（ＢＷＰ）識別子フィールドとリソース割り振りフィールドとを含む、ＤＣＩを受信させ、ＢＷＰ識別子フィールド中に含まれている情報に少なくとも部分的に基づいて、ＵＥにアクティブＢＷＰからターゲットＢＷＰに変更させるＢＷＰ切り替えイベントを識別させ、ＢＷＰ切り替えイベントを識別させることに少なくとも部分的に基づいて、アクティブＢＷＰ中の物理リソースブロック（ＰＲＢ）割り振りに関係する、ターゲットＢＷＰの通信リソースを識別させ、ターゲットＢＷＰの識別された通信リソースを使用させて、基地局と通信させるようにプロセッサにより実行可能であってもよく、リソース割り振りフィールドは、ＵＥにより使用されているアクティブＢＷＰのサイズに基づいている長さを有している。
【００８８】
［００８８］
ＵＥにおけるワイヤレス通信のための別の装置を説明する。装置は、ＵＥに通信リソースを割り振り、帯域幅部分（ＢＷＰ）識別子フィールドとリソース割り振りフィールドとを含む、ＤＣＩを受信する手段と、ＢＷＰ識別子フィールド中に含まれている情報に基づいて、ＵＥにアクティブＢＷＰからターゲットＢＷＰに変更させるＢＷＰ切り替えイベントを識別する手段と、ＢＷＰ切り替えイベントを識別することに基づいて、アクティブＢＷＰ中の物理リソースブロック（ＰＲＢ）割り振りに関係する、ターゲットＢＷＰの通信リソースを識別する手段と、ターゲットＢＷＰの識別された通信リソースを使用して、基地局と通信する手段とを含み、リソース割り振りフィールドは、ＵＥにより使用されているアクティブＢＷＰのサイズに基づいている長さを有している。
【００８９】
［００８９］
ＵＥにおけるワイヤレス通信のためのコードを記憶する非一時的コンピュータ読取可能媒体を説明する。コードは、ＵＥに通信リソースを割り振り、帯域幅部分（ＢＷＰ）識別子フィールドとリソース割り振りフィールドとを含む、ＤＣＩを受信し、ＢＷＰ識別子フィールド中に含まれている情報に基づいて、ＵＥにアクティブＢＷＰからターゲットＢＷＰに変更させるＢＷＰ切り替えイベントを識別し、ＢＷＰ切り替えイベントを識別することに基づいて、アクティブＢＷＰ中の物理リソースブロック（ＰＲＢ）割り振りに関係する、ターゲットＢＷＰの通信リソースを識別し、ターゲットＢＷＰの識別された通信リソースを使用して、基地局と通信するようにプロセッサにより実行可能な命令を含んでいてもよく、リソース割り振りフィールドは、ＵＥにより使用されているアクティブＢＷＰのサイズに基づいている長さを有している。
【００９０】
［００９０］
上記で説明した方法、装置、および、非一時的コンピュータ読取可能媒体のいくつかの例は、アクティブＢＷＰ中のＰＲＢ割り振りの基準位置を識別するためのプロセス、特徴、手段、または、命令をさらに含んでいてもよく、ＰＲＢ割り振りに関係する、ターゲットＢＷＰの通信リソースを識別することは、基準位置を識別することに基づいていてもよい。
【００９１】
［００９１］
上記で説明した方法、装置、および、非一時的コンピュータ読取可能媒体のいくつかの例は、ターゲットＢＷＰに関係する基準位置に対するオフセットを識別するためのプロセス、特徴、手段、または、命令をさらに含んでいてもよく、ＰＲＢ割り振りに関係する、ターゲットＢＷＰの通信リソースを識別することは、オフセットを識別することに基づいていてもよい。
【００９２】
［００９２］
ここで説明する方法、装置、および、非一時的コンピュータ読取可能媒体のいくつかの例では、ＤＣＩは、オフセットのインジケータを含んでいる。
【００９３】
［００９３］
ここで説明する方法、装置、および、非一時的コンピュータ読取可能媒体のいくつかの例では、オフセットは、リソースブロックグループサイズ、ターゲットＢＷＰのサイズ、アクティブＢＷＰとターゲットＢＷＰとの間の差、または、これらの任意の組み合わせに基づいていてもよい。
【００９４】
［００９４］
ここで説明する方法、装置、および、非一時的コンピュータ読取可能媒体のいくつかの例では、基準位置は、アクティブＢＷＰの最低周波数リソースであってもよい。
【００９５】
［００９５］
ここで説明する方法、装置、および、非一時的コンピュータ読取可能媒体のいくつかの例は、ＢＷＰ切り替えイベントを識別することに基づいて、アクティブＢＷＰのリソースをターゲットＢＷＰのリソースにマッピングするための動作、特徴、手段、または、命令をさらに含んでいてもよく、ＰＲＢ割り振りに関係する、ターゲットＢＷＰの通信リソースを識別することは、リソースをマッピングすることに基づいていてもよい。
【００９６】
［００９６］
ここで説明する方法、装置、および、非一時的コンピュータ読取可能媒体のいくつかの例は、基地局から受信されたＤＣＩに基づいて、ＢＷＰ切り替えイベント間に、アクティブＢＷＰのリソースが、ターゲットＢＷＰのリソースにどのようにマッピングされるかもしれないかを示すマッピングオプションを決定するための動作、特徴、手段、または、命令をさらに含んでいてもよく、リソースをマッピングすることは、マッピングオプションを決定することに基づいていてもよい。
【００９７】
［００９７］
ここで説明する方法、装置、および、非一時的コンピュータ読取可能媒体のいくつかの例では、ＤＣＩは、マッピングオプションを示すマッピングフィールドを含んでいる。
【００９８】
［００９８］
ここで説明する方法、装置、および、非一時的コンピュータ読取可能媒体のいくつかの例では、ＤＣＩのハイブリッド自動反復要求（ＨＡＲＱ）プロセス識別子フィールドは、マッピングオプションの表示を含んでいる。
【００９９】
［００９９］
ここで説明する方法、装置、および、非一時的コンピュータ読取可能媒体のいくつかの例では、マッピングオプションは、モジュロ演算を含んでいる。
【０１００】
［０１００］
ここで説明する方法、装置、および、非一時的コンピュータ読取可能媒体のいくつかの例は、ターゲットＢＷＰの周波数範囲が、アクティブＢＷＰの周波数範囲よりも広いかもしれないか、または、狭いかもしれないか否かを決定するための動作、特徴、手段、または、命令をさらに含んでいてもよく、ＰＲＢ割り振りに関係する、ターゲットＢＷＰの通信リソースを識別することは、ターゲットＢＷＰの周波数範囲が、アクティブＢＷＰの周波数範囲よりも広いかもしれないか、または、狭いかもしれないか否かを決定することに基づいていてもよい。
【０１０１】
［０１０１］
ここで説明する方法、装置、および、非一時的コンピュータ読取可能媒体のいくつかの例は、ターゲットＢＷＰの周波数ドメインリソース割り振りフィールドが、アクティブＢＷＰの周波数ドメインリソース割り振りフィールドよりも大きいかまたは小さいか否かを決定するように、ＵＥを構成するための動作、特徴、手段、または、命令をさらに含んでいてもよく、ＰＲＢ割り振りに関係する、ターゲットＢＷＰの通信リソースを識別することは、ターゲットＢＷＰの周波数ドメインリソース割り振りフィールドが、アクティブＢＷＰの周波数ドメインリソース割り振りフィールドよりも大きいかまたは小さいか否かを決定することに少なくとも部分的に基づいている。ここで説明する方法、装置、および、非一時的コンピュータ読取可能媒体のいくつかの例は、ターゲットＢＷＰの周波数ドメインリソース割り振りフィールドが、アクティブＢＷＰの周波数ドメインリソース割り振りフィールドよりも小さいことを決定することに少なくとも部分的に基づいて、ＤＣＩの最下位ビットに少なくとも部分的に基づいている情報を識別するように、ＵＥを構成するための動作、特徴、手段、または、命令をさらに含んでいてもよい。上記で説明した方法、装置、および、非一時的コンピュータ読取可能媒体のいくつかの例は、ターゲットＢＷＰの周波数ドメインリソース割り振りフィールドが、アクティブＢＷＰの周波数ドメインリソース割り振りフィールドよりも大きいことを決定することに少なくとも部分的に基づいて、アクティブＢＷＰの周波数ドメインリソース割り振りフィールドを０パディングで埋めるように、ＵＥを構成するためのプロセスをさらに含んでいてもよい。
【０１０２】
［０１０２］
ここで説明する方法、装置、および、非一時的コンピュータ読取可能媒体のいくつかの例は、ターゲットＢＷＰの周波数範囲が、アクティブＢＷＰの周波数範囲よりも狭いことに基づいて、情報を切り捨てるための動作、特徴、手段、または、命令をさらに含んでいてもよく、ターゲットＢＷＰの識別された通信リソースを使用して、基地局と通信することは、情報を切り捨てることに基づいていてもよい。
【０１０３】
［０１０３］
基地局におけるワイヤレス通信の方法を説明する。方法は、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別することと、ＢＷＰ切り替えイベントを識別することに基づいて、アクティブＢＷＰ中の物理リソースブロック（ＰＲＢ）割り振りに関係する、ターゲットＢＷＰの通信リソースを識別することと、ＵＥに通信リソースを割り振り、ＢＷＰ識別子フィールドとリソース割り振りフィールドとを含む、ＤＣＩを発生させることと、ＤＣＩをＵＥに送信することと、リソース割り振りフィールド中に含まれている、搬送波のターゲットＢＷＰの通信リソースの一部分を使用して、ＵＥと通信することとを含んでいてもよく、リソース割り振りフィールドは、ＵＥにより使用されるべき搬送波のターゲットＢＷＰの通信リソースを示し、リソース割り振りフィールドは、ＵＥにより使用されている搬送波のアクティブＢＷＰのサイズに基づいている長さを有している。
【０１０４】
［０１０４］
基地局におけるワイヤレス通信のための装置を説明する。装置は、プロセッサと、プロセッサと電子通信するメモリと、メモリ中に記憶されている命令とを含んでいてもよい。命令は、装置に、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別させ、ＢＷＰ切り替えイベントを識別させることに基づいて、アクティブＢＷＰ中の物理リソースブロック（ＰＲＢ）割り振りに関係する、ターゲットＢＷＰの通信リソースを識別させ、ＵＥに通信リソースを割り振り、ＢＷＰ識別子フィールドとリソース割り振りフィールドとを含む、ＤＣＩを発生させ、ＤＣＩをＵＥに送信させ、リソース割り振りフィールド中に含まれている、搬送波のターゲットＢＷＰの通信リソースの一部分を使用させて、ＵＥと通信させるようにプロセッサにより実行可能であってもよく、リソース割り振りフィールドは、ＵＥにより使用されるべき搬送波のターゲットＢＷＰの通信リソースを示し、リソース割り振りフィールドは、ＵＥにより使用されている搬送波のアクティブＢＷＰのサイズに基づいている長さを有している。
【０１０５】
［０１０５］
基地局におけるワイヤレス通信のための装置を説明する。装置は、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別する手段と、ＢＷＰ切り替えイベントを識別することに基づいて、アクティブＢＷＰ中の物理リソースブロック（ＰＲＢ）割り振りに関係する、ターゲットＢＷＰの通信リソースを識別する手段と、ＵＥに通信リソースを割り振り、ＢＷＰ識別子フィールドとリソース割り振りフィールドとを含む、ＤＣＩを発生させる手段と、ＤＣＩをＵＥに送信する手段と、リソース割り振りフィールド中に含まれている、搬送波のターゲットＢＷＰの通信リソースの一部分を使用して、ＵＥと通信する手段とを含んでいてもよく、リソース割り振りフィールドは、ＵＥにより使用されるべき搬送波のターゲットＢＷＰの通信リソースを示し、リソース割り振りフィールドは、ＵＥにより使用されている搬送波のアクティブＢＷＰのサイズに基づいている長さを有している。
【０１０６】
［０１０６］
基地局におけるワイヤレス通信のためのコードを記憶する非一時的コンピュータ読取可能媒体を説明する。コードは、ユーザ機器（ＵＥ）と通信するのに使用されている搬送波のアクティブ帯域幅部分（ＢＷＰ）とは異なる、ＵＥと通信するのに使用されるべき搬送波のターゲットＢＷＰを識別し、ＢＷＰ切り替えイベントを識別することに基づいて、アクティブＢＷＰ中の物理リソースブロック（ＰＲＢ）割り振りに関係する、ターゲットＢＷＰの通信リソースを識別し、ＵＥに通信リソースを割り振り、ＢＷＰ識別子フィールドとリソース割り振りフィールドとを含む、ＤＣＩを発生させ、ＤＣＩをＵＥに送信し、リソース割り振りフィールド中に含まれている、搬送波のターゲットＢＷＰの通信リソースの一部分を使用して、ＵＥと通信するようにプロセッサにより実行可能な命令を含んでいてもよく、リソース割り振りフィールドは、ＵＥにより使用されるべき搬送波のターゲットＢＷＰの通信リソースを示し、リソース割り振りフィールドは、ＵＥにより使用されている搬送波のアクティブＢＷＰのサイズに基づいている長さを有している。
【０１０７】
［０１０７］
ここで説明する方法、装置、および、非一時的コンピュータ読取可能媒体のいくつかの例は、アクティブＢＷＰ中のＰＲＢ割り振りの基準位置を識別するための動作、特徴、手段、または、命令をさらに含んでいてもよく、ＰＲＢ割り振りに関係する、ターゲットＢＷＰの通信リソースを識別することは、基準位置を識別することに基づいていてもよい。
【０１０８】
［０１０８］
ここで説明する方法、装置、および、非一時的コンピュータ読取可能媒体のいくつかの例は、ターゲットＢＷＰに関係する基準位置に対するオフセットを識別するための動作、特徴、手段、または、命令をさらに含んでいてもよく、ＰＲＢ割り振りに関係する、ターゲットＢＷＰの通信リソースを識別することは、オフセットを識別することに基づいていてもよい。
【０１０９】
［０１０９］
ここで説明する方法、装置、および、非一時的コンピュータ読取可能媒体のいくつかの例では、ＤＣＩは、オフセットのインジケータを含んでいる。
【０１１０】
［０１１０］
ここで説明する方法、装置、および、非一時的コンピュータ読取可能媒体のいくつかの例では、オフセットは、リソースブロックグループサイズ、ターゲットＢＷＰのサイズ、アクティブＢＷＰとターゲットＢＷＰとの間の差、または、これらの任意の組み合わせに基づいていてもよい。
【０１１１】
［０１１１］
ここで説明する方法、装置、および、非一時的コンピュータ読取可能媒体のいくつかの例では、基準位置は、アクティブＢＷＰの最低周波数であってもよい。
【０１１２】
［０１１２］
ここで説明する方法、装置、および、非一時的コンピュータ読取可能媒体のいくつかの例は、ＢＷＰ切り替えイベントを識別することに基づいて、アクティブＢＷＰのリソースをターゲットＢＷＰのリソースにマッピングするための動作、特徴、手段、または、命令をさらに含んでいてもよく、ＰＲＢ割り振りに関係する、ターゲットＢＷＰの通信リソースを識別することは、リソースをマッピングすることに基づいていてもよい。
【０１１３】
［０１１３］
ここで説明する方法、装置、および、非一時的コンピュータ読取可能媒体のいくつかの例は、基地局から受信されたＤＣＩに基づいて、ＢＷＰ切り替えイベント間に、アクティブＢＷＰのリソースが、ターゲットＢＷＰのリソースにどのようにマッピングされるかもしれないかを示すマッピングオプションを決定するための動作、特徴、手段、または、命令をさらに含んでいてもよく、リソースをマッピングすることは、マッピングオプションを決定することに基づいていてもよい。
【０１１４】
［０１１４］
ここで説明する方法、装置、および、非一時的コンピュータ読取可能媒体のいくつかの例では、ＤＣＩは、マッピングオプションを示すマッピングフィールドを含んでいる。
【０１１５】
［０１１５］
ここで説明する方法、装置、および、非一時的コンピュータ読取可能媒体のいくつかの例では、ＤＣＩのハイブリッド自動反復要求（ＨＡＲＱ）プロセス識別子フィールドは、マッピングオプションの表示を含んでいる。
【０１１６】
［０１１６］
ここで説明する方法、装置、および、非一時的コンピュータ読取可能媒体のいくつかの例では、マッピングオプションは、モジュロ演算を含んでいる。
【０１１７】
［０１１７］
ここで説明する方法、装置、および、非一時的コンピュータ読取可能媒体のいくつかの例は、ターゲットＢＷＰの周波数範囲が、アクティブＢＷＰの周波数範囲よりも広いかもしれないか、または、狭いかもしれないか否かを決定するための動作、特徴、手段、または、命令をさらに含んでいてもよく、ＰＲＢ割り振りに関係する、ターゲットＢＷＰの通信リソースを識別することは、ターゲットＢＷＰの周波数範囲が、アクティブＢＷＰの周波数範囲よりも広いかもしれないか、または、狭いかもしれないか否かを決定することに基づいていてもよい。
【０１１８】
［０１１８］
ここで説明する方法、装置、および、非一時的コンピュータ読取可能媒体のいくつかの例は、ターゲットＢＷＰの周波数範囲が、アクティブＢＷＰの周波数範囲よりも狭いことに基づいて、情報を切り捨てるための動作、特徴、手段、または、命令をさらに含んでいてもよく、ターゲットＢＷＰの識別された通信リソースを使用して、基地局と通信することは、情報を切り捨てることに基づいていてもよい。
【図面の簡単な説明】
【０１１９】
【図１】［０１１９］  図１は、本開示の態様による、帯域幅部分に対するシグナリング技法をサポートするワイヤレス通信のためのシステムの例を示している。
【図２】［０１２０］  図２は、本開示の態様による、帯域幅部分に対するシグナリング技法をサポートするワイヤレス通信システムの例を示している。
【図３】［０１２１］  図３は、本開示の態様による、帯域幅部分に対するシグナリング技法をサポートするメッセージ構造の例を示している。
【図４】［０１２２］  図４は、本開示の態様による、帯域幅部分に対するシグナリング技法をサポートするＢＷＰ切り替えイベントの例を示している。
【図５】［０１２３］  図５は、本開示の態様による、帯域幅部分に対するシグナリング技法をサポートする通信スキームの例を示している。
【図６Ａ】［０１２４］  図６Ａは、本開示の態様による、帯域幅部分に対するシグナリング技法をサポートするＢＷＰ構造の例を示している。
【図６Ｂ】図６Ｂは、本開示の態様による、帯域幅部分に対するシグナリング技法をサポートするＢＷＰ構造の例を示している。
【図７Ａ】［０１２５］  図７Ａは、本開示の態様による、帯域幅部分に対するシグナリング技法をサポートするプロセスフローの例を示している。
【図７Ｂ】図７Ｂは、本開示の態様による、帯域幅部分に対するシグナリング技法をサポートするプロセスフローの例を示している。
【図８】［０１２６］  図８は、本開示の態様による、帯域幅部分に対するシグナリング技法をサポートする図の例を示す図である。
【図９】［０１２７］  図９は、本開示の態様による、帯域幅部分に対するシグナリング技法をサポートするデバイスのブロック図を示している。
【図１０】図１０は、本開示の態様による、帯域幅部分に対するシグナリング技法をサポートするデバイスのブロック図を示している。
【図１１】図１１は、本開示の態様による、帯域幅部分に対するシグナリング技法をサポートするデバイスのブロック図を示している。
【図１２】［０１２８］  図１２は、本開示の態様による、帯域幅部分に対するシグナリング技法をサポートするＵＥを含むシステムのブロック図を示している。
【図１３】［０１２９］  図１３は、本開示の態様による、帯域幅部分に対するシグナリング技法をサポートするデバイスのブロック図を示している。
【図１４】図１４は、本開示の態様による、帯域幅部分に対するシグナリング技法をサポートするデバイスのブロック図を示している。
【図１５】図１５は、本開示の態様による、帯域幅部分に対するシグナリング技法をサポートするデバイスのブロック図を示している。
【図１６】［０１３０］  図１６は、本開示の態様による、帯域幅部分に対するシグナリング技法をサポートする基地局を含むシステムのブロック図を示している。
【図１７】［０１３１］  図１７は、本開示の態様による、帯域幅部分に対するシグナリング技法のための方法を示している。
【図１８】図１８は、本開示の態様による、帯域幅部分に対するシグナリング技法のための方法を示している。
【図１９】図１９は、本開示の態様による、帯域幅部分に対するシグナリング技法のための方法を示している。
【図２０】図２０は、本開示の態様による、帯域幅部分に対するシグナリング技法のための方法を示している。
【図２１】図２１は、本開示の態様による、帯域幅部分に対するシグナリング技法のための方法を示している。
【図２２】図２２は、本開示の態様による、帯域幅部分に対するシグナリング技法のための方法を示している。
【図２３】図２３は、本開示の態様による、帯域幅部分に対するシグナリング技法のための方法を示している。
【図２４】図２４は、本開示の態様による、帯域幅部分に対するシグナリング技法のための方法を示している。
【図２５】図２５は、本開示の態様による、帯域幅部分に対するシグナリング技法のための方法を示している。
【詳細な説明】
【０１２０】
［０１３２］
いくつかのワイヤレス通信システムでは、ダウンリンク制御情報（ＤＣＩ）のサイズ（例えば、ビット長）は、関係する帯域幅部分（ＢＷＰ）のサイズ（例えば、帯域幅）に基づいていてもよい。ＤＣＩのサイズの変化は、ＢＷＰ切り替えイベントに関係し、フォールバックＤＣＩを使用する問題を導入するかもしれない。
【０１２１】
［０１３３］
アクティブＢＷＰの周波数範囲が、ターゲットＢＷＰの周波数範囲と異なるとき、ＢＷＰ切り替えイベントの後に、ＢＷＰの通信リソース（例えば、リソースブロック）をスケジューリングするための技法をここで説明する。ＵＥは、ＢＷＰ識別子フィールド中に示されるターゲットＢＷＰではなく、アクティブＢＷＰに基づいて、ＢＷＰ切り替えイベントをトリガするスケジューリングＤＣＩ中のリソース割り振りフィールドを解釈するかもしれない。このようなケースでは、ＵＥおよび基地局は、ＢＷＰ切り替えイベントの後、最初の送信機会（最初のスロット）において、アクティブＢＷＰのリソース（例えば、リソースブロック）の少なくとも一部分を使用して、通信するように構成されているかもしれない。ターゲットＢＷＰに対するスケジューリングＤＣＩがＵＥにより受信される後続の送信機会において、ＵＥは、正常に挙動するように構成されているかもしれない。
【０１２２】
［０１３４］
加えて、ＵＥが非フォールバックＤＣＩを正常にデコードすることができないとき、基準ＢＷＰに関係するフォールバックＤＣＩを使用して、基地局とのリンクを維持または復元するための技法が提供される。基地局は、アクティブＢＷＰに関係する非フォールバックＤＣＩと、基準ＢＷＰに関係するフォールバックＤＣＩとを発生させるように構成されていてもよい。基地局は、非フォールバックＤＣＩとフォールバックＤＣＩとをＵＥに送信してもよい。基地局と通信している間、ＵＥは、非フォールバックＤＣＩとフォールバックＤＣＩの両方を監視してもよい。
【０１２３】
［０１３５］
本開示の態様は、ワイヤレス通信システムのコンテキストで最初に説明されている。本開示の態様は、帯域幅部分に対するシグナリング技法に関連する装置図、システム図、および、フローチャートによりさらに例示され、これらを参照して説明されている。
【０１２４】
［０１３６］
図１は、本開示のさまざまな態様にしたがう、ワイヤレス通信システム１００の例を示す。ワイヤレス通信システム１００は、基地局１０５と、ＵＥ１１５と、コアネットワーク１３０とを含んでいる。いくつかの例では、ワイヤレス通信システム１００は、ロングタームエボリューション（ＬＴＥ（登録商標））ネットワーク、ＬＴＥアドバンスト（ＬＴＥ−Ａ）ネットワーク、ＬＴＥ−Ａプロネットワーク、または、新しい無線（ＮＲ）ネットワークであってもよい。いくつかのケースでは、ワイヤレス通信システム１００は、拡張ブロードバンド通信、超高信頼性（例えば、ミッションクリティカル）通信、低レイテンシー通信、または、低コストおよび低複雑性のデバイスとの通信をサポートしてもよい。
【０１２５】
［０１３７］
基地局１０５は、１本以上の基地局アンテナを介してＵＥ１１５とワイヤレスに通信してもよい。ここで説明する基地局１０５は、トランシーバ基地局、無線基地局、アクセスポイント、無線トランシーバ、ノードＢ、ｅノードＢ（ｅＮＢ）、次世代ノードＢ、または、ギガノードＢ（いずれもｇＮＢとして呼ばれることもある）、ホームノードＢ、ホームｅノードＢ、または、他の何らかの適切な用語を含み、これらとして、当業者により参照されることがある。ワイヤレス通信システム１００は、異なるタイプの基地局１０５（例えば、マクロまたはスモールセル基地局）を含んでいてもよい。ここで説明するＵＥ１１５は、マクロｅＮＢ、スモールセルｅＮＢ、ｇＮＢ、中継基地局、これらに類するものを含む、さまざまなタイプの基地局１０５およびネットワーク機器と通信することができてもよい。
【０１２６】
［０１３８］
さまざまなＵＥ１１５との通信がサポートされる特定の地理的カバレージエリア１１０に、各基地局１０５は関係していてもよい。各基地局１０５は、通信リンク１２５を介してそれぞれの地理的カバレージエリア１１０のための通信カバレージを提供してもよく、基地局１０５とＵＥ１１５との間の通信リンク１２５は、１つ以上の搬送波を利用してもよい。ワイヤレス通信システム１００中に示される通信リンク１２５は、ＵＥ１１５から基地局１０５へのアップリンク送信、または、基地局１０５からＵＥ１１５へのダウンリンク送信を含んでいてもよい。ダウンリンク送信はまた、順方向リンク送信として呼ばれることがあり、アップリンク送信は、逆方向リンク送信として呼ばれることもある。
【０１２７】
［０１３９］
基地局１０５のための地理的カバレージエリア１１０は、地理的カバレージエリア１１０の一部分のみを作り上げるセクタに分割され、各セクタはセルに関係していてもよい。例えば、各基地局１０５は、マクロセル、スモールセル、ホットスポット、または、他のタイプのセル、または、これらのさまざまな組み合わせのための通信カバレージを提供してもよい。いくつかの例では、基地局１０５は、移動可能であり、したがって、移動する地理的カバレージエリア１１０のための通信カバレージを提供してもよい。いくつかの例では、異なる技術に関係する異なる地理的カバレージエリア１１０がオーバーラップしていてもよく、異なる技術に関係するオーバーラップしている地理的カバレージエリア１１０が、同じ基地局１０５により、または、異なる基地局１０５によりサポートされていてもよい。ワイヤレス通信システム１００は、例えば、異なるタイプの基地局１０５がさまざまな地理的カバレージエリア１１０のためのカバレージを提供する、異種ＬＴＥ／ＬＴＥ−Ａ／ＬＴＥ−ＡプロまたはＮＲＡネットワークを含んでいてもよい。
【０１２８】
［０１４０］
「セル」という用語は、（例えば、搬送波を介した）基地局１０５との通信のために使用する論理通信エンティティを指し、同じ搬送波または異なる搬送波を通して動作する隣接セルを識別する識別子（例えば、物理セル識別子（ＰＣＩＤ）、仮想セル識別子（ＶＣＩＤ））に関係していてもよい。いくつかの例では、搬送波は、複数のセルをサポートしてもよく、異なるタイプのデバイスのためのアクセスを提供するかもしれない異なるプロトコルタイプ（例えば、マシンタイプ通信（ＭＴＣ）、狭帯域インターネットオブシングス（ＮＢ−ＩｏＴ）、拡張モバイルブロードバンド（ｅＭＢＢ）、または、他のもの）にしたがって、異なるセルを構成してもよい。いくつかのケースでは、「セル」という用語は、論理エンティティが動作する地理的カバレージエリア１１０（例えば、セクタ）の一部分を指すこともある。
【０１２９】
［０１４１］
ＵＥ１１５は、ワイヤレス通信システム１００の全体に渡って分散されていてもよく、各ＵＥ１１５は、静止していてもまたは移動体であってもよい。ＵＥ１１５はまた、移動体デバイス、ワイヤレスデバイス、リモートデバイス、ハンドヘルドデバイス、または、加入者デバイス、または、他の何らかの適切な用語で呼ばれることもあり、「デバイス」は、ユニット、局、端末、または、クライアントとして呼ばれることもある。ＵＥ１１５はまた、セルラーフォン、パーソナルデジタルアシスタント（ＰＤＡ）、タブレットコンピュータ、ラップトップコンピュータ、または、パーソナルコンピュータのような、パーソナル電子デバイスであってもよい。いくつかの例では、ＵＥ１１５はまた、ワイヤレスローカルループ（ＷＬＬ）局、インターネットオブスイングス（ＩｏＴ）デバイス、インターネットオブエブリシング（ＩｏＥ）デバイス、または、ＭＴＣデバイス、または、これらに類するものを指すことがあり、これらは、電気機器、車両、メータ、または、これらに類するもののような、さまざまな物品で実現してもよい。
【０１３０】
［０１４２］
ＭＴＣデバイスまたはＩｏＴデバイスのようないくつかのＵＥ１１５は、低コストまたは低複雑性デバイスであってもよく、（例えば、マシンツーマシン（Ｍ２Ｍ）通信を介した）マシン間の自動通信を提供してもよい。Ｍ２Ｍ通信またはＭＴＣは、デバイスが、人間の介入なしに、互いに、または、基地局１０５と通信することを可能にするデータ通信技術を指すことがある。いくつかの例では、Ｍ２Ｍ通信またはＭＴＣは、情報を測定または捕捉するセンサまたはメータを組み込み、その情報を使用してもよいかまたはその情報をプログラムまたはアプリケーションと対話する人間に提示してもよい中央サーバにまたはアプリケーションプログラムにその情報を中継する、デバイスからの通信を含んでいてもよい。いくつかのＵＥ１１５は、情報を収集するか、または、機械の自動化された挙動を可能にするように設計されていてもよい。ＭＴＣデバイスのためのアプリケーションの例は、スマートメータリング、在庫監視、水位監視、機器監視、ヘルスケア監視、野生生活監視、天候および地質学的イベント監視、フリート管理および追跡、リモートセキュリティセンシング、物理アクセス制御、ならびに、トランザクションベースのビジネス課金を含んでいる。
【０１３１】
［０１４３］
いくつかのＵＥ１１５は、半二重通信（例えば、送信または受信を介して一方向通信をサポートするが、同時に送信および受信をサポートしないモード）のような、電力消費を低減する動作モードを用いるように構成されていてもよい。いくつかの例では、半二重通信は、低減されたピークレートで実行されてもよい。ＵＥ１１５のための他の電力節約技法は、アクティブ通信に携わっていないときに、または、（例えば、狭帯域通信にしたがって）限られた帯域幅に渡って動作しているときに、電力セーブ「ディープスリープ」モードに入ることを含んでいる。いくつかのケースでは、ＵＥ１１５は、クリティカル機能（例えば、ミッションクリティカル機能）をサポートするように設計されてもよく、ワイヤレス通信システム１００は、これらの機能のために、超高信頼性通信を提供するように構成されていてもよい。
【０１３２】
［０１４４］
いくつかのケースでは、ＵＥ１１５はまた、（例えば、ピアツーピア（Ｐ２Ｐ）またはデバイスツーデバイス（Ｄ２Ｄ）プロトコルを使用して）他のＵＥ１１５と直接通信することができてもよい。Ｄ２Ｄ通信を利用するＵＥ１１５のグループのうちの１つ以上は、基地局１０５の地理的カバレージエリア１１０内にあってもよい。このようなグループ中の他のＵＥ１１５は、基地局１０５の地理的カバレージエリア１１０の外側にあるかもしれず、または、さもなければ、基地局１０５からの送信を受信することが不可能であるかもしれない。いくつかのケースでは、Ｄ２Ｄ通信を介して通信するＵＥ１１５のグループは、各ＵＥ１１５がグループ中の他のすべてのＵＥ１１５に送信する、１対多（１：Ｍ）システムを利用するかもしれない。いくつかのケースでは、基地局１０５は、Ｄ２Ｄ通信に対するリソースのスケジューリングを容易にする。他のケースでは、Ｄ２Ｄ通信は、基地局１０５の関与なしで、ＵＥ１１５の間で実行される。
【０１３３】
［０１４５］
基地局１０５は、コアネットワーク１３０と、そして、互いに通信してもよい。例えば、基地局１０５は、バックホールリンク１３２を通して（例えば、Ｓ１または他のインターフェースを介して）、コアネットワーク１３０とインターフェースしていてもよい。基地局１０５は、バックホールリンク１３４を介して（例えば、Ｘ２または他のインターフェースを介して）、直接的に（例えば、基地局１０５間で直接的に）、または、間接的に（例えば、コアネットワーク１３０を介して）互いに通信してもよい。
【０１３４】
［０１４６］
コアネットワーク１３０は、ユーザ認証、アクセス許可、トラッキング、インターネットプロトコル（ＩＰ）接続性、および、他のアクセス、ルーティング、または、モビリティ機能を提供してもよい。コアネットワーク１３０は、少なくとも１つのモビリティ管理エンティティ（ＭＭＥ）、少なくとも１つのサービングゲートウェイ（Ｓ−ＧＷ）、および、少なくとも１つのパケットデータネットワーク（ＰＤＮ）ゲートウェイ（Ｐ−ＧＷ）を含んでいてもよい、発展型パケットコア（ＥＰＣ）であってもよい。ＭＭＥは、ＥＰＣに関係する基地局１０５によりサービスされるＵＥ１１５に対するモビリティ、認証、および、ベアラ管理のような、非アクセス層（例えば、制御プレーン）機能を管理してもよい。ユーザＩＰパケットは、Ｓ−ＧＷを介して転送され、Ｓ−ＧＷ自体は、Ｐ−ＧＷに接続されていてもよい。Ｐ−ＧＷは、ＩＰアドレス割り振りとともに他の機能を提供してもよい。Ｐ−ＧＷは、ネットワークオペレータＩＰサービスに接続されていてもよい。オペレータＩＰサービスは、インターネット、イントラネット、ＩＰマルチメディアサブシステム（ＩＭＳ）、または、パケット交換（ＰＳ）ストリーミングサービスへのアクセスを含んでいてもよい。
【０１３５】
［０１４７］
基地局１０５のようなネットワークデバイスのうちの少なくともいくつかは、アクセスネットワークエンティティのようなサブコンポーネントを含んでいてもよく、アクセスネットワークエンティティは、アクセスノード制御装置（ＡＮＣ）の例であってもよい。各アクセスネットワークエンティティは、無線ヘッド、スマート無線ヘッド、または、送信／受信ポイント（ＴＲＰ）として呼ばれることもある、他の多数のアクセスネットワーク送信エンティティを介して、ＵＥ１１５と通信してもよい。いくつかのコンフィギュレーションでは、各アクセスネットワークエンティティまたは基地局１０５のさまざまな機能は、さまざまなネットワークデバイス（例えば、無線ヘッドおよびアクセスネットワーク制御装置）に渡って分散されていてもよく、または、単一のネットワークデバイス（例えば、基地局１０５）に統合されていてもよい。
【０１３６】
［０１４８］
ワイヤレス通信システム１００は、典型的には３００ＭＨｚ〜３００ＧＨｚの範囲で、１つ以上の周波数帯域を使用して動作するかもしれない。一般的に、３００ＭＨｚ〜３ＧＨｚの領域は、超高周波（ＵＨＦ）領域またはデシメートル帯域として知られている。なぜなら、波長は、長さが約１デシメートル〜１メートルの範囲であるからである。ＵＨＦ波は、建物および環境特徴により遮断またはリダイレクトされるかもしれない。しかしながら、波は、マクロセルが屋内に位置するＵＥ１１５にサービスを提供するのに十分なくらい構造を貫通するかもしれない。ＵＨＦ波の送信は、３００ＭＨｚ未満のスペクトルの高周波数（ＨＦ）または非常に高い周波数（ＶＨＦ）部分のより低い周波数およびより長い波を使用する送信と比較して、より小さいアンテナおよびより短い範囲（例えば、１００ｋｍ未満）に関係していてもよい。
【０１３７】
［０１４９］
ワイヤレス通信システム１００はまた、センチメートル帯域としても知られる３ＧＨｚから３０ＧＨｚまでの周波数帯域を使用する超高周波数（ＳＨＦ）領域中で動作してもよい。ＳＨＦ領域は、５ＧＨｚの産業用、科学用、および、医療用（ＩＳＭ）の帯域のような帯域を含み、これは、他のユーザからの干渉を許容してもよい装置により都合よく使用してもよい。
【０１３８】
［０１５０］
ワイヤレス通信システム１００は、ミリメータ帯域としても知られるスペクトルの非常に高い周波数（ＥＨＦ）領域（例えば、３０ＧＨｚから３００ＧＨｚ）中でも動作してもよい。いくつかの例では、ワイヤレス通信システム１００は、ＵＥ１１５と基地局１０５との間のミリ波（ｍｍＷ）通信をサポートしてもよく、それぞれのデバイスのＥＨＦアンテナは、ＵＨＦアンテナよりもさらに小さく、より近くに間隔が空けられていてもよい。いくつかのケースでは、これは、ＵＥ１１５内のアンテナアレイの使用を容易にするかもしれない。しかしながら、ＥＨＦ送信の伝搬は、ＳＨＦまたはＵＨＦ送信よりも大きな大気減衰の影響を受け、より短い範囲となるかもしれない。ここで開示する技法は、１つ以上の異なる周波数領域を使用する送信に渡って用いてもよく、これらの周波数領域に渡る帯域の指定された使用は、国または規制機関により異なっていてもよい。
【０１３９】
［０１５１］
いくつかのケースでは、ワイヤレス通信システム１００は、ライセンスされている無線周波数スペクトル帯域とライセンスされていない無線周波数スペクトル帯域の両方を利用してもよい。例えば、ワイヤレス通信システム１００は、５ＧＨｚ  ＩＳＭ帯域のような、ライセンスされていない帯域において、ライセンス支援アクセス（ＬＡＡ）、ＬＴＥライセンスされていない（ＬＴＥ−Ｕ）無線アクセス技術、または、ＮＲ技術を用いてもよい。ライセンスされていない無線周波数スペクトル帯域で動作するとき、基地局１０５およびＵＥ１１５のような、ワイヤレスデバイスは、リッスンビフォアトーク（ＬＢＴ）手順を用いて、データを送信する前に周波数チャネルが確実にクリアであるようにするかもしれない。いくつかのケースでは、ライセンスされていない帯域における動作は、ライセンスされている帯域（例えば、ＬＡＡ）において動作するＣＣに関連するＣＡコンフィギュレーションに基づいていてもよい。ライセンスされていないスペクトルにおける動作は、ダウンリンク送信、アップリンク送信、ピアツーピア送信、または、これらの組み合わせを含んでいてもよい。ライセンスされていないスペクトルにおけるデュプレックスは、周波数分割デュプレックス（ＦＤＤ）、時分割デュプレックス（ＴＤＤ）、または、両方の組み合わせに基づいていてもよい。
【０１４０】
［０１５２］
いくつかの例では、基地局１０５またはＵＥ１１５は、送信ダイバーシティ、受信ダイバーシティ、多入力多出力（ＭＩＭＯ）通信、または、ビーム形成のような技法を用いるのに使用してもよい、複数のアンテナを装備していてもよい。例えば、ワイヤレス通信システム１００は、送信デバイス（例えば、基地局１０５）と受信デバイス（例えば、ＵＥ１１５）との間の送信スキームを使用してもよく、送信デバイスは複数のアンテナを装備し、受信デバイスは１本以上のアンテナを装備する。ＭＩＭＯ通信は、マルチパス信号伝搬を用いて、異なる空間レイヤを介して複数の信号を送信または受信することにより、スペクトル効率を増加させてもよく、これは空間多重化として呼ばれることもある。複数の信号は、例えば、異なるアンテナまたはアンテナの異なる組み合わせを介して、送信デバイスにより送信されてもよい。同様に、複数の信号は、異なるアンテナまたはアンテナの異なる組み合わせを介して、受信デバイスにより受信されてもよい。複数の信号のそれぞれは、別個の空間ストリームとして呼ばれることがあり、同じデータストリーム（例えば、同じコードワード）または異なるデータストリームに関係するビットを伝えてもよい。異なる空間レイヤは、チャネル測定および報告のために使用される異なるアンテナポートに関係していてもよい。ＭＩＭＯ技法は、複数の空間レイヤが同じ受信デバイスに送信される単一ユーザＭＩＭＯ（ＳＵ−ＭＩＭＯ）と、複数の空間レイヤが複数のデバイスに送信される複数ユーザＭＩＭＯ（ＭＵ−ＭＩＭＯ）とを含んでいる。
【０１４１】
［０１５３］
空間フィルタリング、指向性送信、または、指向性受信としても呼ばれることがあるビーム形成は、送信デバイスと受信デバイスとの間の空間パスに沿ってアンテナビーム（例えば、送信ビームまたは受信ビーム）を成形またはステアリングするために、送信デバイスまたは受信デバイス（例えば、基地局１０５またはＵＥ１１５）において使用してもよい信号処理技法である。ビーム形成は、アンテナアレイに関して特定の方向に伝搬する信号が強め合う干渉を経験し、他のものが弱め合う干渉を経験するように、アンテナアレイのアンテナ素子を介して通信される信号を組み合わせることにより達成されてもよい。アンテナ素子を介して通信される信号の調節は、送信デバイスまたは受信デバイスが、デバイスに関係するアンテナ素子のそれぞれを介して搬送される信号に対してある振幅および位相オフセットを適用することを含んでいてもよい。アンテナ素子のそれぞれに関係する調節は、特定の方向に関係する（例えば、送信デバイスまたは受信デバイスのアンテナアレイに関する、あるいは、他の何らかの方向に関する）、ビーム形成重み設定により規定されていてもよい。
【０１４２】
［０１５４］
１つの例では、基地局１０５は、複数のアンテナまたはアンテナアレイを使用して、ＵＥ１１５との指向性通信のためのビーム形成動作を行ってもよい。例えば、いくつかの信号（例えば、同期信号、基準信号、ビーム選択信号、または、他の制御信号）は、異なる方向に複数回、基地局１０５により送信されてもよく、これは、異なる送信の方向に関係する異なるビーム形成重み設定にしたがって送信されている信号を含んでいてもよい。異なるビーム方向の送信は、基地局１０５による後続の送信および／または受信のためのビーム方向を、（例えば、基地局１０５により、または、ＵＥ１１５のような受信デバイスにより）識別するのに使用してもよい。特定の受信デバイスに関係するデータ信号のような、いくつかの信号は、単一のビーム方向（例えば、ＵＥ１１５のような、受信デバイスに関係する方向）に、基地局１０５により送信されてもよい。いくつかの例では、単一のビーム方向に沿った送信に関係するビーム方向は、異なるビーム方向において送信された信号に少なくとも部分的に基づいて決定されてもよい。例えば、ＵＥ１１５は、基地局１０５により異なる方向に送信された信号のうちの１つ以上を受信してもよく、ＵＥ１１５は、最高の信号品質で、または、さもなければ許容可能な信号品質で、受信した信号の表示を、基地局１０５に報告してもよい。これらの技法は、基地局１０５により１つ以上の方向で送信される信号を参照して説明しているが、ＵＥ１１５は、（例えば、ＵＥ１１５による後続の送信または受信のためのビーム方向を識別するために）異なる方向に複数回、信号を送信する、または、（例えば、データを受信デバイスに送信するために）単一の方向に信号を送信する、同様の技法を用いてもよい。
【０１４３】
［０１５５］
受信デバイス（例えば、ｍｍＷ受信デバイスの例であってもよいＵＥ１１５）は、同期信号、基準信号、ビーム選択信号、または、他の制御信号のような、さまざまな信号を基地局１０５から受信するとき、複数の受信ビームを試みるかもしれない。例えば、受信デバイスは、異なるアンテナサブアレイを介して受信することにより、異なるアンテナサブアレイにしたがって受信信号を処理することにより、アンテナアレイの複数のアンテナ素子において受信される信号に適用される異なる受信ビーム形成重み設定にしたがって受信することにより、または、アンテナアレイの複数のアンテナ素子において受信される信号に適用される異なる受信ビーム形成重み設定にしたがって受信信号を処理することにより、複数の受信方向を試してもよく、これらのうちのいずれも、異なる受信ビームまたは受信方向にしたがって「リスニング」しているとして呼ばれることがある。いくつかの例では、受信デバイスは、（例えば、データ信号を受信するとき）単一の受信ビームを使用して、単一のビーム方向に沿って受信してもよい。単一の受信ビームは、異なる受信ビーム方向にしたがうリスニングに少なくとも部分的に基づいて決定されるビーム方向（例えば、複数のビーム方向にしたがうリスニングに少なくとも部分的に基づく、最高信号強度、最高信号対雑音比、または、さもなければ、許容可能な信号品質を有するように決定されたビーム方向）に整列されていてもよい。
【０１４４】
［０１５６］
いくつかのケースでは、基地局１０５またはＵＥ１１５のアンテナは、１つ以上のアンテナアレイ内に位置していてもよく、アンテナアレイは、ＭＩＭＯ動作を、あるいは、送信または受信ビーム形成をサポートしてもよい。例えば、１本以上の基地局アンテナまたはアンテナアレイは、アンテナタワーのような、アンテナアセンブリとコロケートさせてもよい。いくつかのケースでは、基地局１０５に関係するアンテナまたはアンテナアレイは、多様な地理的位置に配置されていてもよい。基地局１０５は、基地局１０５がＵＥ１１５との通信のビーム形成をサポートするため使用するかもしれない、アンテナポートの多数の行と列を有するアンテナアレイを有していてもよい。同様に、ＵＥ１１５は、さまざまなＭＩＭＯまたはビーム形成動作をサポートするかもしれない、１つ以上のアンテナアレイを有していてもよい。
【０１４５】
［０１５７］
いくつかのケースでは、ワイヤレス通信システム１００は、レイヤ化プロトコルスタックにしたがって動作するパケットベースのネットワークであってもよい。ユーザプレーンでは、ベアラまたはパケットデータコンバージェンスプロトコル（ＰＤＣＰ）レイヤにおける通信は、ＩＰベースであってもよい。無線リンク制御（ＲＬＣ）レイヤは、いくつかのケースでは、論理チャネルを介して通信するために、パケットセグメンテーションおよびリアセンブリを実行してもよい。媒体アクセス制御（ＭＡＣ）レイヤは、優先取り扱いを行い、論理チャネルのトランスポートチャネルへの多重化を行ってもよい。ＭＡＣレイヤはまた、リンク効率を改善するために、ＭＡＣレイヤにおける再送信を提供するハイブリッド自動再送要求（ＨＡＲＱ）を使用してもよい。制御プレーンでは、無線リソース制御（ＲＲＣ）プロトコルレイヤは、ＵＥ１１５と、基地局１０５またはユーザプレーンデータに対する無線ベアラをサポートするコアネットワーク１３０との間のＲＲＣ接続の確立、コンフィギュレーション、および、管理を提供してもよい。物理（ＰＨＹ）レイヤでは、トランスポートチャネルは、物理チャネルにマッピングされていてもよい。
【０１４６】
［０１５８］
いくつかのケースでは、ＵＥ１１５および基地局１０５は、データの再送信をサポートして、データの受信が成功する可能性を増加させてもよい。ＨＡＲＱフィードバックは、データが通信リンク１２５を介して正確に受信される可能性を増加させる１つの技術である。ＨＡＲＱは、（例えば、巡回冗長検査（ＣＲＣ）を使用する）誤り検出、順方向誤り訂正（ＦＥＣ）、および、再送信（例えば、自動反復要求（ＡＲＱ））の組み合わせを含んでいてもよい。ＨＡＲＱは、劣悪な無線状態（例えば、信号対雑音状態）において、ＭＡＣレイヤにおけるスループットを改善するかもしれない。いくつかのケースでは、ワイヤレスデバイスは、同じスロットＨＡＲＱフィードバックをサポートしてもよく、デバイスは、スロット中の前のシンボル中で受信されたデータのために、特定のスロット中にＨＡＲＱフィードバックを提供してもよい。他のケースでは、デバイスは、後続のスロット中で、または、他の何らかの時間間隔にしたがって、ＨＡＲＱフィードバックを提供してもよい。
【０１４７】
［０１５９］
ＬＴＥまたはＮＲにおける時間間隔は、基本時間単位の倍数で表されていてもよく、基本時間単位は、例えば、Ｔｓ＝１／３０，７２０，０００秒のサンプリング期間を指していてもよい。通信リソースの時間間隔は、それぞれが１０ミリ秒（ｍｓ）の持続時間を有する無線フレームにしたがって編成されていてもよく、フレーム期間は、Ｔｆ＝３０７，２００Ｔｓとして表されていてもよい。無線フレームは、０から１０２３の範囲のシステムフレーム番号（ＳＦＮ）により識別されてもよい。各フレームは、０から９まで番号付けされた１０個のサブフレームを含んでいてもよく、各サブフレームは、１ミリの持続時間を有していてもよい。サブフレームは、それぞれが０．５ｍｓの持続時間を有する２つのスロットにさらに分割されてもよく、各スロットは、（例えば、各シンボル期間の前に付加されるサイクリックプレフィックスの長さに依存して）６つまたは７つの変調シンボル期間を含んでいてもよい。サイクリックプレフィックスを除外すると、各シンボル期間は、２０４８のサンプリング期間を含んでいてもよい。いくつかのケースでは、サブフレームは、ワイヤレス通信システム１００の最小スケジューリング単位であってもよく、送信時間間隔（ＴＴＩ）として呼ばれることもある。他のケースでは、ワイヤレス通信システム１００の最小スケジューリング単位は、サブフレームよりも短くてもよく、または、（例えば、短縮ＴＴＩ（ｓＴＴＩ）のバースト中で、または、ｓＴＴＩを使用する選択されたコンポーネント搬送波中で）動的に選択してもよい。
【０１４８】
［０１６０］
いくつかのワイヤレス通信システムでは、スロットは、１つ以上のシンボルを含む複数のミニスロットにさらに分割されていてもよい。いくつかの事例では、ミニスロットまたはミニスロットのシンボルが、スケジューリングの最小単位であってもよい。各シンボルは、例えば、副搬送波間隔または動作の周波数帯域に依存して、持続時間が変化してもよい。追加的に、いくつかのワイヤレス通信システムは、複数のスロットまたはミニスロットが一緒にアグリゲートされて、ＵＥ１１５と基地局１０５との間の通信のために使用されるスロットアグリゲーションを実現してもよい。
【０１４９】
［０１６１］
用語「搬送波」は、通信リンク１２５を介しての通信をサポートするために規定されている物理レイヤ構造を有する無線周波数スペクトルリソースのセットを指している。例えば、通信リンク１２５の搬送波は、所定の無線アクセス技術のための物理レイヤチャネルにしたがって動作する無線周波数スペクトル帯域の一部分を含んでいてもよい。各物理レイヤチャネルは、ユーザデータ、制御情報、または、他のシグナリングを伝えてもよい。搬送波は、予め規定されている周波数チャネル（例えば、Ｅ−ＵＴＲＡ絶対無線周波数チャネル番号（ＥＡＲＦＣＮ））に関係していてもよく、ＵＥ１１５による発見のためのチャネルラスタにしたがって位置決めされていてもよい。搬送波は、（例えば、ＦＤＤモード中で）ダウンリンクまたはアップリンクであってもよく、または、（例えば、ＴＤＤモード中で）ダウンリンクおよびアップリンク通信を伝えるように構成されていてもよい。いくつかの例では、搬送波を介して送信される信号波形は、（例えば、ＯＦＤＭまたはＤＦＴ−ｓ−ＯＦＤＭのような、マルチ搬送波変調（ＭＣＭ）技法を使用して）複数の副搬送波から作り上げられていてもよい。
【０１５０】
［０１６２］
搬送波の組織構造は、異なる無線アクセス技術（例えば、ＬＴＥ、ＬＴＥ−Ａ、ＬＴＥ−Ａプロ、ＮＲなど）に対して異なっていてもよい。例えば、搬送波を介した通信は、ＴＴＩまたはスロットにしたがって編成してもよく、これらのそれぞれは、ユーザデータとともにユーザデータのデコーディングをサポートするための制御情報またはシグナリングを含んでいてもよい。搬送波はまた、特殊目的捕捉シグナリング（例えば、同期信号またはシステム情報など）と、搬送波のための動作を調整する制御シグナリングとを含んでいてもよい。いくつかの例では（例えば、キャリアアグリゲーションコンフィギュレーション中では）、搬送波はまた、他の搬送波のための動作を調整する捕捉シグナリングまたは制御シグナリングを有していてもよい。
【０１５１】
［０１６３］
物理チャネルは、さまざまな技法にしたがって搬送波上で多重化してもよい。物理制御チャネルおよび物理データチャネルは、例えば、時分割多重化（ＴＤＭ）技法、周波数分割多重化（ＦＤＭ）技法、または、ハイブリッドＴＤＭ−ＦＤＭ技法を使用して、ダウンリンク搬送波上で多重化してもよい。いくつかの例では、物理制御チャネル中で送信される制御情報は、カスケード方法で、異なる制御領域間（例えば、共通制御領域または制御サーチ空間と、１つ以上のＵＥ特有な制御領域またはＵＥ特有なサーチ空間との間で）で分散させてもよい。
【０１５２】
［０１６４］
搬送波は、無線周波数スペクトルの特定の帯域幅に関係していてもよく、いくつかの例では、搬送波帯域幅は、搬送波のまたはワイヤレス通信システム１００の「システム帯域幅」として呼ばれることもある。例えば、搬送波帯域幅は、特定の無線アクセス技術の搬送波（例えば、１．４、３、５、１０、１５、２０、４０、または、８０ＭＨｚ）に対する多数の予め定められている帯域幅のうちの１つであってもよい。いくつかの例では、各サービス提供されるＵＥ１１５は、搬送波帯域幅の一部分または全部に渡って動作するように構成されていてもよい。他の例では、いくつかのＵＥ１１５は、搬送波内（例えば、狭帯域プロトコルタイプの「インバンド」配備）の予め規定されている部分または範囲（例えば、副搬送波またはＲＢのセット）に関係する狭帯域プロトコルタイプを使用する動作のために構成されていてもよい。
【０１５３】
［０１６５］
ＭＣＭ技法を用いるシステムでは、リソース要素は、１つのシンボル期間（例えば、１つの変調シンボルの期間）と、１つの副搬送波とを含んでいてもよく、シンボル期間と副搬送波間隔は逆に関係する。各リソース要素により搬送されるビットの数は、変調スキーム（例えば、変調スキームの次数）に依存していてもよい。したがって、ＵＥ１１５が受信するリソース要素がより多くなり、変調スキームの次数が高くなるほど、ＵＥ１１５に対するデータレートがより高くなるかもしれない。ＭＩＭＯシステムでは、ワイヤレス通信リソースは、無線周波数スペクトルリソースと、時間リソースと、空間リソース（例えば、空間レイヤ）との組み合わせを指すことがあり、複数の空間レイヤの使用は、ＵＥ１１５との通信のためのデータレートをさらに増加させるかもしれない。
【０１５４】
［０１６６］
ワイヤレス通信システム１００のデバイス（例えば、基地局１０５またはＵＥ１１５）は、特定の搬送波帯域幅に渡る通信をサポートするハードウェアコンフィギュレーションを有しているかもしれないか、または、搬送波帯域幅のセットのうちの１つを介した通信をサポートするように構成可能であってもよい。いくつかの例では、ワイヤレス通信システム１００は、１つより多い異なる搬送波帯域幅に関係する搬送波を介して同時通信をサポートしてもよい基地局１０５および／またはＵＥを含んでいてもよい。
【０１５５】
［０１６７］
ワイヤレス通信システム１００は、複数のセルまたは搬送波上でＵＥ１１５との通信をサポートしてもよく、この特徴は、キャリアアグリゲーション（ＣＡ）またはマルチキャリア動作として呼ばれることもある。ＵＥ１１５は、キャリアアグリゲーションコンフィギュレーションにしたがって、複数のダウンリンクＣＣおよび１つ以上のアップリンクＣＣにより構成されていてもよい。キャリアアグリゲーションは、ＦＤＤコンポーネント搬送波およびＴＤＤコンポーネント搬送波の両方とともに使用してもよい。
【０１５６】
［０１６８］
いくつかのケースでは、ワイヤレス通信システム１００は、拡張コンポーネント搬送波（ｅＣＣ）を利用してもよい。ｅＣＣは、より広い搬送波または周波数チャネル帯域幅、より短いシンボル持続時間、より短いＴＴＩ持続時間、または、修正された制御チャネルコンフィギュレーションを含む１つ以上の特徴により特徴付けられていてもよい。いくつかのケースでは、ｅＣＣは、キャリアアグリゲーションコンフィギュレーションまたはデュアル接続コンフィギュレーション（例えば、複数のサービングセルが準最適なまたは非理想的なバックホールリンクを有するとき）に関係していてもよい。ｅＣＣはまた、（例えば、１つより多くの事業者がスペクトルを使用することが許可されている場合）ライセンスされていないスペクトルまたは共有スペクトル中での使用のために構成されていてもよい。広い搬送波帯域幅により特徴付けられるｅＣＣは、搬送波帯域幅全体を監視することができない、または、そうでなければ、（例えば、電力を節約するために）限定された搬送波帯域幅を使用するように構成されているＵＥ１１５により利用されるかもしれない１つ以上のセグメントを含んでいてもよい。
【０１５７】
［０１６９］
いくつかのケースでは、ｅＣＣは、他のＣＣとは異なるシンボル持続時間を利用していてもよく、これは、他のＣＣのシンボル持続時間と比較して低減されたシンボル持続時間の使用を含んでいてもよい。より短いシンボル持続時間は、隣接する副搬送波間の増加した間隔に関係していてもよい。ｅＣＣを利用する、ＵＥ１１５または基地局１０５のようなデバイスは、低減シンボル持続時間（例えば、１６．６７マイクロ秒）で、（例えば、２０、４０、６０、８０ＭＨｚなどの周波数チャネルまたは搬送波帯域幅にしたがって）広帯域信号を送信してもよい。ｅＣＣ中のＴＴＩは、１つまたは複数のシンボル期間を含んでいてもよい。いくつかのケースでは、ＴＴＩ持続時間（すなわち、ＴＴＩ中のシンボル期間の数）は可変であってもよい。
【０１５８】
［０１７０］
ＮＲシステムのようなワイヤレス通信システムは、数ある中でも、ライセンスされているスペクトル帯域幅、共有されているスペクトル帯域、および、ライセンスされていないスペクトル帯域の任意の組み合わせを利用してもよい。ｅＣＣシンボル持続時間および副搬送波間隔の柔軟性は、複数のスペクトルに渡るｅＣＣの使用を可能にするかもしれない。いくつかの例では、ＮＲ共有スペクトルは、特に、リソースの動的な垂直（例えば、周波数に渡る）および水平（例えば、時間に渡る）共有を通して、スペクトル利用およびスペクトル効率を増加させるかもしれない。
【０１５９】
［０１７１］
基地局１０５およびＵＥ１１５は、ＢＷＰと、ＢＷＰのサイズに基づいてサイズが変化するＤＣＩとを使用して、通信するように構成されていてもよい。ＤＣＩの変化するサイズは、ＢＷＰ切り替えイベント間やフォールバックＤＣＩを使用するときに、複雑さを発生させるかもしれない。これらの問題に対処するために、ＢＷＰ切り替えイベント間に、ＤＣＩ中にリソース割り振り情報を発生させ、解釈するための技法を説明する。加えて、基準ＢＷＰに関係するサイズ不変フォールバックＤＣＩを提供するための技術も説明する。
【０１６０】
［０１７２］
図２は、本開示のさまざまな態様による、帯域幅部分に対するシグナリング技法をサポートするワイヤレス通信システム２００の例を示す図である。いくつかの例では、ワイヤレス通信システム２００は、ワイヤレス通信システム１００の態様を実現してもよい。ワイヤレス通信システム２００は、搬送波２０５を使用して情報を通信するかもしれない、基地局１０５−ａとＵＥ１１５−ａとを含んでいてもよい。ワイヤレス通信システム２００は、１つ以上の帯域幅部分２１０、すなわちＢＷＰ２１０を使用して、全搬送波２０５において情報を通信するように構成されていてもよい。
【０１６１】
［０１７３］
ＢＷＰ２１０は、連続する物理リソースブロック（ＰＲＢ）のグループであってもよい。ＢＷＰ２１０の帯域幅は、ＵＥ１１５−ａによりサポートされている最大帯域幅能力、または、全搬送波２０５の帯域幅に等しくてもよく、または、これより小さくてもよい。いくつかのケースでは、ＢＷＰ２１０の帯域幅は、少なくとも同期信号（ＳＳ）ブロックの帯域幅と同じ大きさであってもよい。
【０１６２】
［０１７４］
いくつかのケースでは、ＢＷＰ２１０は、全搬送波２０５のうちの動的に構成されている（または、半静的に構成されている）部分であってもよい。ＢＷＰ２１０は、多数の動的に（または半静的に）構成可能なパラメータを含んでいてもよい。このようなパラメータの例は、周波数位置（例えば、中心周波数）、帯域幅（例えば、ＰＲＢの数）、ニューメロロジー（例えば、副搬送波間隔および／またはサイクリックプレフィックスタイプ）、または、これらの組み合わせを含んでいてもよい。ＢＷＰ２１０のパラメータは、ＤＣＩ、媒体アクセス制御（ＭＡＣ）制御要素（ＣＥ）、無線リソース制御（ＲＲＣ）シグナリング、および／または、（例えば、不連続受信状況における）時間パターンを使用して通信されていてもよい。あるパラメータの粒度は、１つのＰＲＢのサイズであってもよい（例えば、帯域幅粒度は、１ＰＲＢであってもよく、周波数位置粒度は、１ＰＲＢであってもよい）。
【０１６３】
［０１７５］
ＢＷＰ２１０は、ダウンリンクおよびアップリンクのために構成されていてもよい。ＢＷＰ２１０は、各セル（例えば、１次セルおよび／または２次セル）に対して独立して構成されていてもよい。このようなケースでは、ＳＣｅｌｌが非アクティブ化される場合、そのセルのＢＷＰも非アクティブ化されてもよい。いくつかのケースでは、ＵＥ１１５−ａは、１つ以上のダウンリンクＢＷＰおよび／または１つ以上のアップリンクＢＷＰを同時に使用して、通信するように構成されていてもよい。いくつかのケースでは、サービングセルに対して所定の時間に、最大で１つのアクティブダウンリンクＢＷＰおよび最大で１つのアクティブアップリンクＢＷＰが存在する。１次サービングセル（ＰＣｅｌｌ）は、ＵＥ１１５−ａと基地局１０５−ａとの間のＲＲＣ接続を取り扱うセルであってもよく、ＳＣｅｌｌは、ＵＥ１１５−ａと基地局１０５−ａとの間で確立される他の任意のサービングセルであってもよい。
【０１６４】
［０１７６］
ＢＷＰ２１０は、ペアスペクトルと非ペアスペクトルの両方で使用してもよい。ペアスペクトルでは、第１の周波数スペクトル帯域が、ダウンリンク通信に割り振られ（例えば、専用化）、第２の周波数スペクトル帯域が、アップリンク通信に割り振られ（例えば、専用化）てもよい。ペアスペクトルは、ＦＤＤシステムを使用して、ノード間の二方向通信を確立してもよい。非ペアスペクトルでは、アップリンク通信とダウンリンク通信の両方に対して、同じ周波数スペクトル帯域を使用してもよい。非ペアスペクトルは、ＴＤＤシステムを使用して、ノード間の二方向通信を確立してもよい。いくつかのケースでは、ペアスペクトルに対して、ＢＷＰコンフィギュレーションの最大数は、４つのダウンリンクＢＷＰと４つのアップリンクＢＷＰであってもよい。いくつかのケースでは、非ペアスペクトルに対して、ＢＷＰコンフィギュレーションの最大数は、４つのダウンリンク／アップリンクＢＷＰペアであってもよい。いくつかのケースでは、ＦＤＤに対して、ダウンリンクに対するＢＷＰとアップリンクに対するＢＷＰは、コンポーネント搬送波（ＣＣ）毎のベースで独立して構成されていてもよい。いくつかのケースでは、ＴＤＤに対して、ダウンリンクＢＷＰとアップリンクＢＷＰのジョイントセットは、ＣＣ毎のベースで構成されていてもよい。
【０１６５】
［０１７７］
いくつかのケースでは、ＵＥ１１５−ａのアクティブＢＷＰ２１０は、ＵＥ１１５−ａのＣＣの帯域幅よりも大きい周波数スペクトル帯域には及ばない。ダウンリンクＢＷＰに対するコンフィギュレーションは、少なくとも１つの制御リソースセット（ＣＯＲＥＳＥＴ）を含んでいてもよい。いくつかのケースでは、少なくとも１つの構成されているダウンリンクＢＷＰは、１次コンポーネント搬送波（ＰＣＣ）中に制御サーチ空間（ＣＳＳ）を有するＣＯＲＥＳＥＴを含んでいてもよい。いくつかのケースでは、ＰＣｅｌｌにおいて、ＵＥ１１５−ａに対して、ＣＳＳは、各ＢＷＰ２１０において構成されていてもよい。いくつかのケースでは、所定の時間に単一アクティブＢＷＰのケースに対して、それぞれの構成されているダウンリンクＢＷＰは、ＵＥ特有サーチ空間（ＵＥ−ＳＳ）を有する少なくとも１つのＣＯＲＥＳＥＴを含んでいる。いくつかのケースでは、アクティブダウンリンクＢＷＰがＣＳＳを含まない場合、ＵＥ１１５−ａは、ＣＳＳを監視しないかもしれない。ＵＥが、そのペイロードとしてダウンリンク制御情報（ＤＣＩ）を搬送する物理ダウンリンク制御チャネル（ＰＤＣＣＨ）を探すように構成されている通信リソースを、ＣＳＳは含んでいるかもしれない。
【０１６６】
［０１７８］
ＲＲＣ接続を確立すると、ＵＥ１１５−ａまたは基地局１０５−ａは、１つ以上のＢＷＰ２１０（例えば、ダウンリンクＢＷＰおよびアップリンクＢＷＰ）のデフォルトコンフィギュレーションをアクティブ化するかもしれない。ＵＥ１１５−ａおよび基地局１０５−ａは、ＢＷＰ２１０が明示的に構成または再構成されるまで、それらのデフォルトのＢＷＰ２１０を使用するかもしれない。
【０１６７】
［０１７９］
ワイヤレス通信システム２００はまた、ＢＷＰ切り替えイベントをサポートするかもしれない。いくつかのケースでは、ＵＥ１１５−ａ（または、基地局１０５−ａ）は、一度に搬送波２０５の１つのＢＷＰ２１０を使用するように構成されていてもよい。このようなケースでは、ＵＥ１１５−ａ（または、基地局１０５−ａ）が、搬送波２０５に対して異なるＢＷＰを使用することを望む場合、ＵＥ１１５−ａ（または、基地局１０５−ａ）は、そのＢＷＰ２１０を再構成しなければならないかもしれない。ＢＷＰ切り替えイベントの一部分として、ＵＥ１１５−ａ（または、基地局１０５−ａ）は、所定のサービングセル内で、アクティブＢＷＰからターゲットＢＷＰに切り替えるかもしれない。ＢＷＰ切り替えイベントは、ＤＣＩを使用してシグナリングされるかもしれない。いくつかのケースでは、ダウンリンクＢＷＰ２１０は、ダウンリンクスケジューリングＤＣＩを使用して切り替えられてもよく、アップリンクＢＷＰ２１０は、アップリンクスケジューリングＤＣＩを使用して切り替えられてもよい。いくつかのケースでは、ダウンリンクＢＷＰまたはアップリンクＢＷＰのいずれかが、ダウンリンクＤＣＩまたはアップリンクＤＣＩのいずれかを使用して切り替えられてもよい。いくつかのケースでは、ワイヤレス通信システム２００は、タイマーベースのアクティブＢＷＰ切り替えのためのタイマーをサポートしてもよい。このような時間ベースのコンフィギュレーションでは、ＢＷＰ２１０は、タイマー満了に基づいて、アクティブＢＷＰ２１０からデフォルトＢＷＰ２１０に切り替えてもよい。
【０１６８】
［０１８０］
いくつかのケースでは、ＵＥ１１５−ａによる多数のブラインドデコードを回避するように、ＵＥ１１５−ａが監視するＤＣＩのサイズを制限することが望ましいかもしれない。ＤＣＩの全サイズは、リソース割り振り（ＲＡ）フィールドサイズによる影響を受けるかもしれないので、ＲＡフィールドサイズを決定するためのオプションを考慮することが役立つかもしれない。例えば、ＲＡフィールドサイズは、現在アクティブなＢＷＰの帯域幅に依存しているかもしれず、または、例えば、サービングセルに対する構成されたＢＷＰの最大帯域幅に基づいていてもよい。ＲＡフィールドサイズが構成されたＢＷＰの最大帯域幅に基づいているケースでは、最小ＢＷＰの帯域幅と最大ＢＷＰの帯域幅との間の差異が存在するかもしれない。例えば、（例えば、以下の表１に示すような）タイプ０ＲＡは、（例えば、２７０個のＲＢを含む）最大ＢＷＰに対するリソース割り振りをシグナリングするために１７ビットを、（例えば、２５個のＲＢを含む）最狭ＢＷＰに対して１３ビットを使用するかもしれない。このようなことから、ＲＡフィールドサイズが、構成されたＢＷＰの最大帯域幅に基づいている場合、リソース割り振りをシグナリングするために１３ビットのみを使用すればよい最狭ＢＷＰに対してさえ、１７ビットが使用されるかもしれない。したがって、特にＢＷＰ切り替えが頻繁でない場合、潜在的な浪費（例えば、４ビット）があるかもしれない。このようなことから、本開示は、ＢＷＰ切り替えトリガリングＤＣＩ（例えば、非フォールバックＤＣＩ）に対する、フォールバックＤＣＩに対する、拡張タイプ１割り振りスキームに対する、ＤＣＩサイズを決定するための技法を含んでいる。図３は、本開示のさまざまな態様による、帯域幅部分に対するシグナリング技法をサポートするメッセージ構造３００の例を示している。いくつかの例では、メッセージ構造３００は、ワイヤレス通信システム１００および２００の態様を実現してもよい。メッセージ構造３００は、関係するＢＷＰの周波数範囲に基づいて、異なるサイズであってもよい。メッセージ構造３００は、アクティブＢＷＰ３１０に対するＤＣＩ３０５と、ターゲットＢＷＰ３２０に対するＤＣＩ３１５とを含んでいる。ＤＣＩ３０５および３１５は、基地局１０５により発生されて送信され、ＵＥ１１５により受信されて処理されてもよい。
【０１６９】
［０１８１］
ＤＣＩ３０５および３１５は、フィールドの中でも特に、ＢＷＰ識別子フィールド３２５および３３０と、リソース割り振りフィールド３３５および３４０とを含んでいてもよい。ＢＷＰ識別子フィールド３２５は、アクティブＢＷＰ３１０に対するＢＷＰ識別子を示すように構成されていてもよい。ＢＷＰ識別子フィールド３３０は、ターゲットＢＷＰ３２０に対するＢＷＰ識別子を示すように構成されていてもよい。リソース割り振りフィールド３３５は、ＢＷＰ識別子フィールド３２５中に含まれているＢＷＰ（例えば、アクティブＢＷＰ３１０）において、（シグナリングされているものに依存して、アップリンクまたはダウンリンクのいずれかに対する）ＵＥ１１５による使用のために割り振られている通信リソースを示すように構成されていてもよい。リソース割り振りフィールド３４０は、ＢＷＰ識別子フィールド３３０（例えば、ターゲットＢＷＰ３２０）中に含まれているＢＷＰにおける、（シグナリングされているものに依存して、アップリンクまたはダウンリンクのいずれかに対する）ＵＥ１１５による使用のために割り振られている通信リソースを示すように構成されていてもよい。いくつかのケースでは、リソース割り振りフィールド３３５および３４０は、ＵＥ１１５に割り振られているＢＷＰのリソースブロックを示していてもよい。例えば、リソース割り振りフィールド３３５および３４０は、開始リソースブロックとリソースブロックの長さとを示していてもよい。
【０１７０】
［０１８２］
いくつかのケースでは、リソース割り振りフィールド３３５および３４０は、複数の割り振りスキーム（例えば、タイプ０割り振りスキームまたはタイプ１割り振りスキーム）に基づいて、リソースを割り振ってもよい。いくつかのワイヤレス通信システムでは、タイプ１の割り振りスキームは、グループ化技法に基づいて、通信リソースを割り振らないかもしれない。むしろ、タイプ１の割り振りスキームは、各リソースを個々に割り振るかもしれない。例えば、ＬＴＥでは、リソースを割り振るために、ＲＢレベルが常に使用されるかもしれない。このような厳格なスキームでは、割り振られるリソースの帯域幅が大きいほど、スケジューリングメッセージのリソース割り振りフィールド中のビット数がより多くなる。これは、リソース割り振りフィールドのサイズ間の大きな差異をもたらすかもしれない。
【０１７１】
［０１８３］
異なる帯域幅の割り振り間でリソース割り振りフィールドのサイズを等しくするために、リソースは、変化するリソース粒度で割り振られてもよい。例えば、より大きいＢＷＰを割り振るために、リソース割り振りフィールドは、ＲＢレベル割り振りよりも大きい増分でリソースを割り振ってもよい。例えば、タイプ１の割り振りスキームに関する情報を通信するとき、リソースブロックグループ（ＲＢＧ）に基づいてリソースを割り振って、リソース割り振りフィールド３３５および３４０のビット数を低減させてもよい。このようなアプローチの１つの欠点は、リソース割り振りの粒度が低減されるかもしれないことである。いくつかのケースでは、タイプ１の割り振りスキームに対する、リソースグループ化またはリソースグループ化の粒度を決定するために、最大ＢＷＰに対するリソース割り振りフィールドのサイズと、最小ＢＷＰに対するリソース割り振りフィールドのサイズが計算され、最も近い整数に丸められ、最も近い２の累乗に丸められ、または、これらの組み合わせがなされるかもしれない。このような技法は、最大ＢＷＰのタイプ１の割り振りに対するリソース割り振りフィールド３３５および３４０のビット数を低減させるかもしれない。いくつかのケースでは、小さいＢＷＰの帯域幅に対する大きいＢＷＰの帯域幅の比が計算され、最も近い整数（または、２の累乗）に丸められ、大きいＢＷＰに対する粒度レベルとして、その比を使用してもよい。このような拡張タイプ１ＲＡ割り振りスキームは、ＲＡフィールドのサイズが、（例えば、サービングセルに対する）構成されたＢＷＰの最大帯域幅に基づいているケースに対して適用されてもよく、より大きい（または、より広い）帯域幅を有するＲＡフィールドにより取られる最大ビット数を低減させてもよく、したがって、より小さい（または、より狭い）帯域幅を有するＢＷＰに対するリソース割り振りをシグナリングするのに、より少ないビットしか浪費されない。リソース割り振りに対してより狭いＢＷＰの周波数範囲に制限する代わりに、より狭いＢＷＰに関係するより小さいＲＡフィールドが、より広いＢＷＰに対するリソース割り振りをシグナリングするために使用されるいくつかのケースでは、ＲＢＧは、１より大きいように規定することができ、その結果、ＲＡは、より広いＢＷＰの全帯域幅に渡ってリソースを割り振ることができる。いくつかのケースでは、拡張タイプ１ＲＡ割り振りスキームは、直接マッピング技法、例えば、周波数マッピングに変換される、物理リソースブロックの厳密な直接マッピング（例えば、周波数位置に関して同じ物理リソースブロックをマッピングすること）、または、拡張された粒度を有する直接マッピングを強化してもよい。
【０１７２】
［０１８４］
ＤＣＩ３０５および３１５の長さは、それぞれのＢＷＰの周波数範囲（例えば、帯域幅）に基づいていてもよい。例えば、ＤＣＩ３０５の長さ３４５は、アクティブＢＷＰ３１０の周波数範囲３５０に基づいていてもよい。より具体的には、リソース割り振りフィールド３３５の長さ３５５は、アクティブＢＷＰ３１０の周波数範囲３５０に基づいていてもよい。同様に、ＤＣＩ３１５の長さ３６０は、ターゲットＢＷＰ３２０の周波数範囲３６５に基づいてもよく、リソース割り振りフィールド３４０の長さ３７０は、ターゲットＢＷＰ３２０の周波数範囲３６５に基づいていてもよい。いくつかのケースでは、ＢＷＰの周波数範囲が大きいほど、関係するＤＣＩのサイズは大きくなる。ＤＣＩの長さおよびサイズは、メッセージ中のビット数、メッセージにより消費される通信リソース、または、メッセージの送信にかかる時間を指していてもよい。いくつかのケースでは、ＤＣＩの長さまたはサイズは、表１に与えられていてもよい。ＤＣＩの長さまたはサイズは、搬送波帯域幅、ＢＷＰサイズ、および、リソース割り振り（ＲＡ）のタイプに基づいていてもよい。
【０１７３】
【表１】
2021518060.tif 000003
【０１７４】
［０１８５］
いくつかの例では、ＢＷＰ切り替えイベントは、ＤＣＩ３０５を使用してシグナリングされていてもよい。例えば、搬送波のアクティブＢＷＰ３１０を使用するＵＥ１１５は、通信のためにＵＥ１１５リソースを割り振るＤＣＩ３０５を受信するかもしれない。ＤＣＩ３０５は、ＵＥ１１５がそのデコードプロセスにおいてサーチするものであることから、アクティブＢＷＰ３１０に基づいていてもよい。ＢＷＰ識別子フィールド３２５が、アクティブＢＷＰ３１０に対する識別子を含んでいる場合、切り替えイベントは生じない。しかしながら、ＢＷＰ識別子フィールド３２５が、アクティブＢＷＰ３１０とは異なるＢＷＰ（例えば、ターゲットＢＷＰ３２０）に対する識別子を含んでいる場合、ＵＥ１１５は、ＢＷＰ切り替えイベントが生じることになることを知るかもしれない。ＢＷＰ切り替えイベントは、ＵＥ１１５および／または基地局１０５に、アクティブＢＷＰ３１０を使用することから、ＢＷＰ識別子フィールド３２５において識別されるターゲットＢＷＰ３２０を使用することに移行させてもよい。
【０１７５】
［０１８６］
ターゲットＢＷＰ３２０の周波数範囲３６５（例えば、サイズ）は、アクティブＢＷＰ３１０の周波数範囲３５０（例えば、サイズ）とは異なっているかもしれない。拡張すると、アクティブＢＷＰ３１０に対するＤＣＩ３０５の長さ３４５は、ターゲットＢＷＰ３２０に対するＤＣＩ３１５の長さ３６０と異なっているかもしれない。ＢＷＰ切り替えイベントの間、ＤＣＩ長のこのような差は、ＢＷＰ切り替えイベントの後、新しいＢＷＰ（例えば、ターゲットＢＷＰ３２０）に対する最初の送信機会をスケジュールするときに、問題を引き起こすかもしれない。
【０１７６】
［０１８７］
ＵＥ１１５がＢＷＰ切り替えイベントを検出するとき、ＤＣＩ３０５は、ＵＥ１１５が新しいＢＷＰ（例えば、ターゲットＢＷＰ）に切り替えられることが予想される時間または期限に関連する情報を含んでいるかもしれない。ＢＷＰ切り替えイベントを示すＤＣＩ３０５を受信すると、ＵＥ１１５は、その無線リソースを新たなＢＷＰに再構成してもよい。しかしながら、いくつかのケースでは、リソース割り振りフィールド３３５は、ターゲットＢＷＰ３２０のために必要とされる情報のすべてを含めるために不適切または不十分（例えば、小さすぎる）かもしれない。例えば、リソース割り振りフィールド３３５が、ターゲットＢＷＰ３２０に対するリソース割り振りフィールド３４０よりも小さい場合、リソース割り振りフィールド３３５は、ターゲットＢＷＰ３２０に対するリソース（例えば、リソースブロック）を割り振るために必要とされるある情報を省略するかもしれない。この問題は、ＢＷＰ切り替えイベントの第１のケースの間に存在する傾向がある。ＢＷＰ切り替えイベントが生じた後、基地局１０５は、ターゲットＢＷＰ３２０に対するＤＣＩ３１５を送信してもよく、リソース割り振りフィールド３４０は、ターゲットＢＷＰ３２０のために適切なサイズに決められていてもよい。
【０１７７】
［０１８８］
図４は、本開示のさまざまな態様による、帯域幅部分に対するシグナリング技法をサポートするＢＷＰ切り替えイベント４００の例を示している。いくつかの例では、ＢＷＰ切り替えイベント４００は、ワイヤレス通信システム１００および２００の態様を実現してもよい。ＢＷＰ切り替えイベント４００は、ワイヤレス通信システムにおいて生じるかもしれないＢＷＰ切り替えイベントのタイプのいくつかの例であるが、すべてではない例を示している。
【０１７８】
［０１８９］
第１のＢＷＰ切り替えイベント４０５は、ＢＷＰがアクティブＢＷＰ４１０からターゲットＢＷＰ４１５に切り替えられる切り替えイベントを示している。第１のＢＷＰ切り替えイベント４０５では、ターゲットＢＷＰ４１５は、アクティブＢＷＰ４１０のサブセットであってもよい。ターゲットＢＷＰ４１５が、アクティブＢＷＰ４１０のサブセットであるとき、アクティブＢＷＰ４１０のリソース割り振りフィールドは、ターゲットＢＷＰ４１５中のリソースのすべてを取り扱うのに十分かもしれない。いくつかのケースでは、基地局１０５は、これに基づいて、リソース割り振りフィールド中の情報をマッピングするように構成されていてもよい。例えば、リソース割り振りフィールド中の情報は、ターゲットＢＷＰ４１５中のリソースに対するものであるかもしれないが、情報は、アクティブＢＷＰ４１０に対して設計されているフィールドにおいて読み取られ、解釈されるようにフォーマットされているかもしれない。
【０１７９】
［０１９０］
第２のＢＷＰ切り替えイベント４２５は、ＢＷＰがアクティブＢＷＰ４３０からターゲットＢＷＰ４３５に切り替えられる切り替えイベントを示している。第２のＢＷＰ切り替えイベント４２５では、ターゲットＢＷＰ４３５は、アクティブＢＷＰ４３０と少なくとも部分的にオーバーラップしているかもしれない。いくつかのケースでは、アクティブＢＷＰ４３０に関係するＤＣＩを受信するとき、ＵＥ１１５は、アクティブＢＷＰ４３０に基づいて、ＤＣＩ中の情報を解釈するように構成されているかもしれない。いくつかの実例では、リソース割り振りフィールド中の情報は、ターゲットＢＷＰ４３５に対するものであるかもしれない。このようなケースでは、ＵＥ１１５は、その情報がアクティブＢＷＰ４３０に対するものであるかのように、情報を解釈するかもしれない。ＵＥ１１５および／または基地局１０５は、アクティブＢＷＰ４３０とターゲットＢＷＰ４３５との間で部分的にオーバーラップしているリソースを識別し、ＢＷＰ切り替えイベント後の最初の通信の間に、これらのリソースを使用して通信するように構成されていてもよい。
【０１８０】
［０１９１］
第３のＢＷＰ切り替えイベント４４５は、ＢＷＰがアクティブＢＷＰ４５０からターゲットＢＷＰ４５５に切り替えられる切り替えイベントを示している。第３のＢＷＰ切り替えイベント４４５では、ターゲットＢＷＰ４５５は、アクティブＢＷＰ４５０のＰＲＢとは相互に排他的であるＰＲＢを含んでるかもしれない。これらのケースでは、ＵＥ１１５および基地局１０５は、ＢＷＰ切り替えイベントの後の最初の送信機会を使用して、通信することができないかもしれない。例えば、ＵＥ１１５は、アクティブＢＷＰ４５０に基づいて、リソース割り振りフィールド中のリソース割り振りを解釈するかもしれず、ＵＥ１１５が、それらのリソースを使用してリッスンおよび／または送信するようになるとき、基地局１０５は、これらのリソース上で送信および／またはリッスンしていないかもしれない。このようなケースでは、ＵＥ１１５および基地局１０５は、ＢＷＰ切り替えイベントが完了した後、ＤＣＩを待機して受信してもよく、ＤＣＩは、ターゲットＢＷＰ４５５に対するものである。
【０１８１】
［０１９２］
第４のＢＷＰ切り替えイベント４６５は、ＢＷＰがアクティブＢＷＰ４７０からターゲットＢＷＰ４７５に切り替えられる切り替えイベントを示している。第４のＢＷＰ切り替えイベント４６５では、アクティブＢＷＰ４７０は、ターゲットＢＷＰ４７５のサブセットであってもよい。これが生じるとき、アクティブＢＷＰ４７０に対するＤＣＩ（およびリソース割り振りフィールド）は、ターゲットＢＷＰ４７５に対するリソースを割り振るために必要な情報のすべてを示すには小さすぎるかもしれない。
【０１８２】
［０１９３］
アクティブＢＷＰ４７０の周波数範囲が、ターゲットＢＷＰ４７５の周波数範囲と異なるとき、ＢＷＰ切り替えイベントの後に、ＢＷＰの通信リソース（例えば、リソースブロック）をスケジューリングするための技法をここで説明する。ＤＣＩ中のダウンリンク制御情報および／またはリソース割り振りフィールドのサイズは、アクティブＢＷＰ４７０の周波数範囲に基づいているかもしれない。ＵＥ１１５は、ＢＷＰ識別子フィールド中に示されるターゲットＢＷＰ４７５ではなく、アクティブＢＷＰ４７０に基づいて、ＢＷＰ切り替えイベントをトリガするスケジューリングＤＣＩ中のリソース割り振りフィールドを解釈するかもしれない。このようなケースでは、ＵＥ１１５および基地局１０５は、ＢＷＰ切り替えイベントの後の最初の送信機会（例えば、最初のスロット）において、アクティブＢＷＰ４７０のリソース（例えば、リソースブロック）の少なくとも一部分を使用して、通信するように構成されるかもしれない。ターゲットＢＷＰ４７５に対するスケジューリングＤＣＩがＵＥ１１５により受信される後続の送信機会では、ＵＥ１１５は、正常に挙動するように構成されるかもしれない。
【０１８３】
［０１９４］
図５は、本開示のさまざまな態様による、帯域幅部分に対するシグナリング技法をサポートする通信スキーム５００の例を示している。いくつかの例では、通信スキーム５００は、ワイヤレス通信システム１００および２００の態様を実現してもよい。通信スキーム５００は、ＤＣＩサイズが、ターゲットＢＷＰではなく、アクティブＢＷＰに基づいているときに、ＢＷＰ切り替えイベントを取り扱うための技法を示しているかもしれない。通信スキーム５００は、基地局１０５−ｂとＵＥ１１５−ｂとの間の機能および／または通信を含んでいるかもしれない。通信スキーム５００は、図３を参照して説明したメッセージ構造のうちのいずれかと関係して使用してもよい。
【０１８４】
［０１９５］
ブロック５０５において、基地局１０５−ｂは、ＢＷＰ切り替えイベントまたはＳＣｅｌｌアクティブ化イベントに対するターゲットＢＷＰを識別してもよい。いずれのケースでも、基地局１０５−ｂは、ここで説明する技法を使用して、いずれかのイベントを実行してもよい。ＢＷＰ切り替えイベントは、（ダウンリンクまたはアップリンクの）現在構成されているＢＷＰをアクティブＢＷＰからターゲットＢＷＰに変更することを含んでいてもよい。ＳＣｅｌｌアクティブ化は、２次サービスセルをアクティブ化することを含んでいてもよい。両方のイベントにおいて、ダウンリンク制御情報を使用して、イベントに関連する識別子（例えば、ＢＷＰ識別子、または、ＳＣｅｌｌ識別子）をシグナリングしてもよい。
【０１８５】
［０１９６］
ブロック５１０において、基地局１０５−ｂは、ＢＷＰ切り替えイベントを識別することに基づいて、（アップリンクまたはダウンリンクのいずれかの）スケジューリングＤＣＩを発生させてもよい。ＢＷＰ切り替えイベントをＵＥ１１５−ｂにシグナリングするために、基地局１０５−ｂは、ＤＣＩ５１５中にターゲットＢＷＰに対する識別子を含んでいてもよい。ＤＣＩ５１５中の識別子が現在アクティブなＢＷＰと異なる場合、ＵＥ１１５は、これがＢＷＰ切り替えイベントであることを知るかもしれない。いくつかのケースでは、ＤＣＩ５１５は、アクティブＢＷＰの周波数範囲（例えば、帯域幅）に基づいて、サイズが決められていてもよい。その結果、異なるサイズのＢＷＰは、異なるサイズのＤＣＩを有しているかもしれない。ある条件下では、アクティブＢＷＰに対するＤＣＩ５１５は、ターゲットＢＷＰに対するリソース割り振りを通信するのには不十分かもしれない。このような状況では、基地局１０５−ｂは、ターゲットＢＷＰに対して割り振られている通信リソースを、アクティブＢＷＰに対するリソース割り振りフィールドにマッピングするように構成されていてもよい。ＵＥ１１５−ｂおよび基地局１０５−ｂが、ターゲットＢＷＰのリソースの少なくとも一部分を使用して、通信するように構成されているかもしれないので、このマッピングを使用してもよい。いくつかのケースでは、基地局１０５−ｂは、アクティブＢＷＰとターゲットＢＷＰの周波数範囲を決定してもよい。基地局１０５−ｂはまた、２つのＢＷＰの周波数範囲が、何らかの方法でオーバーラップしているか否か、または、ＢＷＰのうちの１つの周波数範囲が、他のＢＷＰのサブセットであるか否かを決定してもよい。この情報を使用して、基地局１０５−ｂは、ターゲットＢＷＰのリソースをアクティブＢＷＰにマッピングするか、または、ＢＷＰ切り替えイベントを考慮するために他の手順を実行するか、のいずれかをしてもよい。
【０１８６】
［０１９７］
基地局１０５−ｂは、ＢＷＰ識別子フィールド中のターゲットＢＷＰに対する識別子と、リソース割り振りフィールド中のターゲットＢＷＰに対するリソース割り振りとを含む、アクティブＢＷＰに対するＤＣ５１５を通信するように構成されていてもよい。ＤＣＩ５１５は、基地局１０５−ｂからＵＥ１１５−ｂに通信されるメッセージ、信号、および／または、送信の例であってもよい。ＤＣＩ５１５は、アップリンクスケジューリングＤＣＩまたはダウンリンクスケジューリングＤＣＩの例であってもよい。ＤＣＩ５１５は、アップリンクまたはダウンリンクのいずれかにおいて、ＵＥ１１５−ｂにより使用されるべきリソースを許可するように構成されていてもよい。ＤＣＩ５１５は、非フォールバックＤＣＩの例であってもよい。
【０１８７】
［０１９８］
ブロック５２０において、ＵＥ１１５−ｂは、ＤＣＩ５１５を受信することに基づいて、ＢＷＰ切り替えイベントを識別してもよい。いくつかのケースでは、ＵＥ１１５−ｂは、アクティブＢＷＰとは異なる、ＤＣＩ５１５のＢＷＰ識別子フィールド中のターゲットＢＷＰを識別することに基づいて、切り替えイベントを識別してもよい。ブロック５２５において、ＵＥ１１５−ｂは、ＢＷＰ切り替えイベントを識別することに基づいて、ターゲットＢＷＰに変更してもよい。
【０１８８】
［０１９９］
ブロック５３０において、ＵＥ１１５−ｂは、ＤＣＩ５１５中に示される送信機会に対する通信リソースを識別してもよい。ＤＣＩ５１５は、ターゲットＢＷＰではなく、アクティブＢＷＰに対してサイズが決められて構成されているので、ＵＥ１１５−ｂは、いくつかのケースでは、ターゲットＢＷＰではなく、アクティブＢＷＰに基づいて、ＤＣＩ５１５のリソース割り振りフィールドを解釈するかもしれない。ＤＣＩ５１５中に示される送信機会間に、基地局１０５−ｂと通信するために、ＵＥ１１５−ｂは、アクティブＢＷＰとターゲットＢＷＰの両方に共通の通信リソースを識別してもよい。ＵＥ１１５−ｂは、共通の通信リソースを使用して、次の送信機会の間に、基地局１０５−ｂと通信してもよい。同様に、基地局１０５−ｂはまた、共通のリソースを識別して、それにしたがって、通信してもよい。ＵＥ１１５−ｂは、いくつかのケースでは、ターゲットＢＷＰに対して指定されているリソース割り振りフィールド中の通信リソースを、アクティブＢＷＰに対する通信リソースにマッピングしてもよい。
【０１８９】
［０２００］
いくつかのケースでは、ＵＥ１１５−ｂは、ＢＷＰ切り替えイベントの一部分としてＤＣＩ５１５をデコードするとき、さまざまな条件をチェックしてもよい。例えば、ＵＥ１１５−ｂは、アクティブＢＷＰとターゲットＢＷＰの周波数範囲が部分的にオーバーラップしているか否か、入れ子にされている（例えば、それぞれのサブセット）か否か、または、互いに除外しているか否かを決定してもよい。入れ子にされるためには、アクティブＢＷＰの周波数範囲が、ターゲットＢＷＰの周波数範囲のサブセットであってもよく、または、ターゲットＢＷＰの周波数範囲が、アクティブＢＷＰの周波数範囲のサブセットであってもよい。入れ子にされないためには、アクティブＢＷＰの周波数範囲が、ターゲットＢＷＰの周波数範囲とオーバーラップしていないか、または、アクティブＢＷＰの周波数範囲が、ターゲットＢＷＰの周波数範囲と部分的にオーバーラップしている。周波数範囲が入れ子にされている場合、ＵＥ１１５−ｂは、ターゲットＢＷＰではなく、アクティブＢＷＰに基づいて、リソース割り振りフィールドを解釈するように構成されていてもよい。周波数範囲が互いに除外している場合、ＵＥ１１５−ｂは、ＤＣＩ５１５中に示される送信機会間に、リソース割り振りフィールド中のリソースを使用して、通信することを止めるように構成されていてもよい。
【０１９０】
［０２０１］
基地局１０５−ｂおよびＵＥ１１５−ｂは、新しいＢＷＰとしてターゲットＢＷＰを確立することに基づいて、通信５４０を交換してもよい。通信５４０は、ＤＣＩがアップリンクリソースまたはダウンリンクリソースを割り振るか否かに基づいて、アップリンク通信またはダウンリンク通信のいずれかであってもよい。
【０１９１】
［０２０２］
ビーム切り替えイベントが生じた後、次のＤＣＩ５４５は、ターゲットＢＷＰに対して構成されているＤＣＩであるかもしれない。このようなことから、ＤＣＩ５４５は、ターゲットＢＷＰに対して、今では現在構成されているＢＷＰに対して、適切なサイズに決められていてもよく、リソース割り振りを解釈するための技法は、実現されないかもしれない。代わりに、ＵＥ１１５−ｂは、ターゲットＢＷＰに対して特にサイズが決められている、ＤＣＩ５４５のリソース割り振りフィールドに基づいて、ターゲットＢＷＰに対する通信リソースを識別してもよい。
【０１９２】
［０２０３］
図６Ａは、本開示のさまざまな態様による、帯域幅部分に対するシグナリング技法をサポートするＢＷＰ構造６００Ａの例を示している。いくつかの例では、ＢＷＰ構造６００Ａは、ワイヤレス通信システム１００および２００の態様を実現してもよい。ＢＷＰ構造６００Ａは、フォールバックＤＣＩを使用して、ＵＥ１１５のＢＷＰが、基地局１０５のＢＷＰとの非同期になる、または、その逆になるのを防止および／または緩和することを示している。
【０１９３】
［０２０４］
ＵＥ１１５および基地局１０５は、アクティブＢＷＰ６０５を使用して、通信するように構成されていてもよい。アクティブＢＷＰ６０５を使用して通信するために、基地局１０５は、１つ以上の非フォールバックＤＣＩ６１０（例えば、ＤＣＩフォーマット１＿１、ＤＣＩフォーマット０＿１）を通信して、ＵＥ１１５との異なる通信にリソースを割り振ってもよい。いくつかの状況では、基地局１０５により使用されているＢＷＰは、ＵＥ１１５により使用されているＢＷＰとは不整合になるかもしれない。このような状況では、ＵＥ１１５は、基地局１０５により送信される非フォールバックＤＣＩ６１０を正常にデコードすることができないであろう。いくつかのケースでは、ＵＥ１１５が、タイマー内で非フォールバックＤＣＩを正常にデコードすることができない場合、基地局１０５およびＵＥ１１５が、予め構成されているデフォルトＢＷＰに戻り、通信リンクを再確立するように、タイマーは構成されていてもよい。このようなタイマーを使用することは、通信リソースを浪費するかもしれない。
【０１９４】
［０２０５］
ＵＥ１１５が非フォールバックＤＣＩ６１０を正常にデコードできないとき、基準ＢＷＰ６２０に関係するフォールバックＤＣＩ（例えば、ＤＣＩフォーマット１＿０、ＤＣＩフォーマット０＿０）６１５を使用して、基地局１０５とのリンクを維持または復元するための技法が提供される。基地局１０５は、アクティブＢＷＰ６０５に関係する非フォールバックＤＣＩ６１０と、基準ＢＷＰ６２０に関係するフォールバックＤＣＩ６１５とを発生させるように構成されていてもよい。基地局１０５は、非フォールバックＤＣＩ６１０とフォールバックＤＣＩ６１５とをＵＥ１１５に送信してもよい。フォールバックＤＣＩ６１５は、アクティブＢＷＰ６０５と基準ＢＷＰ６２０の両方の制御サーチ空間（ＣＳＳ）６２５の中に配置されていてもよい。基地局１０５と通信している間、ＵＥ１１５は、非フォールバックＤＣＩ６１０とフォールバックＤＣＩ６１５の両方を監視するかもしれない。フォールバックＤＣＩ６１５を監視するために、ＵＥ１１５は、アクティブＢＷＰ６０５のＣＳＳが、基準ＢＷＰ６２０のＣＳＳと同一であることを識別してもよい。
【０１９５】
［０２０６］
いくつかのケースでは、（フォールバックまたは非フォールバックのいずれかの）ＤＣＩのサイズは、その関係するＢＷＰの周波数範囲に基づいていてもよい。フォールバックＤＣＩ６１５のサイズが絶えず変化する場合、フォールバックＤＣＩ６１５および非フォールバックＤＣＩ６１０を監視するのには、リソースの非効率的な使用になるかもしれない。このような同時監視を効率的にするために、フォールバックＤＣＩ６１５は、基準ＢＷＰ６２０に関係していてもよい。フォールバックＤＣＩ６１５（および、拡張により、基準ＢＷＰ６２０）は、固定されたサイズを有していてもよい。フォールバックＤＣＩ６１５のサイズ（または、フォールバックＤＣＩのリソース割り振りフィールドのサイズ）は、基準ＢＷＰ６２０の周波数範囲に基づいていてもよい。いくつかのケースでは、フォールバックＤＣＩ６１５のサイズは、アクティブＢＷＰ６０５の周波数範囲とは無関係である。いくつかのケースでは、部分的に、フォールバックＤＣＩ６１５が、アクティブＢＷＰ６０５ではなく、基準ＢＷＰ６２０に関係していることから、フォールバックＤＣＩ６１５のサイズは、アクティブＢＷＰ６０５のサイズに対して不変である。
【０１９６】
［０２０７］
非フォールバックＤＣＩ６１０の正常なデコードに失敗したとき、ＵＥ１１５は、フォールバックＤＣＩ６１５をデコード／検査してもよい。ＵＥ１１５は、フォールバックＤＣＩ６１５中に示される通信リソースを識別してもよい。ＵＥ１１５はまた、フォールバックＤＣＩ６１５のリソース割り振りフィールド中に示される通信リソースを使用して、基地局１０５と通信してもよい。フォールバックＤＣＩ６１５の通信リソースを使用した通信を受信すると、基地局１０５は、そのＢＷＰがＵＥ１１５のＢＷＰと非同期であることを決定してもよい。基地局１０５はまた、フォールバックＤＣＩ６１５のリソースを介した通信を受信することに基づいて、ＵＥ１１５が非フォールバックＤＣＩ６１０を正常にデコードすることに失敗したことを決定してもよい。
【０１９７】
［０２０８］
フォールバックＤＣＩ６１５の通信リソースを使用して通信した後、基地局１０５は、１つ以上の手順を実行して、アクティブＢＷＰ６０５および非フォールバックＤＣＩ６１０を使用して、リンクを再確立してもよい。いくつかの例では、基地局１０５は、どのＢＷＰをＵＥ１１５が使用しているかを発見して、その後、ＵＥのＢＷＰに整合するように、それ自体のＢＷＰを構成してもよい。このような例では、基地局１０５は、どのアクティブＢＷＰを現在使用しているかを基地局１０５に通知するようにＵＥ１１５に頼む要求をＵＥ１１５に送信してもよい。ＵＥ１１５からの応答を受信すると、基地局１０５は、ＵＥ１１５のアクティブＢＷＰに整合するように、搬送波のそのアクティブＢＷＰを修正してもよい。別の例では、基地局１０５は、非フォールバックＤＣＩに関係するタイマーが満了することを可能にしてもよい。非フォールバックＤＣＩが正常にデコードされたとき、タイマーはリセットされる。タイマーにより確立される持続時間内で、非フォールバックＤＣＩが正常にデコードされない場合、基地局１０５およびＵＥ１１５の両方は、予め構成されているデフォルトＢＷＰに戻ってもよい。デフォルトのＢＷＰに戻った後、基地局１０５およびＵＥ１１５は、同期したＢＷＰでリンクを再確立してもよい。タイマーが満了するのを待っている間、基地局１０５およびＵＥ１１５は、フォールバックＤＣＩ６１５中の通信リソースを使用して、通信し続けてもよい。多くのケースでは、フォールバックＤＣＩ６１５の通信リソースは、非フォールバックＤＣＩ６１０中の通信リソースよりも制限されるかもしれない。しかしながら、フォールバックＤＣＩ６１５を使用してリンクの少なくともいくつかを維持することが可能であることは、ＢＷＰが同期していないときに、無線リンク失敗イベントまたは他の同様のイベントに対して好ましいかもしれない。いくつかの例では、基地局１０５およびＵＥ１１５は、２つの例の組み合わせを実現してもよい。
【０１９８】
［０２０９］
フォールバックＤＣＩ６１５を使用して適切に動作するこのようなシステムでは、多数の条件が満たされるかもしれない。例えば、フォールバックＤＣＩ６１５のサイズ（および、フォールバックＤＣＩ６１５のリソース割り振りフィールドのサイズ）は、不変であってもよく、および／または、アクティブＢＷＰ６０５とは無関係であってもよい。このようなことから、フォールバックＤＣＩ６１５は、基準ＢＷＰ６２０に基づいていてもよい。いくつかの例では、基準ＢＷＰ６２０の周波数範囲が、アクティブＢＷＰ６０５の周波数範囲のサブセットである（例えば、基準ＢＷＰ６２０が、アクティブＢＷＰ６０５内に入れ子にされている）ときに、フォールバックＤＣＩ６１５がサポートされるかもしれない。いくつかの例では、アクティブＢＷＰ６０５のＣＳＳが、基準ＢＷＰ６２０のＣＳＳとまったく同じであるときに、フォールバックＤＣＩ６１５がサポートされるかもしれない。このような条件は、ＣＳＳを含むＣＯＲＥＳＥＴが、同様にまったく同じであることを必要とするかもしれない。いくつかの例では、基準ＢＷＰ６２０がアクティブＢＷＰ６０５のサブセットであり、２つのＢＷＰ６０５および６２０に対するＣＳＳがまったく同じである両方のときに、フォールバックＤＣＩ６１５がサポートされるかもしれない。
【０１９９】
［０２１０］
いくつかのケースでは、基地局１０５および／またはＵＥ１１５は、アクティブＢＷＰ６０５のＣＳＳが、基準ＢＷＰ６２０のＣＳＳと同一であることを識別してもよい。いくつかのケースでは、基地局１０５および／またはＵＥ１１５は、基準ＢＷＰ６２０の周波数範囲が、アクティブＢＷＰ６０５の周波数範囲のサブセットであることを決定してもよい。基地局１０５は、これらの条件のうちの１つまたは両方が満たされていることに基づいて、フォールバックＤＣＩ６１５を発生させ、および／または、送信してもよい。ＵＥ１１５は、これらの条件のうちの１つまたは両方が満たされることに基づいて、フォールバックＤＣＩ６１５を監視してもよい。
【０２００】
［０２１１］
基準ＢＷＰ６２０は、多数の異なる方法で構成されていてもよい。いくつかのケースでは、基準ＢＷＰ６２０は、静的に構成されている、または、半静的に構成されている、予め構成されているデフォルトＢＷＰであってもよい。このような状況では、基地局１０５およびＵＥ１１５は、基準ＢＷＰ６２０に関する情報を通信する必要がないかもしれない。いくつかのケースでは、基準ＢＷＰ６２０は、動的に構成されているＢＷＰであってもよい。このようなケースでは、基地局１０５は、基準ＢＷＰ６２０を識別して、その情報をＵＥ１１５に送信する。いくつかのケースでは、基準ＢＷＰ６２０は、すべての構成されているＢＷＰの中で最大帯域幅として構成されていてもよい。しかしながら、このようなケースでは、結果として生じるフォールバックＤＣＩは、いくつかの通信リソースを浪費するようなサイズに決められているかもしれない。
【０２０１】
［０２１２］
図６Ｂは、本開示のさまざまな態様による、帯域幅部分に対するシグナリング技法をサポートするＢＷＰ構造６００Ｂの例を示している。いくつかの例では、ＢＷＰ構造６００Ｂは、ワイヤレス通信システム１００および２００の態様を実現してもよい。ＢＷＰ構造６００Ｂは、ＣＳＳ中のフォールバックＤＣＩがアクティブＢＷＰと基準ＢＷＰとの間で共有されているかもしれないことと、ＢＷＰの周波数ドメインリソース割り振りフィールドサイズは、ＢＷＰに関係する基準点（例えば、最低周波数リソース）に少なくとも部分的に基づいて決定されるかもしれないこととを示している。
【０２０２】
［０２１３］
ＵＥ１１５および基地局１０５は、アクティブＢＷＰ６３５を使用して、通信するように構成されていてもよい。アクティブＢＷＰ６３５を使用して通信するために、基地局１０５は、基準ＢＷＰ６４５に関係するフォールバックＤＣＩ（例えば、ＤＣＩフォーマット１＿０、ＤＣＩフォーマット０＿０）６４０を使用して、基地局１０５とのリンクを維持または復元してもよい。基地局１０５は、フォールバックＤＣＩ６４０をＵＥ１１５に送信してもよい。フォールバックＤＣＩ６４０は、アクティブＢＷＰ６３５と基準ＢＷＰ６４５の両方の制御サーチ空間（ＣＳＳ）６５０の中に配置されていてもよい。例えば、フォールバックＤＣＩ６４０と、フォールバックＤＣＩ６４０を含むＣＳＳ６５０は、アクティブＢＷＰ６３５および基準ＢＷＰ６４５の（例えば、ＣＯＲＥＳＥＴ０帯域幅の）最低周波数リソースに配置されていてもよい。いくつかのケースでは、アクティブＢＷＰ６３５および基準ＢＷＰ６４５が、同じＣＳＳ６５０を共有する場合、フォールバックＤＣＩ６４０は、アクティブＢＷＰ６３５と基準ＢＷＰ６４５との間で共有（例えば、共通）されていてもよい。いくつかのケースでは、アクティブＢＷＰ６３５の周波数ドメインリソース割り振りフィールドのサイズは、基準ＢＷＰ６４５に基づいて決定されてもよい。いくつかのケースでは、基準位置６５５は、アクティブＢＷＰ６３５と基準ＢＷＰ６４５の両方に共通の特徴であってもよく、（例えば、ＣＯＲＥＳＥＴ０帯域幅の）最低周波数リソースであってもよい。いくつかの態様では、基準ＢＷＰ６４５は、初期のダウンリンクＢＷＰであってもよく、初期ダウンリンクＢＷＰがシステム情報（例えば、ＳＩＢ１）中で再構成されていない限り、初期ダウンリンクＢＷＰはＣＯＲＥＳＥＴ０帯域幅と同じであるかもしれない。いくつかの態様では、リソースブロック（ＲＢ）番号付けは、ＣＯＲＥＳＥＴ中の最低ＲＢから開始してもよい。いくつかのケースでは、ダウンリンクに対するフォールバックＤＣＩによるＰＲＢアドレス指定は、どのＢＷＰがアクティブであるかにかかわらず、共通であってもよい。
【０２０３】
［０２１４］
基地局１０５と通信している間、ＵＥ１１５は、フォールバックＤＣＩ６４０を監視するかもしれない。フォールバックＤＣＩ６４０を監視するために、ＵＥ１１５は、フォールバックＤＣＩ６４０のサイズが、不変であること、および／または、アクティブＢＷＰ６３５とは無関係であることと、アクティブＢＷＰ６３５のＣＳＳは、基準ＢＷＰ６４５のＣＳＳと同一であることを識別してもよい。フォールバックＤＣＩ６４０の通信リソースを使用して通信した後、基地局１０５は、１つ以上の手順を実行し、アクティブＢＷＰ６３５と非フォールバックＤＣＩとを使用して、リンクを再確立してもよい。基準ＢＷＰ６４５は、予め構成されていてもよく（例えば、デフォルトＢＷＰ）、または、動的に構成されてもよい。
【０２０４】
［０２１５］
図７Ａは、本開示のさまざまな態様による、帯域幅部分に対するシグナリング技法をサポートするプロセスフロー７００Ａの例を示している。いくつかの例では、プロセスフロー７００Ａは、ワイヤレス通信システム１００および２００の態様を実現してもよい。プロセスフロー７００Ａは、ＤＣＩサイズが、ターゲットＢＷＰではなく、アクティブＢＷＰに基づいているときの、ＢＷＰ切り替えイベントを取り扱うための技法を示していてもよい。プロセスフロー７００Ａは、基地局１０５、ＵＥ１１５、または、これらの両方により、実行される機能を含んでいてもよい。プロセスフローは、図３を参照して説明したメッセージ構造のうちのいずれかに関係して使用してもよい。
【０２０５】
［０２１６］
ブロック７０５において、基地局１０５またはＵＥ１１５は、クロスＢＷＰスケジューリング手順を開始してもよい。アクティブＢＷＰ（例えば、現在のＢＷＰ）の周波数ドメインリソースと、ターゲットＢＷＰ（例えば、新しいＢＷＰ）の周波数ドメインリソースの周波数ドメインリソースとの間に不整合があるときに、ＢＷＰ切り替えを可能にするように、クロスＢＷＰスケジューリング手順が構成されていてもよい。クロスＢＷＰスケジューリングでは、ＤＣＩは、アクティブＢＷＰに基づいて解釈されてもよい。例えば、ＵＥ１１５は、アクティブＢＷＰに基づいて、ＢＷＰ切り替えイベントをトリガするスケジューリングＤＣＩ中のリソース割り振りフィールド（例えば、周波数ドメインリソース割り振りフィールド）を含むＤＣＩを解釈してもよい。例えば、ＵＥ１１５は、現在アクティブなＢＷＰの周波数ドメインリソース割り振りフィールドのサイズ（例えば、周波数ドメインリソース割り振りフィールド中に含まれているビットの数）が、ターゲットＢＷＰに対するＢＷＰ識別子により示される周波数ドメインリソース割り振りフィールドサイズよりも大きいまたは小さいことを決定してもよい。いくつかのケースでは、アクティブＢＷＰの周波数ドメインリソース割り振りフィールドサイズは、ターゲットＢＷＰに対して示される周波数ドメインリソース割り振りフィールドサイズよりも大きいかもしれず、または、小さいかもしれず、したがって、アクティブＢＷＰおよびターゲットＢＷＰの周波数ドメインリソース割り振りフィールドサイズは、等しくされるかもしれない。例えば、アクティブＢＷＰの周波数ドメインリソース割り振りフィールドサイズが、ターゲットＢＷＰに対して示される周波数ドメインリソース割り振りフィールドサイズよりも大きい場合、ターゲットＢＷＰに対する周波数ドメインリソース割り振りフィールドサイズは、ＤＣＩの周波数ドメインリソース割り振りフィールドの最下位ビットに基づいて解釈されてもよい。アクティブＢＷＰの物理リソースブロック割り振りは、ターゲットＢＷＰにマッピングされてもよい。
【０２０６】
［０２１７］
ブロック７１０において、基地局１０５またはＵＥ１１５は、クロスＢＷＰスケジューリングがサポートされているか否かを決定してもよい。いくつかのケースでは、この決定は、ＢＷＰ切り替えイベントに関与するＢＷＰの組み合わせに基づいていてもよい。アクティブＢＷＰにマッピングされているいくつかのフィールドおよび／またはリソースは、ターゲットＢＷＰに対して変形可能でないかもしれない。例えば、ＢＷＰ切り替えイベントに関与するＢＷＰに対して、あるフィールドのサイズが異なるように構成されている場合、あるフィールドは変形可能でないかもしれない。いくつかのケースでは、変形可能でないフィールドは、変形可能であるいくつかの共通サイズにパディングされてもよい。いくつかのケースでは、アクティブＢＷＰの周波数ドメインリソース割り振りフィールドサイズが、ターゲットＢＷＰに対して示される周波数ドメインリソース割り振りフィールドサイズよりも小さい場合、アクティブＢＷＰとターゲットＢＷＰの周波数ドメインリソース割り振りフィールドのサイズが等しくなるまで、アクティブＢＷＰの周波数ドメインリソース割り振りフィールドが、０パディング（例えば、１つ以上の０ビットを追加することによりパディングされる）で埋められて、ターゲットＢＷＰの周波数ドメインリソース割り振りフィールドのコンテンツが決定されてもよい。
【０２０７】
［０２１８］
いくつかのケースでは、基地局１０５は、クロスＢＷＰスケジューリングがサポートされていないことを決定することに基づいて、ヌル割り当てを有するＢＷＰ  ＤＣＩを含むメッセージをＵＥ１１５に送信してもよい。基地局１０５は、メッセージを送信した後、（例えば、アップリンクまたはダウンリンクの）スケジューリングＤＣＩを含む別のメッセージを送信してもよい。第２のメッセージでは、基地局１０５は、ターゲットＢＷＰに対するリソースを直接スケジュールしてもよい。
【０２０８】
［０２１９］
ブロック７１５において、基地局１０５またはＵＥ１１５は、ターゲットＢＷＰのリソースが、アクティブＢＷＰのリソースと入れ子にされているか、または、入れ子にされていないか、または、その逆であるか否かを決定してもよい。この決定を行うために、基地局１０５またはＵＥ１１５は、ターゲットＢＷＰの周波数範囲とアクティブＢＷＰの周波数範囲とを識別してもよい。このような周波数範囲が、入れ子にされているか否かを決定するために、基地局１０５またはＵＥ１１５は、周波数範囲を比較して、１つまたは両方の部分的オーバーラップがあるか、それらの間のオーバーラップがないか、または、ＢＷＰのうちの１つの全体オーバーラップが存在するか否かを決定してもよい。入れ子にされるためには、アクティブＢＷＰの周波数範囲は、ターゲットＢＷＰの周波数範囲のサブセットであるかもしれず、または、ターゲットＢＷＰの周波数範囲は、アクティブＢＷＰの周波数範囲のサブセットであるかもしれない。入れ子にされているＢＷＰはまた、同じ帯域幅を有して完全にオーバーラップしているＢＷＰを含んでいる。入れ子にされないためには、アクティブＢＷＰの周波数範囲は、ターゲットＢＷＰの周波数範囲とオーバーラップしていないか、または、アクティブＢＷＰの周波数範囲は、ターゲットＢＷＰの周波数範囲と部分的にオーバーラップしている。割り振られるリソースがアクティブＢＷＰからターゲットＢＷＰにどのようにマッピングされるかは、ＢＷＰが入れ子にされているのかまたは入れ子にされていないのかに基づいていてもよい。ブロック７２０〜７３５は、入れ子にされているＢＷＰに対する機能を説明し、ブロック７４０〜７５５は、入れ子にされていないＢＷＰに対する機能を説明している。代替的に、基地局１０５およびＵＥ１１５は、例えば、図７Ｂに示すように、ターゲットＢＷＰがアクティブＢＷＰと入れ子にされているかまたは入れ子にされていないか否かを決定することをスキップしてもよい。このようなケースでは、基地局１０５および／またはＵＥ１１５は、ターゲットＢＷＰおよびアクティブＢＷＰが、入れ子にされていたとしても、入れ子にされていない動作を仮定するかもしれない。このようなケースでは、リソース割り振りフィールドコンテンツは、アクティブＢＷＰに基づいて解釈され、いくつかのマッピングルールに基づいて、ターゲットＢＷＰに適用されてもよい。
【０２０９】
［０２２０］
リソース間のマッピングのために説明する技法は、マッピングに対する３つのオプションを含んでいるかもしれない。第１のオプションは、アクティブＢＷＰのＰＲＢを、ターゲットＢＷＰ中の同じ周波数位置にマッピングすること（例えば、図８の図形８０５および図形８１０）を含んでいてもよい。第２のオプションは、アクティブＢＷＰのＰＲＢを、ターゲットＢＷＰのシフトされた周波数にマッピングすること（例えば、図８の図形８５０および図形８５５）を含んでいてもよい。第３のオプションは、アクティブＢＷＰのリソースからターゲットＢＷＰに拡張された粒度でマッピングすることを含んでいてもよい。第３のオプションは、ターゲットＢＷＰが、アクティブＢＷＰよりも、より大きい帯域幅またはより大きい周波数範囲を有するときに有用であるかもしれない。いくつかのケースでは、拡張された粒度は、第１のオプションまたは第２のオプションとともに使用してもよい。いくつかのケースでは、基地局１０５および／またはＵＥ１１５は、ＢＷＰ切り替えイベントに対するマッピングオプションを選択してもよい。マッピングオプションは、通信仕様において指定されてもよく、または、それは、リソース割り振りを搬送するのと同じＤＣＩ中で示されてもよく、または、両方の組み合わせ（例えば、オプションのサブセットが指定され、それらの間の選択がＤＣＩ中に示される）であってもよい。いくつかのケースでは、ＤＣＩ中のインジケータは、オプションのうちの１つを選択してもよく、または、インジケータは、いくつかの既存のＤＣＩフィールドに基づいていてもよい。例えば、以下のように、サポートされているマッピングオプションのうちの１つを選択するために、ＤＣＩのＨＡＲＱプロセスＩＤフィールドを使用してもよい。２つのマッピングオプションがある場合、モジュロ２演算が、ＨＡＲＱプロセスＩＤフィールドコンテンツに適用され、２つのマッピングオプションのうちの１つを選択するために、結果を使用してもよい。いくつかのケースでは、サポートされている１６個のＨＡＲＱプロセスＩＤのすべてが、ＨＡＲＱ動作のために使用されていないかもしれないので、マッピングオプションを通信するために、ＨＡＲＱプロセスＩＤフィールドを使用してもよい。説明したように、マッピングオプション選択のために、ＨＡＲＱプロセスＩＤフィールドの未使用値を活用してもよい。
【０２１０】
［０２２１］
ブロック７２０において、基地局１０５またはＵＥ１１５は、アクティブＢＷＰのＰＲＢ割り振りをターゲットＢＷＰにマッピングしてもよい。リソース割り振りフィールドは、アクティブＢＷＰに基づいて解釈され、ＰＲＢ割り振りは、ターゲットＢＷＰに直接マッピングされてもよい。例えば、図８の図形８０５および図形８１０に示されている。具体的には、図形８０５は、より狭いアクティブＢＷＰ８１５が、より広いターゲットＢＷＰ８２０にマッピングされている例を示している。範囲８２５は、アクティブＢＷＰ８１５に対する制御情報に基づいてスケジュール可能である、ターゲットＢＷＰ８２０の一部分を示している。ここで、アクティブＢＷＰ８１５とターゲットＢＷＰ８２０の両方に共通のリソースは、アクティブＢＷＰ８１５のために受信されたメッセージに基づいて、ターゲットＢＷＰ８２０により使用可能である。図形８１０は、より広いアクティブＢＷＰ８３０が、より狭いターゲットＢＷＰ８３５にマッピングされている例を示している。再度説明すると、アクティブＢＷＰ８３０とターゲットＢＷＰ８３５の両方に共通のリソースは、アクティブＢＷＰ８３０のために受信されたメッセージに基づいて、ターゲットＢＷＰ８３５により使用可能である。
【０２１１】
［０２２２］
ブロック７２５において、基地局１０５またはＵＥ１１５は、ターゲットＢＷＰの周波数範囲が、アクティブＢＷＰの周波数範囲よりも狭いことを決定するかもしれない。このような決定はマッピングに影響を与えないかもしれないが、このような決定は、基地局１０５が、アクティブＢＷＰを対象とするメッセージ内でターゲットＢＷＰに対するリソースをどのように割り振るかを変更するかもしれない。
【０２１２】
［０２２３］
例えば、ブロック７３０において、基地局１０５またはＵＥ１１５は、ＢＷＰの周波数範囲が、アクティブＢＷＰの周波数範囲よりも狭いことを決定してもよい。このような決定は、図８の図形８１０により表されているかもしれない。
【０２１３】
［０２２４］
ブロック７３５において、基地局１０５は、アクティブＢＷＰ８３０とターゲットＢＷＰ８３５の両方に共通の通信リソースを識別してもよい。アクティブＢＷＰ８３０に基づいて、リソース割り振りが解釈されるであろうけれども、基地局１０５は、ターゲットＢＷＰ８３５の周波数範囲内でＰＲＢ８４０をスケジュールするように構成されていてもよい。このようなことから、ブロック７３５において、基地局１０５は、アクティブＢＷＰ８３０とターゲットＢＷＰ８３５の両方に共通のリソース中にＰＲＢ割り振りを配置するかもしれない。これは、タイプ１および／またはタイプ０のリソース割り振りの両方に適用可能である。
【０２１４】
［０２２５］
このような方法で、入れ子にされているＢＷＰを取り扱うことは、電力節約を提供するかもしれない。アクティブＢＷＰ上のリソース割り振りの解釈を基礎とすることは、ターゲットＢＷＰとオーバーラップしている通信リソースが、ＢＷＰ切り替えトリガリングＤＣＩによりスケジューリング可能であるという利点を提供する。このようなことから、ＢＷＰ切り替えイベント後、ターゲットＢＷＰのオーバーラップしている部分は、ターゲットＢＷＰに対するＣＱＩが利用可能である前に、スケジューリングされているかもしれない。ターゲットＢＷＰに対するＣＱＩが利用可能となった後、ターゲットＢＷＰ全体がスケジュール可能であるかもしれない。
【０２１５】
［０２２６］
ＢＷＰ切り替えイベント中のＢＷＰが入れ子にされていないケースに対して、または、アルゴリズム単純化のために、入れ子にされているケースがバイパスされて、入れ子にされていないとして扱われるケースに対して、ブロック７４０において、基地局１０５またはＵＥ１１５は、リソース割り振りメッセージ中に示されるアクティブＢＷＰのリソースをターゲットＢＷＰにマッピングするために、１つ以上の固定されたアレイメントルールを適用するかもしれない。図８の図形８５０および図形８５５は、入れ子にされていないＢＷＰに対するＢＷＰ切り替えイベント間に適用されるかもしれない固定されたアライメントルールの２つの例を示している。例えば、図形８５０は、アクティブＢＷＰ８６０がオフセットなしでターゲットＢＷＰ８６５にマッピングされている例を示している。図形８５５は、アクティブＢＷＰ８７０がオフセットを有してターゲットＢＷＰ８７５にマッピングされている例を示している。
【０２１６】
［０２２７］
いくつかのケースでは、ブロック７４５において、基地局１０５またはＵＥ１１５は、アクティブＢＷＰ８６０内のＰＲＢ８８５の基準位置８８０を識別してもよい。基準位置８８０は、アクティブＢＷＰ８６０およびターゲットＢＷＰ８６５の両方に共通の特徴として構成されていてもよい。例えば、基準位置８８０は、アクティブＢＷＰ８６０の最低周波数リソースであってもよい。基地局１０５またはＵＥ１１５が、基準位置８８０に対するＰＲＢ８８５の位置を知っている場合、基地局１０５またはＵＥ１１５は、基準位置８８０と、基準位置８８０からのＰＲＢ８８５の既知の相対距離とに基づいて、ターゲットＢＷＰ８６５に対するＰＲＢ８８５を識別することが可能かもしれない。基地局１０５は、基準位置８８０を使用して、ＰＲＢ８８５を正確に配置するかもしれず、ＵＥ１１５は、基準位置８８０を使用して、ＰＲＢ８８５がターゲットＢＷＰ８６５のどこにあるべきかを決定するかもしれない。フォールバックＤＣＩを使用するいくつかの例では、フォールバックＤＣＩに関係する基準位置は、図６Ｂに示すように、アクティブＢＷＰの（例えば、ＣＯＲＥＳＥＴ０帯域幅の）最低周波数リソースであってもよい。
【０２１７】
［０２２８］
いくつかのケースでは、ブロック７５０において、基地局１０５またはＵＥ１１５は、アクティブＢＷＰ８７０内のＰＲＢ８９５の位置に対する、ターゲットＢＷＰ８７５内のＰＲＢ８９５のオフセット８９０を識別してもよい。オフセット８９０は、アクティブＢＷＰ８７０内の基準位置８８０またはＰＲＢ８９５のそれぞれの位置に対する、ターゲットＢＷＰ８７５内の基準位置８８０またはＰＲＢ８９５の変位を表していてもよい。例えば、オフセット８９０は、アクティブＢＷＰ８７０の最低リソースが、ターゲットＢＷＰ８７５の（最低リソース以外の）他の何らかのリソースにマッピングされることを示していてもよい。例えば、アクティブＢＷＰ８７０の最低リソースは、ターゲットＢＷＰ８７５の最低のリソースに３つのリソース（例えば、オフセット）を加えたものにマッピングされていてもよい。いくつかのケースでは、オフセット８９０は、リソース割り振りを搬送するＤＣＩ中で示されていてもよい。ＤＣＩ中のインジケータを使用してもよく、または、インジケータは、いくつかの既存のＤＣＩフィールドに基づいていてもよい。例えば、サポートされているオフセットのうちの１つを選択するために、ＨＡＲＱプロセスＩＤフィールドを使用してもよく、サポートされるオフセットは、仕様において予め規定することができ、または、コンフィギュレーションに基づかせることができる。例えば、以下のオフセット（ＰＲＢの数）｛０、４、８、１２｝がサポートされていてもよい。モジュロ４演算をＨＡＲＱプロセスＩＤに適用して、４つのオフセットのうちの１つを選択してもよい。サポートされているオフセットの粒度は、これらに限定されないが、ＲＢＧサイズ、ターゲットＢＷＰのサイズ、ターゲットＢＷＰとアクティブＢＷＰの間の相対的な差、または、これらの任意の組み合わせのうちのいずれか１つに依存していてもよい。
【０２１８】
［０２２９］
ブロック７５５において、基地局１０５またはＵＥ１１５は、ターゲットＢＷＰを使用して通信してもよい。ターゲットＢＷＰに対して、いったんＣＱＩが取得されると、基地局１０５またはＵＥ１１５は、ターゲットＢＷＰに直接関連するメッセージ（例えば、スケジューリングメッセージ）を交換することが可能であるかもしれない。
【０２１９】
［０２３０］
図７Ｂは、本開示のさまざまな態様による、帯域幅部分に対するシグナリング技法をサポートするプロセスフロー７００Ｂの例を示している。いくつかの例では、プロセスフロー７００Ｂは、ワイヤレス通信システム１００および２００の態様を実現してもよい。プロセスフロー７００Ｂは、ＤＣＩサイズ（例えば、ＤＣＩ中に含まれている情報フィールドのサイズ、例えば、周波数ドメインリソース割り振りフィールドを含む情報フィールドのサイズ）が、アクティブＢＷＰに基づいているときの、ＢＷＰ切り替えイベントを取り扱うための技法を示していてもよい。プロセスフロー７００Ｂは、基地局１０５、ＵＥ１１５、または、これらの両方により実行される機能を含んでいてもよい。プロセスフローは、図３を参照して説明したメッセージ構造のうちのいずれかに関係して使用してもよい。
【０２２０】
［０２３１］
ブロック７６５において、基地局１０５またはＵＥ１１５は、クロスＢＷＰスケジューリング手順を開始してもよい。アクティブＢＷＰ（例えば、現在のＢＷＰ）の周波数ドメインリソース（例えば、周波数ドメインリソース割り振りフィールドのサイズ）と、ターゲットＢＷＰ（例えば、新しいＢＷＰ）の周波数ドメインリソース（例えば、ターゲットＢＷＰに対して示される周波数ドメインリソース割り振りフィールドのサイズ）との間に不整合があるときに、ＢＷＰ切り替えを可能にするように、クロスＢＷＰスケジューリング手順が構成されていてもよい。クロスＢＷＰスケジューリングでは、ＤＣＩは、アクティブＢＷＰに基づいて解釈されてもよい。アクティブＢＷＰの物理リソースブロック割り振りは、ターゲットＢＷＰにマッピングされてもよい。
【０２２１】
［０２３２］
ブロック７７０において、基地局１０５またはＵＥ１１５は、クロスＢＷＰスケジューリングがサポートされているか否かを決定してもよい。いくつかのケースでは、この決定は、ＢＷＰ切り替えイベントに関与するＢＷＰの組み合わせに基づいていてもよい。
【０２２２】
［０２３３］
ブロック７７５において、基地局１０５またはＵＥ１１５は、リソース割り振りメッセージ中に示されるアクティブＢＷＰのリソースをターゲットＢＷＰにマッピングするための１つ以上の固定されたアライメントルールを適用してもよい。図８の図形８５０および図形８５５は、入れ子にされていないＢＷＰに対するＢＷＰ切り替えイベント間に適用されてもよい固定されたアライメントルールの２つの例を示している。例えば、図形８５０は、アクティブＢＷＰ８６０が、オフセットなしでターゲットＢＷＰ８６５にマッピングされている例を示している。図形８５５は、アクティブＢＷＰ８７０が、オフセットを有してターゲットＢＷＰ８７５にマッピングされている例を示している。
【０２２３】
［０２３４］
いくつかのケースでは、ブロック７８０において、基地局１０５またはＵＥ１１５は、アクティブＢＷＰ８６０内のＰＲＢ８８５の基準位置８８０を識別してもよい。基準位置８８０は、アクティブＢＷＰ８６０とターゲットＢＷＰ８６５の両方に共通の特徴として構成されていてもよい。例えば、基準位置８８０は、アクティブＢＷＰ８６０の最低周波数リソースであってもよい。基地局１０５またはＵＥ１１５が、基準位置８８０に対するＰＲＢ８８５の位置を知っている場合、基地局１０５またはＵＥ１１５は、基準位置８８０と、基準位置８８０からのＰＲＢ８８５の既知の相対距離とに基づいて、ターゲットＢＷＰ８６５に対するＰＲＢ８８５を識別することが可能であるかもしれない。基地局１０５は、基準位置８８０を使用して、ＰＲＢ８８５を正確に配置し、ＵＥ１１５は、基準位置８８０を使用して、ＰＲＢ８８５がターゲットＢＷＰ８６５中のどこにあるべきかを決定してもよい。
【０２２４】
［０２３５］
いくつかのケースでは、ブロック７８５において、基地局１０５またはＵＥ１１５は、アクティブＢＷＰ８７０内のＰＲＢ８９５の位置に対する、ターゲットＢＷＰ８７５内のＰＲＢ８９５のオフセット８９０を識別してもよい。オフセット８９０は、アクティブＢＷＰ８７０内の基準位置８８０またはＰＲＢ８９５のそれぞれの位置に対する、ターゲットＢＷＰ８７５内の基準位置８８０またはＰＲＢ８９５の変位を表していてもよい。
【０２２５】
［０２３６］
ブロック７９０において、基地局１０５またはＵＥ１１５は、ターゲットＢＷＰを使用して通信してもよい。ターゲットＢＷＰに対して、いったんＣＱＩが取得されると、基地局１０５またはＵＥ１１５は、ターゲットＢＷＰに直接関連するメッセージ（例えば、スケジューリングメッセージ）を交換することが可能であってもよい。
【０２２６】
［０２３７］
図８は、本開示のさまざまな態様による、帯域幅部分に対するシグナリング技法をサポートする図形８００の例を示している。いくつかの例では、図形８００は、ワイヤレス通信システム１００および２００の態様を実現してもよい。図形８００は、異なるタイプのＢＷＰ切り替えイベントと、ＢＷＰ切り替えイベントの間に、異なるＢＷＰのマッピングがどのように取り扱われるかもしれないかとを示しているかもしれない。例えば、図形８００は、入れ子にされているＢＷＰ間のＢＷＰ切り替えイベントに対する図形８０５および図形８１０と、入れ子にされていないＢＷＰ間のＢＷＰ切り替えイベントに対する図形８５０および図形８５５とを含んでいるかもしれない。
【０２２７】
［０２３８］
図形８０５は、より狭いアクティブＢＷＰ８１５とより広いターゲットＢＷＰ８２０との間のＢＷＰ切り替えイベントの例を示しているかもしれない。図形８１０は、より広いアクティブＢＷＰ８３０とより狭いターゲットＢＷＰ８３５との間のＢＷＰ切り替えイベントの例を示しているかもしれない。図形８５０は、オフセットを使用することなく、入れ子にされていないアクティブＢＷＰ８６０からターゲットＢＷＰ８６５へのＢＷＰ切り替えイベントの例を示しているかもしれない。図形８５５は、オフセット８９０を使用した、ターゲットＢＷＰ８７５と入れ子にされていないアクティブＢＷＰ８７０に対するＢＷＰ切り替えイベントの例を示しているかもしれない。これらのＢＷＰ切り替えイベントについての具体的な詳細は、図７を参照して説明している。
【０２２８】
［０２３９］
図９は、本開示の態様による、帯域幅部分に対するシグナリング技法をサポートするワイヤレスデバイス９０５のブロック図９００を示している。ワイヤレスデバイス９０５は、ここで説明するようなユーザ機器（ＵＥ）１１５の態様の例であってもよい。ワイヤレスデバイス９０５は、受信機９１０と、ＵＥ帯域幅部分マネージャー９１５と、送信機９２０とを含んでいてもよい。ワイヤレスデバイス９０５はまた、プロセッサを含んでいてもよい。これらのコンポーネントのそれぞれは、（例えば、１つ以上のバスを介して）互いに通信してもよい。
【０２２９】
［０２４０］
受信機９１０は、さまざまな情報チャネル（例えば、制御チャネル、データチャネル、および、帯域幅部分に対するシグナリング技法に関連する情報など）に関係する、パケット、ユーザデータ、または、制御情報のような、情報を受信してもよい。情報は、デバイス９０５の他のコンポーネントに渡されてもよい。受信機９１０は、図１２を参照して説明するトランシーバ１２３５の態様の例であってもよい。受信機９１０は、単一のアンテナまたはアンテナのセットを利用してもよい。
【０２３０】
［０２４１］
ＵＥ帯域幅部分マネージャー９１５は、図１２を参照して説明するＵＥ帯域幅部分マネージャー１２１５の態様の例であってもよい。
【０２３１】
［０２４２］
ＵＥ帯域幅部分マネージャー９１５および／またはそのさまざまなサブコンポーネントのうちの少なくともいくつかは、ハードウェア、プロセッサにより実行されるソフトウェア、ファームウェア、または、これらの任意の組み合わせで実現してもよい。プロセッサにより実行されるソフトウェアで実現される場合、ＵＥ帯域幅部分マネージャー９１５および／またはそのさまざまなサブコンポーネントの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）、または、他のプログラマブル論理デバイス、ディスクリートゲートまたはトランジスタ論理、ディスクリートハードウェアコンポーネント、あるいは、本開示で説明する機能を実行するように設計されているこれらの任意の組み合わせにより実行してもよい。ＵＥ帯域幅部分マネージャー９１５および／またはそのさまざまなサブコンポーネントのうちの少なくともいくつかは、機能の一部分が、１つ以上の物理デバイスにより異なる物理的位置において実現されるように分散されることを含む、さまざまな位置に物理的に位置していてもよい。いくつかの例では、ＵＥ帯域幅部分マネージャー９１５および／またはそのさまざまなサブコンポーネントのうちの少なくともいくつかは、本開示のさまざまな態様による、別個の異なるコンポーネントであってもよい。他の例では、ＵＥ帯域幅部分マネージャー９１５および／またはそのさまざまなサブコンポーネントのうちの少なくともいくつかは、本開示のさまざまな態様による、限定はしないが、Ｉ／Ｏコンポーネント、トランシーバ、ネットワークサーバ、別のコンピューティングデバイス、本開示で説明する１つ以上の他のコンポーネント、または、これらの組み合わせを含む、１つ以上の他のハードウェアコンポーネントと組み合わせてもよい。
【０２３２】
［０２４３］
ＵＥ帯域幅部分マネージャー９１５は、ＵＥ１１５に通信リソースを割り振り、搬送波の帯域幅部分（ＢＷＰ）識別子フィールドとリソース割り振りフィールドとを含む、ダウンリンク制御情報（ＤＣＩ）を受信してもよく、リソース割り振りフィールドは、ＵＥ１１５により使用されている搬送波のアクティブＢＷＰのサイズに基づいている長さを有し、ＢＷＰ識別子フィールド中に含まれている情報に基づいて、ＵＥ１１５に搬送波のアクティブＢＷＰからターゲットＢＷＰに変更させるＢＷＰ切り替えイベントを識別してもよく、リソース割り振りフィールド中の情報に基づいて、搬送波のアクティブＢＷＰとターゲットＢＷＰの両方に共通の通信リソースを識別してもよく、リソース割り振りフィールド中に含まれている搬送波のターゲットＢＷＰの通信リソースの一部分を使用して、基地局と通信してもよく、通信リソースの一部分は、搬送波のアクティブＢＷＰとターゲットＢＷＰの両方に共通の通信リソースを含んでいる。いくつかの例では、ＵＥ帯域幅部分マネージャー９１５は、ターゲットＢＷＰの周波数ドメインリソース割り振りフィールドが、アクティブＢＷＰの周波数ドメインリソース割り振りフィールドよりも大きいかまたは小さいか否かを決定してもよく、ＰＲＢ割り振りに関係する、ターゲットＢＷＰの通信リソースを識別することは、ターゲットＢＷＰの周波数ドメインリソース割り振りフィールドが、アクティブＢＷＰの周波数ドメインリソース割り振りフィールドよりも大きいかまたは小さいか否かを決定することに少なくとも部分的に基づいている。いくつかの例では、ＵＥ帯域幅部分マネージャー９１５は、ターゲットＢＷＰの周波数ドメインリソース割り振りフィールドが、アクティブＢＷＰの周波数ドメインリソース割り振りフィールドよりも小さいことを決定することに少なくとも部分的に基づいて、ＤＣＩの最下位ビットに少なくとも部分的に基づいている情報を識別してもよい。いくつかの例では、ＵＥ帯域幅部分マネージャー９１５は、ターゲットＢＷＰの周波数ドメインリソース割り振りフィールドが、アクティブＢＷＰの周波数ドメインリソース割り振りフィールドよりも大きいことを決定することに少なくとも部分的に基づいて、０パディングで、アクティブＢＷＰの周波数ドメインリソース割り振りフィールドを埋めてもよい。
【０２３３】
［０２４４］
ＵＥ帯域幅部分マネージャー９１５はまた、搬送波のアクティブ帯域幅部分（ＢＷＰ）に対する、非フォールバックＤＣＩとフォールバックＤＣＩとを監視してもよく、フォールバックＤＣＩの長さは、搬送波のアクティブＢＷＰとは異なる基準ＢＷＰのサイズに基づいており、ＵＥ１１５の搬送波のアクティブＢＷＰが基地局と非同期であることを決定してもよく、ＵＥ１１５の搬送波のアクティブＢＷＰが基地局と非同期であることを決定することに基づいて、フォールバックＤＣＩ中に示される通信リソースを識別してもよく、フォールバックＤＣＩ中に示される通信リソースを使用して、基地局１０５と通信してもよい。
【０２３４】
［０２４５］
ＵＥ帯域幅部分マネージャー９１５は、ＵＥ１１５に通信リソースを割り振り、帯域幅部分（ＢＷＰ）識別子フィールドとリソース割り振りフィールドとを含む、ＤＣＩを受信してもよく、リソース割り振りフィールドは、ＵＥ１１５により使用されているアクティブＢＷＰのサイズに基づいている長さを有し、ターゲットＢＷＰの識別された通信リソースを使用して、基地局１０５と通信してもよく、ＢＷＰ識別子フィールド中に含まれている情報に基づいて、ＵＥ１１５にアクティブＢＷＰからターゲットＢＷＰに変更させるＢＷＰ切り替えイベントを識別してもよく、ＢＷＰ切り替えイベントを識別することに基づいて、アクティブＢＷＰ中の物理リソースブロック割り振り（ＰＲＢ）に関係する、ターゲットＢＷＰの通信リソースを識別してもよい。
【０２３５】
［０２４６］
送信機９２０は、デバイス９０５の他のコンポーネントにより発生される信号を送信してもよい。いくつかの例では、送信機９２０は、トランシーバモジュール中の受信機９１０とコロケートさせてもよい。例えば、送信機９２０は、図１２を参照して説明するトランシーバ１２３５の態様の例であってもよい。送信機９２０は、単一のアンテナまたはアンテナのセットを利用してもよい。
【０２３６】
［０２４７］
図１０は、本開示の態様による、帯域幅部分に対するシグナリング技法をサポートするワイヤレスデバイス１００５のブロック図１０００を示している。ワイヤレスデバイス１００５は、図９を参照して説明したような、ワイヤレスデバイス９０５またはＵＥ１１５の態様の例であってもよい。ワイヤレスデバイス１００５は、受信機１０１０と、ＵＥ帯域幅部分マネージャー１０１５と、送信機１０２０とを含んでいてもよい。ワイヤレスデバイス１００５はまた、プロセッサを含んでいてもよい。これらのコンポーネントのそれぞれは、（例えば、１つ以上のバスを介して）互いに通信してもよい。
【０２３７】
［０２４８］
受信機１０１０は、さまざまな情報チャネル（例えば、制御チャネル、データチャネル、および、帯域幅部分に対するシグナリング技法に関連する情報など）に関係する、パケット、ユーザデータ、または、制御情報のような、情報を受信してもよい。情報は、デバイス１００５の他のコンポーネントに渡されてもよい。受信機１０１０は、図１２を参照して説明するトランシーバ１２３５の態様の例であってもよい。受信機１０１０は、単一のアンテナまたはアンテナのセットを利用してもよい。
【０２３８】
［０２４９］
ＵＥ帯域幅部分マネージャー１０１５は、図１２を参照して説明するＵＥ帯域幅部分マネージャー１２１５の態様の例であってもよい。ＵＥ帯域幅部分マネージャー１０１５はまた、通信マネージャー１０２５と、切り替えイベントマネージャー１０３０と、リソースマネージャー１０３５とを含んでいてもよい。
【０２３９】
［０２５０］
通信マネージャー１０２５は、ＵＥ１１５に通信リソースを割り振り、搬送波の帯域幅部分（ＢＷＰ）識別子フィールドとリソース割り振りフィールドとを含む、ＤＣＩを受信してもよく、リソース割り振りフィールドは、ＵＥ１１５により使用されている搬送波のアクティブＢＷＰのサイズに基づいている長さを有し、リソース割り振りフィールド中に含まれている搬送波のターゲットＢＷＰの通信リソースの一部分を使用して、基地局と通信してもよく、通信リソースの一部分は、搬送波のアクティブＢＷＰとターゲットＢＷＰの両方に共通の通信リソースを含み、搬送波のターゲットＢＷＰの通信リソースの一部分を使用して、基地局１０５と通信することに基づいて、搬送波のターゲットＢＷＰを使用するＵＥ１１５に対するリソースを割り振る第２のＤＣＩを受信してもよく、第２のＤＣＩは、ＵＥ１１５により使用されている搬送波のターゲットＢＷＰのサイズに基づいている第２の長さを有する第２のリソース割り振りフィールドを含み、第２の長さは、ＤＣＩ中のリソース割り振りフィールドの長さよりも長く、第２のＤＣＩのリソース割り振りフィールド中に含まれている搬送波のターゲットＢＷＰのすべての通信リソースを使用して、基地局１０５と通信してもよく、搬送波のアクティブ帯域幅部分（ＢＷＰ）に対する、非フォールバックＤＣＩとフォールバックＤＣＩを監視してもよく、フォールバックＤＣＩの長さは、搬送波のアクティブＢＷＰとは異なる基準ＢＷＰのサイズに基づいており、フォールバックＤＣＩ中に示される通信リソースを使用して、基地局１０５と通信してもよく、基地局１０５から情報を受信して、基準ＢＷＰを動的に構成してもよい。
【０２４０】
［０２５１］
通信マネージャー１０２５は、ＵＥ１１５に通信リソースを割り振り、搬送波の帯域幅部分（ＢＷＰ）識別子フィールドとリソース割り振りフィールドとを含む、ＤＣＩを受信してもよく、リソース割り振りフィールドは、ＵＥ１１５により使用されている搬送波のアクティブＢＷＰのサイズに基づいている長さを有し、ターゲットＢＷＰの識別された通信リソースを使用して、基地局１０５と通信してもよい。
【０２４１】
［０２５２］
通信マネージャー１０２５は、ＵＥ１１５に通信リソースを割り振り、帯域幅部分（ＢＷＰ）識別子フィールドとリソース割り振りフィールドとを含む、ＤＣＩを受信してもよく、リソース割り振りフィールドは、ＵＥ１１５により使用されているアクティブＢＷＰのサイズに基づいている長さを有し、ターゲットＢＷＰの識別された通信リソースを使用して、基地局１０５と通信してもよい。
【０２４２】
［０２５３］
切り替えイベントマネージャー１０３０は、ＢＷＰ識別子フィールド中に含まれている情報に基づいて、ＵＥ１１５に搬送波のアクティブＢＷＰからターゲットＢＷＰに変更させるＢＷＰ切り替えイベントを識別してもよい。
【０２４３】
［０２５４］
切り替えイベントマネージャー１０３０は、ＢＷＰ識別子フィールド中に含まれている情報に基づいて、ＵＥ１１５に搬送波のアクティブＢＷＰからターゲットＢＷＰに変更させるＢＷＰ切り替えイベントを識別してもよく、ＢＷＰ切り替えイベントを識別することに基づいて、ターゲットＢＷＰのリソースが、アクティブＢＷＰのリソースと入れ子にされていないことを決定してもよい。
【０２４４】
［０２５５］
切り替えイベントマネージャー１０３０は、ＢＷＰ識別子フィールド中に含まれている情報に基づいて、ＵＥ１１５にアクティブＢＷＰからターゲットＢＷＰに変更させるＢＷＰ切り替えイベントを識別してもよい。
【０２４５】
［０２５６］
リソースマネージャー１０３５は、リソース割り振りフィールド中の情報に基づいて、搬送波のアクティブＢＷＰとターゲットＢＷＰの両方に共通の通信リソースを識別してもよく、ＵＥ１１５の搬送波のアクティブＢＷＰが基地局と非同期であることを決定してもよく、ＵＥ１１５の搬送波のアクティブＢＷＰが基地局と非同期であることを決定することに基づいて、フォールバックＤＣＩ中に示される通信リソースを識別してもよい。いくつかのケースでは、搬送波のアクティブＢＷＰに対するリソース割り振りフィールドの長さは、搬送波のターゲットＢＷＰに対する第２のリソース割り振りフィールドの第２の長さよりも短い。いくつかのケースでは、搬送波のアクティブＢＷＰに対するリソース割り振りフィールドの長さは、搬送波のターゲットＢＷＰ中で利用可能な通信リソースのすべてを割り振るのには不十分である。いくつかのケースでは、ＤＣＩは、非フォールバックＤＣＩである。いくつかのケースでは、フォールバックＤＣＩの長さは、搬送波のアクティブＢＷＰのサイズとは無関係である。いくつかのケースでは、基準ＢＷＰは、静的に予め構成されている。
【０２４６】
［０２５７］
リソースマネージャー１０３５は、ターゲットＢＷＰのリソースが、アクティブＢＷＰのリソースと入れ子にされていないことを決定することに基づいて、アクティブＢＷＰ中の物理リソースブロック（ＰＲＢ）割り振りに関係する、ターゲットＢＷＰの通信リソースを識別してもよい。
【０２４７】
［０２５８］
リソースマネージャー１０３５は、ＢＷＰ切り替えイベントを識別することに基づいて、アクティブＢＷＰ中の物理リソースブロック（ＰＲＢ）割り振りに関係する、ターゲットＢＷＰの通信リソースを識別してもよい。
【０２４８】
［０２５９］
送信機１０２０は、デバイス１００５の他のコンポーネントにより発生される信号を送信してもよい。いくつかの例では、送信機１０２０は、トランシーバモジュール中の受信機１０１０とコロケートさせてもよい。例えば、送信機１０２０は、図１２を参照して説明するトランシーバ１２３５の態様の例であってもよい。送信機１０２０は、単一のアンテナまたはアンテナのセットを利用してもよい。
【０２４９】
［０２６０］
図１１は、本開示の態様による、帯域幅部分に対するシグナリング技法をサポートするＵＥ帯域幅部分マネージャー１１１５のブロック図１１００を示している。ＵＥ帯域幅部分マネージャー１１１５は、図９、図１０、および、図１２を参照して説明する、ＵＥ帯域幅部分マネージャー９１５、ＵＥ帯域幅部分マネージャー１０１５、または、ＵＥ帯域幅部分マネージャー１２１５の態様の例であってもよい。ＵＥ帯域幅部分マネージャー１１１５は、通信マネージャー１１２０と、切り替えイベントマネージャー１１２５と、リソースマネージャー１１３０と、ＢＷＰ識別子マネージャー１１３５と、周波数範囲マネージャー１１４０と、マッピングマネージャー１１４５と、オーバーラップマネージャー１１５０と、非フォールバックＤＣＩマネージャー１１５５と、ＣＳＳマネージャー１１６０とを含んでいてもよい。これらのモジュールのそれぞれは、直接的または間接的に、（例えば、１つ以上のバスを介して）互いに通信してもよい。
【０２５０】
［０２６１］
通信マネージャー１１２０は、ＵＥ１１５に通信リソースを割り振り、搬送波の帯域幅部分（ＢＷＰ）識別子フィールドとリソース割り振りフィールドとを含む、ＤＣＩを受信してもよく、リソース割り振りフィールドは、ＵＥ１１５により使用されている搬送波のアクティブＢＷＰのサイズに基づいている長さを有し、リソース割り振りフィールド中に含まれている、搬送波のターゲットＢＷＰの通信リソースの一部分を使用して、基地局１０５と通信してもよく、通信リソースの一部分は、搬送波のアクティブＢＷＰとターゲットＢＷＰの両方に共通の通信リソースを含み、搬送波のターゲットＢＷＰの通信リソースの一部分を使用して、基地局１０５と通信することに基づいて、搬送波のターゲットＢＷＰを使用するＵＥ１１５に対するリソースを割り振る第２のＤＣＩを受信してもよく、第２のＤＣＩは、ＵＥ１１５により使用されている搬送波のターゲットＢＷＰのサイズに基づいている第２の長さを有する第２のリソース割り振りフィールドを含み、第２の長さは、ＤＣＩ中のリソース割り振りフィールドの長さよりも長く、第２のＤＣＩのリソース割り振りフィールド中に含まれている搬送波のターゲットＢＷＰのすべての通信リソースを使用して、基地局１０５と通信してもよく、搬送波のアクティブ帯域幅部分（ＢＷＰ）に対する、非フォールバックＤＣＩとフォールバックＤＣＩを監視してもよく、フォールバックＤＣＩの長さは、搬送波のアクティブＢＷＰとは異なる基準ＢＷＰのサイズに基づいており、フォールバックＤＣＩ中に示される通信リソースを使用して、基地局１０５と通信してもよく、基地局１０５から情報を受信して、基準ＢＷＰを動的に構成してもよい。
【０２５１】
［０２６２］
通信マネージャー１１２０は、ＵＥ１１５に通信リソースを割り振り、搬送波の帯域幅部分（ＢＷＰ）識別子フィールドとリソース割り振りフィールドとを含む、ＤＣＩを受信してもよく、リソース割り振りフィールドは、ＵＥ１１５により使用されている搬送波のアクティブＢＷＰのサイズに基づいている長さを有し、ターゲットＢＷＰの識別された通信リソースを使用して、基地局１０５と通信してもよい。
【０２５２】
［０２６３］
通信マネージャー１１２０は、ＵＥ１１５に通信リソースを割り振り、帯域幅部分（ＢＷＰ）識別子フィールドとリソース割り振りフィールドとを含む、ＤＣＩを受信してもよく、リソース割り振りフィールドは、ＵＥ１１５により使用されているアクティブＢＷＰのサイズに基づいている長さを有していてもよい。いくつかの例では、通信マネージャー１１２０は、ターゲットＢＷＰの識別された通信リソースを使用して、基地局１０５と通信してもよい。
【０２５３】
［０２６４］
切り替えイベントマネージャー１１２５は、ＢＷＰ識別子フィールド中に含まれている情報に基づいて、ＵＥ１１５に搬送波のアクティブＢＷＰからターゲットＢＷＰに変更させるＢＷＰ切り替えイベントを識別してもよい。切り替えイベントマネージャー１１２５は、ＢＷＰ識別子フィールド中に含まれている情報に基づいて、ＵＥ１１５に搬送波のアクティブＢＷＰからターゲットＢＷＰに変更させるＢＷＰ切り替えイベントを識別してもよく、ＢＷＰ切り替えイベントを識別することに基づいて、ターゲットＢＷＰのリソースが、アクティブＢＷＰのリソースと入れ子にされていないことを決定してもよい。
【０２５４】
［０２６５］
切り替えイベントマネージャー１１２５は、ＢＷＰ識別子フィールド中に含まれている情報に基づいて、ＵＥ１１５にアクティブＢＷＰからターゲットＢＷＰに変更させるＢＷＰ切り替えイベントを識別してもよい。
【０２５５】
［０２６６］
リソースマネージャー１１３０は、リソース割り振りフィールド中の情報に基づいて、搬送波のアクティブＢＷＰとターゲットＢＷＰの両方に共通の通信リソースを識別してもよく、ＵＥ１１５の搬送波のアクティブＢＷＰが基地局と非同期であることを決定してもよく、ＵＥ１１５の搬送波のアクティブＢＷＰが基地局と非同期であることを決定することに基づいて、フォールバックＤＣＩ中に示される通信リソースを識別してもよい。いくつかのケースでは、搬送波のアクティブＢＷＰに対するリソース割り振りフィールドの長さは、搬送波のターゲットＢＷＰに対する第２のリソース割り振りフィールドの第２の長さよりも短い。いくつかのケースでは、搬送波のアクティブＢＷＰに対するリソース割り振りフィールドの長さは、搬送波のターゲットＢＷＰ中で利用可能な通信リソースのすべてを割り振るのには不十分である。いくつかのケースでは、ＤＣＩは、非フォールバックＤＣＩである。いくつかのケースでは、フォールバックＤＣＩの長さは、搬送波のアクティブＢＷＰのサイズとは無関係である。いくつかのケースでは、基準ＢＷＰは、静的に予め構成されている。
【０２５６】
［０２６７］
リソースマネージャー１１３０は、ターゲットＢＷＰのリソースが、アクティブＢＷＰのリソースと入れ子にされていないことを決定することに基づいて、アクティブＢＷＰ中の物理リソースブロック（ＰＲＢ）割り振りに関係する、ターゲットＢＷＰの通信リソースを識別してもよい。いくつかのケースでは、１つより多いリソースブロック（ＲＢ）がＢＷＰに対して割り振られていることをＤＣＩ中の単一ビットが示すように、ＵＥ１１５に通信リソースを割り振る受信されたＤＣＩは、リソースブロックグループ（ＲＢＧ）毎のベースで、通信リソースを割り振る。
【０２５７】
［０２６８］
リソースマネージャー１１３０は、ＢＷＰ切り替えイベントを識別することに基づいて、アクティブＢＷＰ中の物理リソースブロック（ＰＲＢ）割り振りに関係する、ターゲットＢＷＰの通信リソースを識別してもよい。
【０２５８】
［０２６９］
ＢＷＰ識別子マネージャー１１３５は、ＤＣＩのＢＷＰ識別子フィールドが、通信するためにＵＥ１１５により使用されている搬送波のアクティブＢＷＰとは異なるＢＷＰを識別することを決定してもよく、ＢＷＰ切り替えイベントを識別することは、ＤＣＩのＢＷＰ識別子フィールドが、搬送波のアクティブＢＷＰとは異なるＢＷＰを識別することを決定することに基づいている。
【０２５９】
［０２７０］
周波数範囲マネージャー１１４０は、搬送波のアクティブＢＷＰの第１の周波数範囲が、搬送波のターゲットＢＷＰの第２の周波数範囲と少なくとも部分的にオーバーラップしていることを決定してもよく、搬送波のアクティブＢＷＰと搬送波のターゲットＢＷＰの両方に共通の通信リソースを識別することは、搬送波のアクティブＢＷＰの第１の周波数範囲が、搬送波のターゲットＢＷＰの第２の周波数範囲と少なくとも部分的にオーバーラップしていることを決定することに基づいており、基準ＢＷＰの第１の周波数範囲が、搬送波のアクティブＢＷＰの第２の周波数範囲のサブセットであることを決定してもよく、フォールバックＤＣＩ中に示される通信リソースを識別することは、基準ＢＷＰの第１の周波数範囲が、搬送波のアクティブＢＷＰの第２の周波数範囲のサブセットであることを決定することに基づいている。いくつかのケースでは、搬送波のターゲットＢＷＰの第２の周波数範囲は、搬送波のアクティブＢＷＰの第１の周波数範囲よりも広い。いくつかのケースでは、搬送波のアクティブＢＷＰの第１の周波数範囲は、搬送波のターゲットＢＷＰの第２の周波数範囲内に入れ子にされている。
【０２６０】
［０２７１］
周波数範囲マネージャー１１４０は、ターゲットＢＷＰの周波数範囲の一部分が、アクティブＢＷＰの周波数範囲を除外していることを決定してもよく、アクティブＢＷＰの周波数範囲の一部分が、ターゲットＢＷＰの周波数範囲を除外していることを決定してもよく、ターゲットＢＷＰのリソースが、アクティブＢＷＰのリソースと入れ子にされていないことを決定することは、この決定に基づいている。
【０２６１】
［０２７２］
周波数範囲マネージャー１１４０は、ターゲットＢＷＰの周波数範囲が、アクティブＢＷＰの周波数範囲よりも広いかまたは狭いか否かを決定してもよく、ＰＲＢ割り振りに関係する、ターゲットＢＷＰの通信リソースを識別することは、ターゲットＢＷＰの周波数範囲が、アクティブＢＷＰの周波数範囲よりも広いかまたは狭いか否かを決定することに基づいている。
【０２６２】
［０２７３］
マッピングマネージャー１１４５は、搬送波のアクティブＢＷＰに対するリソース割り振りフィールド中に含まれている通信リソースを、搬送波のターゲットＢＷＰに対する通信リソースにマッピングしてもよく、搬送波のアクティブＢＷＰと搬送波のターゲットＢＷＰとの両方に共通の通信リソースを識別することは、搬送波のアクティブＢＷＰに対するリソース割り振りフィールド中に含まれている通信リソースを、搬送波のターゲットＢＷＰに対する通信リソースにマッピングすることに基づいている。
【０２６３】
［０２７４］
マッピングマネージャー１１４５は、アクティブＢＷＰ中のＰＲＢ割り振りの基準位置を識別してもよく、ＰＲＢ割り振りに関係する、ターゲットＢＷＰの通信リソースを識別することは、基準位置を識別することに基づいており、ターゲットＢＷＰに関係する基準位置に対するオフセットを識別してもよく、ＰＲＢ割り振りに関係する、ターゲットＢＷＰの通信リソースを識別することは、オフセットを識別することに基づいており、ターゲットＢＷＰのリソースが、アクティブＢＷＰのリソースと入れ子にされていないことを決定することに基づいて、アクティブＢＷＰのリソースをターゲットＢＷＰのリソースにマッピングしてもよく、ＰＲＢ割り振りに関係する、ターゲットＢＷＰの通信リソースを識別することは、リソースをマッピングすることに基づいており、ターゲットＢＷＰのリソースが、アクティブＢＷＰのリソースと入れ子にされていることを決定することに基づいて、アクティブＢＷＰのリソースをターゲットＢＷＰのリソースにマッピングしてもよく、アクティブＢＷＰとターゲットＢＷＰの両方に共通の通信リソースを識別することは、リソースをマッピングすることに基づいている。いくつかのケースでは、基準位置は、アクティブＢＷＰの最低周波数リソースである。
【０２６４】
［０２７５］
マッピングマネージャー１１４５は、アクティブＢＷＰ中のＰＲＢ割り振りの基準位置を識別してもよく、ＰＲＢ割り振りに関係する、ターゲットＢＷＰの通信リソースを識別することは、基準位置を識別することに基づいている。いくつかの例では、マッピングマネージャー１１４５は、ターゲットＢＷＰに関係する基準位置に対するオフセットを識別してもよく、ＰＲＢ割り振りに関係する、ターゲットＢＷＰの通信リソースを識別することは、オフセットを識別することに基づいている。
【０２６５】
［０２７６］
いくつかの例では、マッピングマネージャー１１４５は、ＢＷＰ切り替えイベントを識別することに基づいて、アクティブＢＷＰのリソースをターゲットＢＷＰのリソースにマッピングしてもよく、ＰＲＢ割り振りに関係する、ターゲットＢＷＰの通信リソースを識別することは、リソースをマッピングすることに基づいている。
【０２６６】
［０２７７］
いくつかの例では、マッピングマネージャー１１４５は、基地局から受信されたＤＣＩに基づいて、ＢＷＰ切り替えイベント間に、アクティブＢＷＰのリソースが、ターゲットＢＷＰのリソースにどのようにマッピングされるかを示すマッピングオプションを決定してもよく、リソースをマッピングすることは、マッピングオプションを決定することに基づいている。いくつかのケースでは、ＤＣＩは、オフセットのインジケータを含んでいる。いくつかのケースでは、オフセットは、リソースブロックグループサイズ、ターゲットＢＷＰのサイズ、アクティブＢＷＰとターゲットＢＷＰとの間の差、または、これらの任意の組み合わせに基づいていてもよい。いくつかのケースでは、基準位置は、アクティブＢＷＰの最低周波数リソースである。いくつかのケースでは、ＤＣＩは、マッピングオプションを示すマッピングフィールドを含んでいる。いくつかのケースでは、ＤＣＩのハイブリッド自動反復要求（ＨＡＲＱ）プロセス識別子フィールドは、マッピングオプションの表示を含んでいる。いくつかのケースでは、マッピングオプションは、モジュロ演算を含んでいる。
【０２６７】
［０２７８］
オーバーラップマネージャー１１５０は、搬送波のアクティブＢＷＰの第１の周波数範囲が、搬送波のターゲットＢＷＰの第２の周波数範囲とオーバーラップしていないことを決定してもよく、搬送波のアクティブＢＷＰの第１の周波数範囲が、搬送波のターゲットＢＷＰの第２の周波数範囲とオーバーラップしていないことを決定することに基づいて、ＤＣＩの通信リソースを使用して、信号を送信または受信することを止めてもよい。
【０２６８】
［０２７９］
オーバーラップマネージャー１１５０は、ターゲットＢＷＰの周波数範囲が、アクティブＢＷＰの周波数範囲よりも広いまたは狭いか否かを決定してもよく、ＰＲＢ割り振りに関係する、ターゲットＢＷＰの通信リソースを識別することは、ターゲットＢＷＰの周波数範囲が、アクティブＢＷＰの周波数範囲よりも広いまたは狭いか否かを決定することに基づいており、ターゲットＢＷＰの周波数範囲が、アクティブＢＷＰの周波数範囲よりも狭いことに基づいて、情報を切り捨ててもよく、ターゲットＢＷＰの識別された通信リソースを使用して、基地局１０５と通信することは、情報を切り捨てることに基づいており、ターゲットＢＷＰのリソースが、アクティブＢＷＰのリソースと入れ子にされていることを決定してもよく、搬送波のアクティブＢＷＰとターゲットＢＷＰの両方に共通の通信リソースを識別することは、ターゲットＢＷＰのリソースが、アクティブＢＷＰのリソースと入れ子にされていることを決定することに基づいており、ターゲットＢＷＰの第１の周波数範囲が、ターゲットＢＷＰの第２の周波数範囲と完全にオーバーラップしていること、または、ターゲットＢＷＰの第２の周波数範囲が、アクティブＢＷＰの第１の周波数範囲と完全にオーバーラップしていることを決定してもよく、リソースが入れ子にされていることを決定することは、１つの周波数範囲が、他の周波数範囲と完全にオーバーラップしていることを決定することに少なくとも部分的に基づいている。
【０２６９】
［０２８０］
オーバーラップマネージャー１１５０は、ターゲットＢＷＰの周波数範囲が、アクティブＢＷＰの周波数範囲よりも狭いことに基づいて、情報を切り捨ててもよく、ターゲットＢＷＰの識別された通信リソースを使用して、基地局１０５と通信することは、情報を切り捨てることに基づいている。
【０２７０】
［０２８１］
非フォールバックＤＣＩマネージャー１１５５は、非フォールバックＤＣＩが、正常にデコードされるのに失敗したことを決定してもよく、ＵＥ１１５の搬送波のアクティブＢＷＰが基地局１０５と非同期であることを決定することは、非フォールバックＤＣＩが、正常にデコードされるのに失敗したことを決定することに基づいている。
【０２７１】
［０２８２］
ＣＳＳマネージャー１１６０は、搬送波のアクティブＢＷＰの制御サーチ空間（ＣＳＳ）が、基準ＢＷＰのＣＳＳと同一であることを識別してもよく、フォールバックＤＣＩ中に示される通信リソースを識別することは、搬送波のアクティブＢＷＰのＣＳＳが、基準ＢＷＰのＣＳＳと同一であることを識別することに基づいている。
【０２７２】
［０２８３］
図１２は、本開示の態様による、帯域幅部分に対するシグナリング技法をサポートするデバイス１２０５を含むシステム１２００の図を示している。デバイス１２０５は、例えば、図９および図１０を参照して上記で説明したような、ワイヤレスデバイス９０５、ワイヤレスデバイス１００５、または、ＵＥ１１５のコンポーネントの例であってもよく、または、これらを含んでいてもよい。デバイス１２０５は、ＵＥ帯域幅部分マネージャー１２１５、プロセッサ１２２０、メモリ１２２５、ソフトウェア１２３０、トランシーバ１２３５、アンテナ１２４０、および、Ｉ／Ｏ制御装置１２４５を含む、通信を送信および受信するためのコンポーネントを含む、双方向音声およびデータ通信のためのコンポーネントを含んでいてもよい。これらのコンポーネントは、１つ以上のバス（例えば、バス１２１０）を介して、電子通信してもよい。デバイス１２０５は、１つ以上の基地局１０５とワイヤレスに通信してもよい。
【０２７３】
［０２８４］
プロセッサ１２２０は、インテリジェントハードウェアデバイス（例えば、汎用プロセッサ、ＤＳＰ、中央処理ユニット（ＣＰＵ）、マイクロ制御装置、ＡＳＩＣ、ＦＰＧＡ、プログラマブル論理デバイス、ディスクリートゲートまたはトランジスタ論理コンポーネント、ディスクリートハードウェアコンポーネント、あるいは、これらの任意の組み合わせ）を含んでいてもよい。いくつかのケースでは、プロセッサ１２２０は、メモリ制御装置を使用して、メモリアレイを動作させるように構成されていてもよい。他のケースでは、メモリ制御装置は、プロセッサ１２２０に統合されていてもよい。プロセッサ１２２０は、メモリに記憶されているコンピュータ読取可能命令を実行して、さまざまな機能（例えば、帯域幅部分に対するシグナリング技法をサポートする機能またはタスク）を実行するように構成されていてもよい。
【０２７４】
［０２８５］
メモリ１２２５は、ランダムアクセスメモリ（ＲＡＭ）およびリードオンリーメモリ（ＲＯＭ）を含んでいてもよい。メモリ１２２５は、実行されたとき、プロセッサに、ここで説明するさまざまな機能を実行させる命令を含む、コンピュータ読取可能、コンピュータ実行可能ソフトウェア１２３０を記憶していてもよい。いくつかのケースでは、メモリ１２２５は、とりわけ、周辺コンポーネントまたはデバイスとの対話のような、基本的なハードウェアまたはソフトウェア動作を制御していてもよい基本入力／出力システム（ＢＩＯＳ）を含んでいてもよい。
【０２７５】
［０２８６］
ソフトウェア１２３０は、帯域幅部分に対するシグナリング技法をサポートするためのコードを含む、本開示の態様を実現するためのコードを含んでいてもよい。ソフトウェア１２３０は、システムメモリまたは他のメモリのような、非一時的コンピュータ読取可能媒体中に記憶されていてもよい。いくつかのケースでは、ソフトウェア１２３０は、プロセッサにより直接実行可能でなくてもよいが、（例えば、コンパイルされ実行されたときに）ここで説明する機能をコンピュータに実行させてもよい。
【０２７６】
［０２８７］
トランシーバ１２３５は、上記で説明したように、１本以上のアンテナ、有線リンク、または、ワイヤレスリンクを介して、双方向に通信してもよい。例えば、トランシーバ１２３５は、ワイヤレストランシーバを表していてもよく、別のワイヤレストランシーバと双方向に通信してもよい。トランシーバ１２３５はまた、パケットを変調し、変調されたパケットを送信のためにアンテナに提供し、アンテナから受け取ったパケットを復調するモデムを含んでいてもよい。
【０２７７】
［０２８８］
いくつかのケースでは、ワイヤレスデバイス１２０５は、単一のアンテナ１２４０を含んでいてもよい。しかしながら、いくつかのケースでは、デバイス１２０５は、複数のワイヤレス送信を同時に送信または受信することができてもよい、１本より多いアンテナ１２４０を有していてもよい。
【０２７８】
［０２８９］
Ｉ／Ｏ制御装置１２４５は、デバイス１２０５に対する入力信号および出力信号を管理してもよい。Ｉ／Ｏ制御装置１２４５はまた、デバイス１２０５に統合されていない周辺機器を管理してもよい。いくつかのケースでは、Ｉ／Ｏ制御装置１２４５は、外部の周辺機器への物理的な接続またはポートを表していてもよい。いくつかのケースでは、Ｉ／Ｏ制御装置１２４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または、別の既知のオペレーティングシステムのような、オペレーティングシステムを利用してもよい。他のケースでは、Ｉ／Ｏ制御装置１２４５は、モデム、キーボード、マウス、タッチスクリーン、または、類似のデバイスを表してもよく、または、これらと対話してもよい。いくつかのケースでは、Ｉ／Ｏ制御装置１２４５は、プロセッサの一部分として実現してもよい。いくつかのケースでは、ユーザは、Ｉ／Ｏ制御装置１２４５を介して、または、Ｉ／Ｏ制御装置１２４５により制御されるハードウェアコンポーネントを介して、デバイス１２０５と対話してもよい。
【０２７９】
［０２９０］
図１３は、本開示の態様による、帯域幅部分に対するシグナリング技法をサポートするワイヤレスデバイス１３０５のブロック図１３００を示している。ワイヤレスデバイス１３０５は、ここで説明するような基地局１０５の態様の例であってもよい。ワイヤレスデバイス１３０５は、受信機１３１０と、基地局帯域幅部分マネージャー１３１５と、送信機１３２０とを含んでいてもよい。ワイヤレスデバイス１３０５はまた、プロセッサを含んでいてもよい。これらのコンポーネントのそれぞれは、（例えば、１つ以上のバスを介して）互いに通信してもよい。
【０２８０】
［０２９１］
受信機１３１０は、さまざまな情報チャネル（例えば、制御チャネル、データチャネル、および、帯域幅部分に対するシグナリング技法に関連する情報など）に関係する、パケット、ユーザデータ、または、制御情報のような、情報を受信してもよい。情報は、デバイスの他のコンポーネントに渡されてもよい。受信機１３１０は、図１６を参照して説明するトランシーバ１６３５の態様の例であってもよい。受信機１３１０は、単一のアンテナまたはアンテナのセットを利用してもよい。
【０２８１】
［０２９２］
基地局帯域幅部分マネージャー１３１５は、図１６を参照して説明する基地局帯域幅部分マネージャー１６１５の態様の例であってもよい。
【０２８２】
［０２９３］
基地局帯域幅部分マネージャー１３１５および／またはそのさまざまなサブコンポーネントのうちの少なくともいくつかは、ハードウェア、プロセッサにより実行されるソフトウェア、ファームウェア、または、これらの任意の組み合わせで実現してもよい。プロセッサにより実行されるソフトウェアで実現される場合、基地局帯域幅部分マネージャー１３１５および／またはそのさまざまなサブコンポーネントの少なくともいくつかの機能は、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいは、本開示で説明する機能を実行するように設計されているこれらの任意の組み合わせにより実行してもよい。基地局帯域幅部分マネージャー１３１５および／またはそのさまざまなサブコンポーネントのうちの少なくともいくつかは、機能の一部分が、１つ以上の物理デバイスにより異なる物理的位置において実現されるように分散されることを含む、さまざまな位置に物理的に位置していてもよい。いくつかの例では、基地局帯域幅部分マネージャー１３１５および／またはそのさまざまなサブコンポーネントのうちの少なくともいくつかは、本開示のさまざまな態様による、別個の異なるコンポーネントであってもよい。他の例では、基地局帯域幅部分マネージャー１３１５および／またはそのさまざまなサブコンポーネントのうちの少なくともいくつかは、本開示のさまざまな態様による、限定はしないが、Ｉ／Ｏコンポーネント、トランシーバ、ネットワークサーバ、別のコンピューティングデバイス、本開示で説明する１つ以上の他のコンポーネント、または、これらの組み合わせを含む、１つ以上の他のハードウェアコンポーネントと組み合わせてもよい。
【０２８３】
［０２９４］
基地局帯域幅部分マネージャー１３１５は、ＵＥ１１５と通信するのに使用されている搬送波のアクティブ帯域幅部分（ＢＷＰ）とは異なる、ＵＥ１１５と通信するのに使用されるべき搬送波のターゲットＢＷＰを識別してもよく、ＵＥ１１５に通信リソースを割り振り、ＢＷＰ識別子フィールドとリソース割り振りフィールドとを含む、ＤＣＩを発生させてもよく、リソース割り振りフィールドは、ＵＥ１１５により使用されるべき搬送波のターゲットＢＷＰの通信リソースを示し、リソース割り振りフィールドは、ＵＥ１１５により使用されている搬送波のアクティブＢＷＰのサイズに基づいている長さを有し、ＤＣＩをＵＥ１１５に送信してもよく、リソース割り振りフィールド中に含まれている、搬送波の他の通信リソースの一部分を使用して、ＵＥ１１５と通信してもよく、通信リソースの一部分は、搬送波のアクティブＢＷＰと搬送波のターゲットＢＷＰの両方に共通の通信リソースを含んでいる。基地局帯域幅部分マネージャー１３１５はまた、搬送波のアクティブ帯域幅部分（ＢＷＰ）に対する非フォールバックＤＣＩを発生させてもよく、非フォールバックＤＣＩの長さは、搬送波のアクティブＢＷＰのサイズに基づいており、基準ＢＷＰに対するフォールバックＤＣＩを発生させてもよく、フォールバックＤＣＩの長さは、搬送波のアクティブＢＷＰとは異なる基準ＢＷＰのサイズに基づいており、非フォールバックＤＣＩとフォールバックＤＣＩとをＵＥ１１５に送信してもよく、フォールバックＤＣＩ中に示される通信リソースを使用して、ＵＥ１１５と通信してもよい。いくつかの例では、基地局帯域幅部分マネージャー１３１５は、ターゲットＢＷＰの周波数ドメインリソース割り振りフィールドが、アクティブＢＷＰの周波数ドメインリソース割り振りフィールドよりも大きいかまたは小さいか否かを決定するように、ＵＥ１１５を構成してもよく、ＰＲＢ割り振りに関係する、ターゲットＢＷＰの通信リソースを識別することは、ターゲットＢＷＰの周波数ドメインリソース割り振りフィールドが、アクティブＢＷＰの周波数ドメインリソース割り振りフィールドよりも大きいかまたは小さいか否かを決定することに少なくとも部分的に基づいている。いくつかの例では、基地局帯域幅部分マネージャー１３１５は、ターゲットＢＷＰの周波数ドメインリソース割り振りフィールドが、アクティブＢＷＰの周波数ドメインリソース割り振りフィールドよりも小さいことを決定することに少なくとも部分的に基づいて、ＤＣＩの最下位ビットに少なくとも部分的に基づいている情報を識別するように、ＵＥ１１５を構成してもよい。いくつかのケースでは、基地局帯域幅部分マネージャー１３１５は、ターゲットＢＷＰの周波数ドメインリソース割り振りフィールドが、アクティブＢＷＰの周波数ドメインリソース割り振りフィールドよりも大きいことを決定することに少なくとも部分的に基づいて、アクティブＢＷＰの周波数ドメインリソース割り振りフィールドを０パディング（例えば、１つ以上の０ビットでパディング）で埋めるように、ＵＥ１１５を構成してもよい。
【０２８４】
［０２９５］
基地局帯域幅部分マネージャー１３１５は、ＵＥ１１５と通信するのに使用されている搬送波のアクティブ帯域幅部分（ＢＷＰ）とは異なる、ＵＥ１１５と通信するのに使用されるべき搬送波のターゲットＢＷＰを識別してもよく、ＢＷＰ切り替えイベントを識別することに基づいて、アクティブＢＷＰ中の物理リソースブロック（ＰＲＢ）割り振りに関係する、ターゲットＢＷＰの通信リソースを識別してもよく、ＵＥ１１５に通信リソースを割り振り、ＢＷＰ識別子フィールドとリソース割り振りフィールドとを含む、ＤＣＩを発生させてもよく、リソース割り振りフィールドは、ＵＥ１１５により使用されるべき搬送波のターゲットＢＷＰの通信リソースを示し、リソース割り振りフィールドは、ＵＥ１１５により使用されている搬送波のアクティブＢＷＰのサイズに基づいている長さを有し、ＤＣＩをＵＥ１１５に送信してもよく、リソース割り振りフィールド中に含まれている、搬送波のターゲットＢＷＰの通信リソースの一部分を使用して、ＵＥ１１５と通信してもよい。
【０２８５】
［０２９６］
送信機１３２０は、１３０５デバイスの他のコンポーネントにより発生される信号を送信してもよい。いくつかの例では、送信機１３２０は、トランシーバモジュール中の受信機１３１０とコロケートさせてもよい。例えば、送信機１３２０は、図１６を参照して説明するトランシーバ１６３５の態様の例であってもよい。送信機１３２０は、単一のアンテナまたはアンテナのセットを利用してもよい。
【０２８６】
［０２９７］
図１４は、本開示の態様による、帯域幅部分に対するシグナリング技法をサポートするワイヤレスデバイス１４０５のブロック図１４００を示している。ワイヤレスデバイス１４０５は、図１３を参照して説明したような、ワイヤレスデバイス１３０５または基地局１０５の態様の例であってもよい。ワイヤレスデバイス１４０５は、受信機１４１０と、基地局帯域幅部分マネージャー１４１５と、送信機１４２０とを含んでいてもよい。ワイヤレスデバイス１４０５はまた、プロセッサを含んでいてもよい。これらのコンポーネントのそれぞれは、（例えば、１つ以上のバスを介して）互いに通信してもよい。
【０２８７】
［０２９８］
受信機１４１０は、さまざまな情報チャネル（例えば、制御チャネル、データチャネル、および、帯域幅部分に対するシグナリング技法に関連する情報など）に関係する、パケット、ユーザデータ、または、制御情報のような、情報を受信してもよい。情報は、デバイス１４０５の他のコンポーネントに渡されてもよい。受信機１４１０は、図１６を参照して説明するトランシーバ１６３５の態様の例であってもよい。受信機１４１０は、単一のアンテナまたはアンテナのセットを利用してもよい。
【０２８８】
［０２９９］
基地局帯域幅部分マネージャー１４１５は、図１６を参照して説明する基地局帯域幅部分マネージャー１６１５の態様の例であってもよい。基地局帯域幅部分マネージャー１４１５はまた、リソースマネージャー１４２５と、制御情報マネージャー１４３０と、通信マネージャー１４３０とを含んでいてもよい。
【０２８９】
［０３００］
リソースマネージャー１４２５は、ＵＥ１１５と通信するのに使用されている搬送波のアクティブ帯域幅部分（ＢＷＰ）は異なる、ＵＥ１１５と通信するのに使用されるべき搬送波のターゲットＢＷＰを識別してもよい。いくつかのケースでは、搬送波のアクティブＢＷＰに対するリソース割り振りフィールドの長さは、搬送波のターゲットＢＷＰに対する第２のリソース割り振りフィールドの第２の長さよりも短い。いくつかのケースでは、搬送波のアクティブＢＷＰに対するリソース割り振りフィールドの長さは、搬送波のターゲットＢＷＰ中で利用可能な通信リソースのすべてを割り振るのには不十分である。いくつかのケースでは、ＤＣＩは、非フォールバックＤＣＩである。
【０２９０】
［０３０１］
リソースマネージャー１４２５は、ＵＥ１１５と通信するのに使用されている搬送波のアクティブ帯域幅部分（ＢＷＰ）とは異なる、ＵＥ１１５と通信するのに使用されるべき搬送波のターゲットＢＷＰを識別してもよく、ＢＷＰ切り替えイベントを識別することに基づいて、ターゲットＢＷＰのリソースが、アクティブＢＷＰのリソースと入れ子されていないことを決定してもよく、ターゲットＢＷＰのリソースが、アクティブＢＷＰのリソースと入れ子にされていないことを決定することに基づいて、アクティブＢＷＰ中の物理リソースブロック（ＰＲＢ）割り振りに関係する、ターゲットＢＷＰの通信リソースを識別してもよい。
【０２９１】
［０３０２］
リソースマネージャー１４２５は、ＵＥ１１５と通信するのに使用されている搬送波のアクティブ帯域幅部分（ＢＷＰ）とは異なる、ＵＥ１１５と通信するのに使用されるべき搬送波のターゲットＢＷＰを識別してもよく、ＢＷＰ切り替えイベントを識別することに基づいて、アクティブＢＷＰ中の物理リソースブロック（ＰＲＢ）割り振りに関係する、ターゲットＢＷＰの通信リソースを識別してもよい。
【０２９２】
［０３０３］
制御情報マネージャー１４３０は、ＵＥ１１５に通信リソースを割り振り、ＢＷＰ識別子フィールドとリソース割り振りフィールドとを含む、ＤＣＩを発生させてもよく、リソース割り振りフィールドは、ＵＥ１１５により使用されるべき搬送波のターゲットＢＷＰの通信リソースを示し、リソース割り振りフィールドは、ＵＥ１１５により使用されている搬送波のアクティブＢＷＰのサイズに基づいている長さを有し、搬送波のアクティブ帯域幅部分（ＢＷＰ）に対する非フォールバックＤＣＩを発生させてもよく、非フォールバックＤＣＩの長さは、搬送波のアクティブＢＷＰのサイズに基づいており、基準ＢＷＰに対するフォールバックＤＣＩを発生させてもよく、フォールバックＤＣＩの長さは、搬送波のアクティブＢＷＰとは異なる基準ＢＷＰのサイズに基づいている。いくつかのケースでは、フォールバックＤＣＩの長さは、搬送波のアクティブＢＷＰのサイズとは無関係である。
【０２９３】
［０３０４］
制御情報マネージャー１４３０は、ＵＥ１１５に通信リソースを割り振り、ＢＷＰ識別子フィールドとリソース割り振りフィールドとを含む、ＤＣＩを発生させてもよく、リソース割り振りフィールドは、ＵＥ１１５により使用されるべき搬送波のターゲットＢＷＰの通信リソースを示し、リソース割り振りフィールドは、ＵＥ１１５により使用されている搬送波のアクティブＢＷＰのサイズに基づいている長さを有している。
【０２９４】
［０３０５］
制御情報マネージャー１４３０は、ＵＥ１１５に通信リソースを割り振り、ＢＷＰ識別子フィールドとリソース割り振りフィールドとを含む、ＤＣＩを発生させてもよく、リソース割り振りフィールドは、ＵＥ１１５により使用されるべき搬送波のターゲットＢＷＰの通信リソースを示し、リソース割り振りフィールドは、ＵＥ１１５により使用されている搬送波のアクティブＢＷＰのサイズに基づいている長さを有している。
【０２９５】
［０３０６］
通信マネージャー１４３５は、ＤＣＩをＵＥ１１５に送信してもよく、リソース割り振りフィールド中に含まれている、搬送波のターゲットＢＷＰの通信リソースの一部分を使用して、ＵＥ１１５と通信してもよく、通信リソースの一部分は、搬送波のアクティブＢＷＰと搬送波のターゲットＢＷＰの両方に共通の通信リソースを含み、非フォールバックＤＣＩとフォールバックＤＣＩとをＵＥ１１５に送信してもよく、フォールバックＤＣＩ中に示される通信リソースを使用して、ＵＥ１１５と通信してもよい。
【０２９６】
［０３０７］
通信マネージャー１４３５は、ＤＣＩをＵＥ１１５に送信してもよく、リソース割り振りフィールド中に含まれている、搬送波のターゲットＢＷＰの通信リソースの一部分を使用して、ＵＥ１１５と通信してもよい。
【０２９７】
［０３０８］
通信マネージャー１４３５は、ＤＣＩをＵＥ１１５に送信してもよく、リソース割り振りフィールド中に含まれている、搬送波のターゲットＢＷＰの通信リソースの一部分を使用して、ＵＥ１１５と通信してもよい。
【０２９８】
［０３０９］
送信機１４２０は、デバイス１４０５の他のコンポーネントにより発生される信号を送信してもよい。いくつかの例では、送信機１４２０は、トランシーバモジュール中の受信機１４１０とコロケートさせてもよい。例えば、送信機１４２０は、図１６を参照して説明するトランシーバ１６３５の態様の例であってもよい。送信機１４２０は、単一のアンテナまたはアンテナのセットを利用してもよい。
【０２９９】
［０３１０］
図１５は、本開示の態様による、帯域幅部分に対するシグナリング技法をサポートする基地局帯域幅部分マネージャー１５１５のブロック図１５００を示している。基地局帯域幅部分マネージャー１５１５は、図１３、図１４、および、図１６を参照して説明する基地局帯域幅部分マネージャーの態様の例であってもよい。基地局帯域幅部分マネージャー１５１５は、リソースマネージャー１５２０と、制御情報マネージャー１５２５と、通信マネージャー１５３０と、マッピングマネージャー１５３５と、周波数範囲マネージャー１５４０と、オーバーラップマネージャー１５４５と、非フォールバックＤＣＩマネージャー１５５０と、ＣＳＳマネージャー１５５５と、復元マネージャー１５６０と、基準ＢＷＰマネージャー１５６５とを含んでいてもよい。これらのモジュールのそれぞれは、直接的または間接的に、（例えば、１つ以上のバスを介して）互いに通信してもよい。
【０３００】
［０３１１］
リソースマネージャー１５２０は、ＵＥ１１５と通信するのに使用されている搬送波のアクティブ帯域幅部分（ＢＷＰ）とは異なる、ＵＥ１１５と通信するのに使用されるべき搬送波のターゲットＢＷＰを識別してもよい。いくつかのケースでは、搬送波のアクティブＢＷＰに対するリソース割り振りフィールドの長さは、搬送波のターゲットＢＷＰに対する第２のリソース割り振りフィールドの第２の長さよりも短い。いくつかのケースでは、搬送波のアクティブＢＷＰに対するリソース割り振りフィールドの長さは、搬送波のターゲットＢＷＰ中で利用可能な通信リソースのすべてを割り振るのには不十分である。いくつかのケースでは、ＤＣＩは、非フォールバックＤＣＩである。
【０３０１】
［０３１２］
リソースマネージャー１５２０は、ＵＥ１１５と通信するのに使用されている搬送波のアクティブ帯域幅部分（ＢＷＰ）とは異なる、ＵＥ１１５と通信するのに使用されるべき搬送波のターゲットＢＷＰを識別してもよく、ＢＷＰ切り替えイベントを識別することに基づいて、ターゲットＢＷＰのリソースが、アクティブＢＷＰのリソースと入れ子にされていないことを決定してもよく、ターゲットＢＷＰのリソースが、アクティブＢＷＰのリソースと入れ子にされていないことを決定することに基づいて、アクティブＢＷＰ中の物理リソースブロック（ＰＲＢ）割り振りに関係する、ターゲットＢＷＰの通信リソースを識別してもよい。リソースマネージャー１５２０は、リソースブロックグループ（ＲＢＧ）毎のベースで、ＵＥ１１５のターゲットＢＷＰに通信リソースを割り振ってもよく、１つより多いリソースブロック（ＲＢ）がターゲットＢＷＰに対して割り振られることをＤＣＩ中の単一ビットが示している。
【０３０２】
［０３１３］
リソースマネージャー１５２０は、ＵＥ１１５と通信するのに使用されている搬送波のアクティブ帯域幅部分（ＢＷＰ）とは異なる、ＵＥ１１５と通信するのに使用されるべき搬送波のターゲットＢＷＰを識別してもよい。いくつかの例では、リソースマネージャー１５２０は、ＢＷＰ切り替えイベントを識別することに基づいて、アクティブＢＷＰ中の物理リソースブロック（ＰＲＢ）割り振りに関係する、ターゲットＢＷＰの通信リソースを識別してもよい。
【０３０３】
［０３１４］
制御情報マネージャー１５２５は、ＵＥ１１５に通信リソースを割り振り、ＢＷＰ識別子フィールドとリソース割り振りフィールドとを含む、ＤＣＩを発生させてもよく、リソース割り振りフィールドは、ＵＥ１１５により使用されるべき搬送波のターゲットＢＷＰの通信リソースを示し、リソース割り振りフィールドは、ＵＥ１１５により使用されている搬送波のアクティブＢＷＰのサイズに基づいている長さを有し、搬送波のアクティブ帯域幅部分（ＢＷＰ）に対する非フォールバックＤＣＩを発生させてもよく、非フォールバックＤＣＩの長さは、搬送波のアクティブＢＷＰのサイズに基づいており、基準ＢＷＰに対するフォールバックＤＣＩを発生させてもよく、フォールバックＤＣＩの長さは、搬送波のアクティブＢＷＰとは異なる基準ＢＷＰのサイズに基づいている。いくつかのケースでは、フォールバックＤＣＩの長さは、搬送波のアクティブＢＷＰのサイズとは無関係である。
【０３０４】
［０３１５］
制御情報マネージャー１５２５は、ＵＥ１１５に通信リソースを割り振り、ＢＷＰ識別子フィールドとリソース割り振りフィールドとを含む、ＤＣＩを発生させてもよく、リソース割り振りフィールドは、ＵＥ１１５により使用されるべき搬送波のターゲットＢＷＰの通信リソースを示し、リソース割り振りフィールドは、ＵＥ１１５により使用されている搬送波のアクティブＢＷＰのサイズに基づいている長さを有している。
【０３０５】
［０３１６］
制御情報マネージャー１５２５は、ＵＥ１１５に通信リソースを割り振り、ＢＷＰ識別子フィールドとリソース割り振りフィールドとを含む、ＤＣＩを発生させてもよく、リソース割り振りフィールドは、ＵＥ１１５により使用されるべき搬送波のターゲットＢＷＰの通信リソースを示し、リソース割り振りフィールドは、ＵＥ１１５により使用されている搬送波のアクティブＢＷＰのサイズに基づいている長さを有している。
【０３０６】
［０３１７］
通信マネージャー１５３０は、ＤＣＩをＵＥ１１５に送信してもよく、リソース割り振りフィールド中に含まれている、搬送波のターゲットＢＷＰの通信リソースの一部分を使用して、ＵＥ１１５と通信してもよく、通信リソースの一部分は、搬送波のアクティブＢＷＰと搬送波のターゲットＢＷＰの両方に共通の通信リソースを含み、非フォールバックＤＣＩとフォールバックＤＣＩとをＵＥ１１５に送信してもよく、フォールバックＤＣＩ中に示される通信リソースを使用して、ＵＥと通信してもよい。
【０３０７】
［０３１８］
通信マネージャー１５３０は、ＤＣＩをＵＥ１１５に送信してもよく、リソース割り振りフィールド中に含まれている、搬送波のターゲットＢＷＰの通信リソースの一部分を使用して、ＵＥ１１５と通信してもよい。
【０３０８】
［０３１９］
通信マネージャー１５３０は、ＤＣＩをＵＥ１１５に送信してもよい。いくつかの例では、通信マネージャー１５３０は、リソース割り振りフィールド中に含まれている、搬送波のターゲットＢＷＰの通信リソースの一部分を使用して、ＵＥ１１５と通信してもよい。
【０３０９】
［０３２０］
マッピングマネージャー１５３５は、リソース割り振りフィールド中でＵＥ１１５に割り振られている搬送波のターゲットＢＷＰの通信リソースを、搬送波のアクティブＢＷＰの通信リソースにマッピングしてもよく、ＤＣＩを発生させることは、リソース割り振りフィールド中でＵＥ１１５に割り振られている搬送波のターゲットＢＷＰの通信リソースを、搬送波のアクティブＢＷＰの通信リソースにマッピングすることに基づいている。
【０３１０】
［０３２１］
マッピングマネージャー１５３５は、アクティブＢＷＰ中のＰＲＢ割り振りの基準位置を識別してもよく、ＰＲＢ割り振りに関係する、ターゲットＢＷＰの通信リソースを識別することは、基準位置を識別することに基づいており、ターゲットＢＷＰに関係する基準位置に対するオフセットを識別してもよく、ＰＲＢ割り振りに関係する、ターゲットＢＷＰの通信リソースを識別することは、オフセットを識別することに基づいており、ターゲットＢＷＰのリソースが、アクティブＢＷＰのリソースと入れ子にされていないことを決定することに基づいて、アクティブＢＷＰのリソースをターゲットＢＷＰのリソースにマッピングしてもよく、ＰＲＢ割り振りに関係する、ターゲットＢＷＰの通信リソースを識別することは、リソースをマッピングすることに基づいており、ターゲットＢＷＰのリソースが、アクティブＢＷＰのリソースと入れ子にされていることを決定することに基づいて、アクティブＢＷＰのリソースをターゲットＢＷＰのリソースにマッピングしてもよく、アクティブＢＷＰとターゲットＢＷＰの両方に共通の通信リソースを識別することは、リソースをマッピングすることに基づいている。いくつかのケースでは、基準位置は、アクティブＢＷＰの最低周波数である。
【０３１１】
［０３２２］
マッピングマネージャー１５３５は、アクティブＢＷＰ中のＰＲＢ割り振りの基準位置を識別してもよく、ＰＲＢ割り振りに関係する、ターゲットＢＷＰの通信リソースを識別することは、基準位置を識別することに基づいている。いくつかの例では、マッピングマネージャー１５３５は、ターゲットＢＷＰに関係する基準位置に対するオフセットを識別してもよく、ＰＲＢ割り振りに関係する、ターゲットＢＷＰの通信リソースを識別することは、オフセットを識別することに基づいている。いくつかの例では、マッピングマネージャー１５３５は、ＢＷＰ切り替えイベントを識別することに基づいて、アクティブＢＷＰのリソースをターゲットＢＷＰのリソースにマッピングしてもよく、ＰＲＢ割り振りに関係する、ターゲットＢＷＰの通信リソースを識別することは、リソースをマッピングすることに基づいている。
【０３１２】
［０３２３］
いくつかの例では、マッピングマネージャー１５３５は、基地局から受信されたＤＣＩに基づいて、ＢＷＰ切り替えイベント間に、アクティブＢＷＰのリソースが、ターゲットＢＷＰのリソースにどのようにマッピングされるかを示すマッピングオプションを決定してもよく、リソースをマッピングすることは、マッピングオプションを決定することに基づいている。いくつかのケースでは、ＤＣＩは、オフセットのインジケータを含んでいる。いくつかのケースでは、オフセットは、リソースブロックグループサイズ、ターゲットＢＷＰのサイズ、アクティブＢＷＰとターゲットＢＷＰとの間の差、または、これらの任意の組み合わせに基づいていてもよい。いくつかのケースでは、基準位置は、アクティブＢＷＰの最低周波数である。いくつかのケースでは、ＤＣＩは、マッピングオプションを示すマッピングフィールドを含んでいる。いくつかのケースでは、ＤＣＩのハイブリッド自動反復要求（ＨＡＲＱ）プロセス識別子フィールドは、マッピングオプションの表示を含んでいる。いくつかのケースでは、マッピングオプションは、モジュロ演算を含んでいる。
【０３１３】
［０３２４］
周波数範囲マネージャー１５４０は、搬送波のアクティブＢＷＰの第１の周波数範囲が、搬送波のターゲットＢＷＰの第２の周波数範囲と少なくとも部分的にオーバーラップしていることを決定してもよく、ＤＣＩを発生させることは、搬送波のアクティブＢＷＰの第１の周波数範囲が、搬送波のターゲットＢＷＰの第２の周波数範囲と少なくとも部分的にオーバーラップしていることを決定することに基づいており、基準ＢＷＰの第１の周波数範囲が、搬送波のアクティブＢＷＰの第２の周波数範囲のサブセットであることを決定してもよく、フォールバックＤＣＩを発生させることは、基準ＢＷＰの第１の周波数範囲が、搬送波のアクティブＢＷＰの第２の周波数範囲のサブセットであることを決定することに基づいている。いくつかのケースでは、搬送波のターゲットＢＷＰの第２の周波数範囲は、搬送波のアクティブＢＷＰの第１の周波数範囲よりも広い。いくつかのケースでは、搬送波のアクティブＢＷＰの第１の周波数範囲は、搬送波のターゲットＢＷＰの第２の周波数範囲内に入れ子にされている。
【０３１４】
［０３２５］
周波数範囲マネージャー１５４０は、ターゲットＢＷＰの周波数範囲の一部分が、アクティブＢＷＰの周波数範囲を除外していることを決定してもよく、アクティブＢＷＰの周波数範囲の一部分が、ターゲットＢＷＰの周波数範囲を除外していることを決定してもよく、ターゲットＢＷＰのリソースが、アクティブＢＷＰのリソースと入れ子にされていないことを決定することは、この決定に基づいている。
【０３１５】
［０３２６］
周波数範囲マネージャー１５４０は、ターゲットＢＷＰの周波数範囲が、アクティブＢＷＰの周波数範囲よりも広いかまたは狭いか否かを決定してもよく、ＰＲＢ割り振りに関係する、ターゲットＢＷＰの通信リソースを識別することは、ターゲットＢＷＰの周波数範囲が、アクティブＢＷＰの周波数範囲よりも広いかまたは狭いか否かを決定することに基づいている。
【０３１６】
［０３２７］
オーバーラップマネージャー１５４５は、搬送波のアクティブＢＷＰの第１の周波数範囲（例えば、周波数ドメインリソース割り振りフィールドのサイズ、ビットフィールドサイズなど）が、搬送波のターゲットＢＷＰの第２の周波数範囲とオーバーラップしていないことを決定してもよく、搬送波のアクティブＢＷＰの第１の周波数範囲が、搬送波のターゲットＢＷＰの第２の周波数範囲とオーバーラップしていないことを決定することに基づいて、リソース割り振りフィールドを０割り当てで埋めてもよい。
【０３１７】
［０３２８］
オーバーラップマネージャー１５４５は、ターゲットＢＷＰの周波数範囲が、アクティブＢＷＰの周波数範囲よりも広いかまたは狭いか否かを決定してもよく、ＰＲＢ割り振りに関係する、ターゲットＢＷＰの通信リソースを識別することは、ターゲットＢＷＰの周波数範囲が、アクティブＢＷＰの周波数範囲よりも広いかまたは狭いか否かを決定することに基づいており、ターゲットＢＷＰの周波数範囲が、アクティブＢＷＰの周波数範囲よりも狭いことに基づいて、情報を切り捨ててもよく、ターゲットＢＷＰの識別された通信リソースを使用して、基地局１０５と通信することは、情報を切り捨てることに基づいており、アクティブＢＷＰとターゲットＢＷＰの両方に共通の通信リソースを識別してもよく、アクティブＢＷＰとターゲットＢＷＰの両方に共通の識別された通信リソース内に、ターゲットＢＷＰに関係する物理リソースブロック割り振り（ＰＲＢ）を配置してもよく、ターゲットＢＷＰのリソースが、アクティブＢＷＰのリソースと入れ子にされていることを決定してもよく、搬送波のアクティブＢＷＰとターゲットＢＷＰの両方に共通の通信リソースを識別することは、ターゲットＢＷＰのリソースが、アクティブＢＷＰのリソースと入れ子にされていることを決定することに基づいており、ターゲットＢＷＰの第１の周波数範囲が、ターゲットＢＷＰの第２の周波数範囲に完全にオーバーラップしていること、または、ターゲットＢＷＰの第２の周波数範囲が、アクティブＢＷＰの第１の周波数範囲と完全にオーバーラップしていることを決定してもよく、リソースが入れ子にされていることを決定することは、１つの周波数範囲が、別の周波数範囲と完全にオーバーラップしていることを決定することに少なくとも部分的に基づいている。
【０３１８】
［０３２９］
オーバーラップマネージャー１５４５は、ターゲットＢＷＰの周波数範囲（例えば、周波数ドメインリソース割り振りフィールドのサイズ、ビットフィールドサイズなど）が、アクティブＢＷＰの周波数範囲（例えば、周波数ドメインリソース割り振りフィールドのサイズ、ビットフィールドサイズなど）よりも狭いことに基づいて、情報を切り捨ててもよく、ターゲットＢＷＰの識別された通信リソースを使用して、基地局１０５と通信することは、情報を切り捨てることに基づいている。例えば、ＢＷＰインジケータにより、例えば、アクティブＢＷＰのビットフィールドのサイズが、ターゲットＢＷＰに対して示されるビットフィールドのサイズよりも大きい場合、オーバーラップマネージャー１５４５は、ＤＣＩの最下位ビットに基づいている情報を識別してもよい。
【０３１９】
［０３３０］
非フォールバックＤＣＩマネージャー１５５０は、フォールバックＤＣＩ中に示される通信リソースを使用して、ＵＥ１１５と通信することに基づいて、非フォールバックＤＣＩが、ＵＥ１１５により正常にデコードされることに失敗したことを決定してもよい。
【０３２０】
［０３３１］
ＣＳＳマネージャー１５５５は、搬送波のアクティブＢＷＰの制御サーチ空間（ＣＳＳ）が、基準ＢＷＰのＣＳＳと同一であることを識別してもよく、フォールバックＤＣＩを発生させることは、搬送波のアクティブＢＷＰのＣＳＳが、基準ＢＷＰのＣＳＳと同一であることを識別することに基づいている。
【０３２１】
［０３３２］
復元マネージャー１５６０は、フォールバックＤＣＩ中に示される通信リソースを使用して、ＵＥ１１５と通信することに基づいて、ＵＥ１１５により使用されている搬送波のアクティブＢＷＰが何であるかを基地局１０５に通知するように、ＵＥ１１５に要求してもよく、ＵＥ１０５の搬送波のアクティブＢＷＰに基づいて、基地局１１５の搬送波のアクティブＢＷＰを修正してもよく、フォールバックＤＣＩ中に示される通信リソースを使用して、ＵＥ１１５と通信している間に、搬送波のアクティブＢＷＰに関係するタイマーが満了することを可能にしてもよく、タイマーが満了することに基づいて、ＵＥ１１５との新たなＢＷＰを確立してもよい。
【０３２２】
［０３３３］
基準ＢＷＰマネージャー１５６５は、基準ＢＷＰを識別してもよく、情報をＵＥ１１５に送信して、基準ＢＷＰを動的に構成してもよい。いくつかのケースでは、基準ＢＷＰは、静的に予め構成されている。
【０３２３】
［０３３４］
図１６は、本開示の態様による、帯域幅部分に対するシグナリング技法をサポートするデバイス１６０５を含むシステム１６００の図を示している。デバイス１６０５は、例えば、図１を参照して上記で説明したような、基地局１０５のコンポーネントの例であってもよく、または、これを含んでいてもよい。デバイス１６０５は、基地局帯域幅部分マネージャー１６１５、プロセッサ１６２０、メモリ１６２５、ソフトウェア１６３０、トランシーバ１６３５、アンテナ１６４０、ネットワーク通信マネージャー１６４５、および、局間通信マネージャー１６５０を含む、通信を送信および受信するためのコンポーネントを含む、双方向音声およびデータ通信のためのコンポーネントを含んでいてもよい。これらのコンポーネントは、１つ以上のバス（例えば、バス１６１０）を介して電子通信してもよい。デバイス１６０５は、１つ以上のＵＥ１１５とワイヤレスに通信してもよい。
【０３２４】
［０３３５］
プロセッサ１６２０は、インテリジェントハードウェアデバイス（例えば、汎用プロセッサ、ＤＳＰ、ＣＰＵ、マイクロ制御装置、ＡＳＩＣ、ＦＰＧＡ、プログラマブル論理デバイス、ディスクリートゲートまたはトランジスタ論理コンポーネント、ディスクリートハードウェアコンポーネント、あるいは、これらの任意の組み合わせ）を含んでいてもよい。いくつかのケースでは、プロセッサ１６２０は、メモリ制御装置を使用して、メモリアレイを動作させるように構成されていてもよい。他のケースでは、メモリ制御装置は、プロセッサ１６２０に統合してもよい。プロセッサ１６２０は、メモリに記憶されているコンピュータ読取可能命令を実行して、さまざまな機能（例えば、帯域幅部分に対するシグナリング技法をサポートする機能またはタスク）を実行するように構成されていてもよい。
【０３２５】
［０３３６］
メモリ１６２５は、ＲＡＭおよびＲＯＭを含んでいてもよい。メモリ１６２５は、実行されたとき、プロセッサに、ここで説明するさまざまな機能を実行させる命令を含む、コンピュータ読取可能、コンピュータ実行可能ソフトウェア１６３０を記憶していてもよい。いくつかのケースでは、メモリ１６２５は、とりわけ、周辺コンポーネントまたはデバイスとの対話のような基本的なハードウェアまたはソフトウェア動作を制御してもよいＢＩＯＳを含んでいてもよい。
【０３２６】
［０３３７］
ソフトウェア１６３０は、帯域幅部分に対するシグナリング技法をサポートするためのコードを含む、本開示の態様を実現するためのコードを含んでいてもよい。ソフトウェア１６３０は、システムメモリまたは他のメモリのような、非一時的コンピュータ読取可能媒体中に記憶されていてもよい。いくつかのケースでは、ソフトウェア１６３０は、プロセッサにより直接実行可能でなくてもよいが、（例えば、コンパイルされ実行されたときに）ここで説明する機能をコンピュータに実行させてもよい。
【０３２７】
［０３３８］
トランシーバ１６３５は、上記で説明したように、１本以上のアンテナ、有線リンク、または、ワイヤレスリンクを介して双方向に通信してもよい。例えば、トランシーバ１６３５は、ワイヤレストランシーバを表していてもよく、別のワイヤレストランシーバと双方向に通信してもよい。トランシーバ１６３５はまた、パケットを変調し、変調されたパケットを送信のためにアンテナに提供し、アンテナから受け取ったパケットを復調するモデムを含んでいてもよい。
【０３２８】
［０３３９］
いくつかのケースでは、ワイヤレスデバイス１６０５は、単一のアンテナ１６４０を含んでいてもよい。しかしながら、いくつかのケースでは、デバイス１６０５は、複数のワイヤレス送信を同時に送信または受信することができてもよい、１本より多いアンテナ１６４０を有していてもよい。
【０３２９】
［０３４０］
ネットワーク通信マネージャー１６４５は、（例えば、１つ以上のワイヤードバックホールリンクを介しての）コアネットワークとの通信を管理してもよい。例えば、ネットワーク通信マネージャー１６４５は、１つ以上のＵＥ１１５のような、クライアントデバイスに対するデータ通信の転送を管理してもよい。
【０３３０】
［０３４１］
局間通信マネージャー１６５０は、他の基地局１０５との通信を管理してもよく、他の基地局１０５と協同してＵＥ１１５との通信を制御するための制御装置またはスケジューラを含んでいてもよい。例えば、局間通信マネージャー１６５０は、ビーム形成またはジョイント送信のような、さまざまな干渉緩和技法のために、ＵＥ１１５への送信のためのスケジューリングを調整してもよい。いくつかの例では、局間通信マネージャー１６５０は、ロングタームエボリューション（ＬＴＥ）／ＬＴＥ−ａワイヤレス通信ネットワーク技術内にＸ２インターフェースを提供して、基地局１０５間の通信を提供してもよい。
【０３３１】
［０３４２］
図１７は、本開示の態様による、帯域幅部分に対するシグナリング技法のための方法１７００を示すフローチャートを示している。方法１７００の動作は、ここで説明するように、ＵＥ１１５またはそのコンポーネントにより実現してもよい。例えば、方法１７００の動作は、図９〜図１２を参照して説明したように、ＵＥ帯域幅部分マネージャーにより実行してもよい。いくつかの例では、ＵＥ１１５は、デバイスの機能要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０３３２】
［０３４３］
１７０５において、ＵＥ１１５は、ＵＥ１１５に通信リソースを割り振り、搬送波の帯域幅部分（ＢＷＰ）識別子フィールドとリソース割り振りフィールドとを含む、ダウンリンク制御情報（ＤＣＩ）を受信してもよく、リソース割り振りフィールドは、ＵＥ１１５により使用されている搬送波のアクティブＢＷＰのサイズに少なくとも部分的に基づいている長さを有している。１７０５の動作は、ここで説明する方法にしたがって実行してもよい。いくつかの例では、１７０５の動作の態様は、図９〜図１２を参照して説明したように、通信マネージャーにより実行してもよい。
【０３３３】
［０３４４］
１７１０において、ＵＥ１１５は、ＢＷＰ識別子フィールド中に含まれている情報に少なくとも部分的に基づいて、ＵＥ１１５に搬送波のアクティブＢＷＰからターゲットＢＷＰに変更させるＢＷＰ切り替えイベントを識別してもよい。１７１０の動作は、ここで説明する方法にしたがって実行してもよい。いくつかの例では、１７１０の動作の態様は、図９〜図１２を参照して説明したように、切り替えイベントマネージャーにより実行してもよい。
【０３３４】
［０３４５］
１７１５において、ＵＥ１１５は、リソース割り振りフィールド中の情報に少なくとも部分的に基づいて、搬送波のアクティブＢＷＰとターゲットＢＷＰの両方に共通の通信リソースを識別してもよい。１７１５の動作は、ここで説明する方法にしたがって実行してもよい。いくつかの例では、１７１５の動作の態様は、図９〜図１２を参照して説明したように、リソースマネージャーにより実行してもよい。
【０３３５】
［０３４６］
１７２０において、ＵＥ１１５は、リソース割り振りフィールド中に含まれている、搬送波のターゲットＢＷＰの通信リソースの一部分を使用して、基地局１０５と通信してもよく、通信リソースの一部分は、搬送波のアクティブＢＷＰとターゲットＢＷＰの両方に共通の通信リソースを含んでいる。１７２０の動作は、ここで説明する方法にしたがって実行してもよい。いくつかの例では、１７２０の動作の態様は、図９〜図１２を参照して説明したように、通信マネージャーにより実行してもよい。
【０３３６】
［０３４７］
図１８は、本開示の態様による、帯域幅部分に対するシグナリング技法のための方法１８００を示すフローチャートを示している。方法１８００の動作は、ここで説明するように、基地局１０５またはそのコンポーネントにより実現してもよい。例えば、方法１８００の動作は、図１３〜図１６を参照して説明したように、基地局帯域幅部分マネージャーにより実行してもよい。いくつかの例では、基地局１０５は、デバイスの機能要素を制御するためのコードのセットを実行して、以下で説明する機能を実行してもよい。追加的にまたは代替的に、基地局１０５は、特殊目的ハードウェアを使用して、以下で説明する機能の態様を実行してもよい。
【０３３７】
［０３４８］
１８０５において、基地局１０５は、ユーザ機器（ＵＥ）１１５と通信するのに使用されている搬送波のアクティブ帯域幅部分（ＢＷＰ）とは異なる、ＵＥ１１５と通信するのに使用されるべき搬送波のターゲットＢＷＰを識別してもよい。１８０５の動作は、ここで説明する方法にしたがって実行してもよい。いくつかの例では、１８０５の動作の態様は、図１３〜図１６を参照して説明したように、リソースマネージャーにより実行してもよい。
【０３３８】
［０３４９］
１８１０において、基地局１０５は、ＵＥ１１５に通信リソースを割り振り、ＢＷＰ識別子フィールドとリソース割り振りフィールドとを含む、ダウンリンク制御情報（ＤＣＩ）を発生させてもよく、リソース割り振りフィールドは、ＵＥ１１５により使用されるべき搬送波のターゲットＢＷＰの通信リソースを示し、リソース割り振りフィールドは、ＵＥ１１５により使用されている搬送波のアクティブＢＷＰのサイズに少なくとも部分的に基づいている長さを有している。１８１０の動作は、ここで説明する方法にしたがって実行してもよい。いくつかの例では、１８１０の動作の態様は、図１３〜図１６を参照して説明したように、制御情報マネージャーにより実行してもよい。
【０３３９】
［０３５０］
１８１５において、基地局１０５は、ＤＣＩをＵＥ１１５に送信してもよい。１８１５の動作は、ここで説明する方法にしたがって実行してもよい。いくつかの例では、１８１５の動作の態様は、図１３〜図１６を参照して説明したように、通信マネージャーにより実行してもよい。
【０３４０】
［０３５１］
１８２０において、基地局１０５は、リソース割り振りフィールド中に含まれている、搬送波のターゲットＢＷＰの通信リソースの一部分を使用して、ＵＥ１１５と通信してもよく、通信リソースの一部分は、搬送波のアクティブＢＷＰと搬送波のターゲットＢＷＰの両方に共通の通信リソースを含んでいる。１８２０の動作は、ここで説明する方法にしたがって実行してもよい。いくつかの例では、１８２０の動作の態様は、図１３〜図１６を参照して説明したように、通信マネージャーにより実行してもよい。
【０３４１】
［０３５２］
図１９は、本開示の態様による、帯域幅部分に対するシグナリング技法のための方法１９００を示すフローチャートを示している。方法１９００の動作は、ここで説明するように、ＵＥ１１５またはそのコンポーネントにより実現してもよい。例えば、方法１９００の動作は、図９〜図１２を参照して説明したように、ＵＥ帯域幅部分マネージャーにより実行してもよい。いくつかの例では、ＵＥ１１５は、デバイスの機能要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０３４２】
［０３５３］
１９０５において、ＵＥ１１５は、搬送波のアクティブ帯域幅部分（ＢＷＰ）に対する、非フォールバックダウンリンク制御情報（ＤＣＩ）とフォールバックＤＣＩとを監視してもよく、フォールバックＤＣＩの長さは、搬送波のアクティブＢＷＰとは異なる基準ＢＷＰのサイズに少なくとも部分的に基づいている。１９０５の動作は、ここで説明する方法にしたがって実行してもよい。いくつかの例では、１９０５の動作の態様は、図９〜図１２を参照して説明したように、通信マネージャーにより実行してもよい。
【０３４３】
［０３５４］
１９１０において、ＵＥ１１５は、ＵＥ１１５の搬送波のアクティブＢＷＰが基地局と非同期であることを決定してもよい。１９１０の動作は、ここで説明する方法にしたがって実行してもよい。いくつかの例では、１９１０の動作の態様は、図９〜図１２を参照して説明したように、リソースマネージャーにより実行してもよい。
【０３４４】
［０３５５］
１９１５において、ＵＥ１１５は、ＵＥ１１５の搬送波のアクティブＢＷＰが基地局と非同期であることを決定することに少なくとも部分的に基づいて、フォールバックＤＣＩ中に示される通信リソースを識別してもよい。１９１５の動作は、ここで説明する方法にしたがって実行してもよい。いくつかの例では、１９１５の動作の態様は、図９〜図１２を参照して説明したように、リソースマネージャーにより実行してもよい。
【０３４５】
［０３５６］
１９２０において、ＵＥ１１５は、フォールバックＤＣＩ中に示される通信リソースを使用して、基地局１０５と通信してもよい。１９２０の動作は、ここで説明する方法にしたがって実行してもよい。いくつかの例では、１９２０の動作の態様は、図９〜図１２を参照して説明したように、通信マネージャーにより実行してもよい。
【０３４６】
［０３５７］
図２０は、本開示の態様による、帯域幅部分に対するシグナリング技法のための方法２０００を示すフローチャートを示している。方法２０００の動作は、ここで説明するように、基地局１０５またはそのコンポーネントにより実現してもよい。例えば、方法２０００の動作は、図１３〜図１６を参照して説明したように、基地局帯域幅部分マネージャーにより実行してもよい。いくつかの例では、基地局１０５は、デバイスの機能要素を制御するためのコードのセットを実行して、以下で説明する機能を実行してもよい。追加的にまたは代替的に、基地局１０５は、特殊目的ハードウェアを使用して、以下で説明する機能の態様を実行してもよい。
【０３４７】
［０３５８］
２００５において、基地局１０５は、搬送波のアクティブ帯域幅部分（ＢＷＰ）に対する非フォールバックダウンリンク制御情報（ＤＣＩ）を発生させてもよく、非フォールバックＤＣＩの長さは、搬送波のアクティブＢＷＰのサイズに少なくとも部分的に基づいている。２００５の動作は、ここで説明する方法にしたがって実行してもよい。いくつかの例では、２００５の動作の態様は、図１３〜図１６を参照して説明したように、制御情報マネージャーにより実行してもよい。
【０３４８】
［０３５９］
２０１０において、基地局１０５は、基準ＢＷＰに対するフォールバックＤＣＩを発生させてもよく、フォールバックＤＣＩの長さは、搬送波のアクティブＢＷＰとは異なる基準ＢＷＰのサイズに少なくとも部分的に基づいている。２０１０の動作は、ここで説明する方法にしたがって実行してもよい。いくつかの例では、２０１０の動作の態様は、図１３〜図１６を参照して説明したように、制御情報マネージャーにより実行してもよい。
【０３４９】
［０３６０］
２０１５において、基地局１０５は、非フォールバックＤＣＩとフォールバックＤＣＩとをユーザ機器（ＵＥ）１１５に送信してもよい。２０１５の動作は、ここで説明する方法にしたがって実行してもよい。いくつかの例では、２０１５の動作の態様は、図１３〜図１６を参照して説明したように、通信マネージャーにより実行してもよい。
【０３５０】
［０３６１］
２０２０において、基地局１０５は、フォールバックＤＣＩ中に示される通信リソースを使用して、ＵＥ１１５と通信してもよい。２０２０の動作は、ここで説明する方法にしたがって実行してもよい。いくつかの例では、２０２０の動作の態様は、図１３〜図１６を参照して説明したように、通信マネージャーにより実行してもよい。
【０３５１】
［０３６２］
図２１は、本開示の態様による、方法２１００を示すフローチャートを示している。方法２１００の動作は、ここで説明するように、ＵＥ１１５またはそのコンポーネントにより実現してもよい。例えば、方法２１００の動作は、図９〜図１２を参照して説明したように、ＵＥ帯域幅部分マネージャーにより実行してもよい。いくつかの例では、基地局１０５は、デバイスの機能要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０３５２】
［０３６３］
２１０５において、ＵＥ１１５は、ＵＥ１１５に通信リソースを割り振り、搬送波の帯域幅部分（ＢＷＰ）識別子フィールドとリソース割り振りフィールドとを含む、ダウンリンク制御情報（ＤＣＩ）を受信してもよく、リソース割り振りフィールドは、ＵＥ１１５により使用されている搬送波のアクティブＢＷＰのサイズに少なくとも部分的に基づいている長さを有している。２１０５の動作は、ここで説明する方法にしたがって実行してもよい。いくつかの例では、２１０５の動作の態様は、図９〜図１２を参照して説明したように、通信マネージャーにより実行してもよい。
【０３５３】
［０３６４］
２１１０において、ＵＥ１１５は、ＢＷＰ識別子フィールド中に含まれている情報に少なくとも部分的に基づいて、ＵＥ１１５に搬送波のアクティブＢＷＰからターゲットＢＷＰに変更させるＢＷＰ切り替えイベントを識別してもよい。２１１０の動作は、ここで説明する方法にしたがって実行してもよい。いくつかの例では、２１１０の動作の態様は、図９〜図１２を参照して説明したように、切り替えイベントマネージャーにより実行してもよい。
【０３５４】
［０３６５］
２１１５において、ＵＥ１１５は、ＢＷＰ切り替えイベントを識別することに少なくとも部分的に基づいて、ターゲットＢＷＰのリソースが、アクティブＢＷＰのリソースと入れ子にされていないことを決定してもよい。２１１５の動作は、ここで説明する方法にしたがって実行してもよい。いくつかの例では、２１１５の動作の態様は、図９〜図１２を参照して説明したように、切り替えイベントマネージャーにより実行してもよい。
【０３５５】
［０３６６］
２１２０において、ＵＥ１１５は、ターゲットＢＷＰのリソースが、アクティブＢＷＰのリソースと入れ子にされていないことを決定することに少なくとも部分的に基づいて、アクティブＢＷＰ中の物理リソースブロック（ＰＲＢ）割り振りに関係する、ターゲットＢＷＰの通信リソースを識別してもよい。２１２０の動作は、ここで説明する方法にしたがって実行してもよい。いくつかの例では、２１２０の動作の態様は、図９〜図１２を参照して説明したように、リソースマネージャーにより実行してもよい。
【０３５６】
［０３６７］
２１２５において、ＵＥ１１５は、ターゲットＢＷＰの識別された通信リソースを使用して、基地局１０５と通信してもよい。２１２５の動作は、ここで説明する方法にしたがって実行してもよい。いくつかの例では、２１２５の動作の態様は、図９〜図１２を参照して説明したように、通信マネージャーにより実行してもよい。
【０３５７】
［０３６８］
図２２は、本開示の態様による、方法２０００を示すフローチャートを示している。方法２２００の動作は、ここで説明するように、基地局１０５またはそのコンポーネントにより実現してもよい。例えば、方法２２００の動作は、図１３〜図１６を参照して説明したように、基地局帯域幅部分マネージャーにより実行してもよい。いくつかの例では、ＵＥ１１５は、デバイスの機能要素を制御するためのコードのセットを実行して、以下で説明する機能を実行してもよい。追加的にまたは代替的に、基地局１０５は、特殊目的ハードウェアを使用して、以下で説明する機能の態様を実行してもよい。
【０３５８】
［０３６９］
２２０５において、基地局１０５は、ユーザ機器（ＵＥ）１１５と通信するのに使用されている搬送波のアクティブ帯域幅部分（ＢＷＰ）とは異なる、ＵＥ１１５と通信するのに使用されるべき搬送波のターゲットＢＷＰを識別してもよい。２２０５の動作は、ここで説明する方法にしたがって実行してもよい。いくつかの例では、２２０５の動作の態様は、図１３〜図１６を参照して説明したように、リソースマネージャーにより実行してもよい。
【０３５９】
［０３７０］
２２１０において、基地局１０５は、ＢＷＰ切り替えイベントを識別することに少なくとも部分的に基づいて、ターゲットＢＷＰのリソースが、アクティブＢＷＰのリソースと入れ子にされていないことを決定してもよい。２２１０の動作は、ここで説明する方法にしたがって実行してもよい。いくつかの例では、２２１０の動作の態様は、図１３〜図１６を参照して説明したように、リソースマネージャーにより実行してもよい。
【０３６０】
［０３７１］
２２１５において、基地局１０５は、ターゲットＢＷＰのリソースが、アクティブＢＷＰのリソースと入れ子にされていないことを決定することに少なくとも部分的に基づいて、アクティブＢＷＰ中の物理リソースブロック（ＰＲＢ）割り振りに関係する、ターゲットＢＷＰの通信リソースを識別してもよい。２２１５の動作は、ここで説明する方法にしたがって実行してもよい。いくつかの例では、２２１５の動作の態様は、図１３〜図１６を参照して説明したように、リソースマネージャーにより実行してもよい。
【０３６１】
［０３７２］
２２２０において、基地局１０５は、ＵＥ１１５に通信リソースを割り振り、ＢＷＰ識別子フィールドとリソース割り振りフィールドとを含む、ダウンリンク制御情報（ＤＣＩ）を発生させてもよく、リソース割り振りフィールドは、ＵＥ１５により使用されるべき搬送波のターゲットＢＷＰの通信リソースを示し、リソース割り振りフィールドは、ＵＥ１１５により使用されている搬送波のアクティブＢＷＰのサイズに少なくとも部分的に基づいている長さを有している。２２２０の動作は、ここで説明する方法にしたがって実行してもよい。いくつかの例では、２２２０の動作の態様は、図１３〜図１６を参照して説明したように、制御情報マネージャーにより実行してもよい。
【０３６２】
［０３７３］
２２２５において、基地局１０５は、ＤＣＩをＵＥ１１５に送信してもよい。２２２５の動作は、ここで説明する方法にしたがって実行してもよい。いくつかの例では、２２２５の動作の態様は、図１３〜図１６を参照して説明したように、通信マネージャーにより実行してもよい。
【０３６３】
［０３７４］
２２３０において、基地局１０５は、リソース割り振りフィールド中に含まれている、搬送波のターゲットＢＷＰの通信リソースの一部分を使用して、ＵＥ１１５と通信してもよい。２２３０の動作は、ここで説明する方法にしたがって実行してもよい。いくつかの例では、２２３０の動作の態様は、図１３〜図１６を参照して説明したように、通信マネージャーにより実行してもよい。
【０３６４】
［０３７５］
図２３は、本開示の態様による、帯域幅部分に対するシグナリング技法をサポートする方法２３００を示すフローチャートを示している。方法２３００の動作は、ここで説明するように、ＵＥ１１５またはそのコンポーネントにより実現してもよい。例えば、方法２３００の動作は、図９〜図１２を参照して説明したように、帯域幅部分マネージャーにより実行してもよい。いくつかの例では、ＵＥ１１５は、ＵＥ１１５の機能要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０３６５】
［０３７６］
２３０５において、ＵＥ１１５は、ＵＥ１１５に通信リソースを割り振り、ＢＷＰ識別子フィールドとリソース割り振りフィールドとを含む、ＤＣＩを受信してもよく、リソース割り振りフィールドは、ＵＥ１１５により使用されているアクティブＢＷＰのサイズに基づいている長さを有している。２３０５の動作は、ここで説明する方法にしたがって実行してもよい。いくつかの例では、２３０５の動作の態様は、図９〜図１２を参照して説明したように、通信マネージャーにより実行してもよい。
【０３６６】
［０３７７］
２３１０において、ＵＥ１１５は、ＢＷＰ識別子フィールド中に含まれている情報に基づいて、ＵＥ１１５にアクティブＢＷＰからターゲットＢＷＰに変更させるＢＷＰ切り替えイベントを識別してもよい。２３１０の動作は、ここで説明する方法にしたがって実行してもよい。いくつかの例では、２３１０の動作の態様は、図９〜図１２を参照して説明したように、切り替えイベントマネージャーにより実行してもよい。
【０３６７】
［０３７８］
２３１５において、ＵＥ１１５は、ＢＷＰ切り替えイベントを識別することに基づいて、アクティブＢＷＰ中のＰＲＢ割り振りに関係する、ターゲットＢＷＰの通信リソースを識別してもよい。２３１５の動作は、ここで説明する方法にしたがって実行してもよい。いくつかの例では、２３１５の動作の態様は、図９〜図１２を参照して説明したように、リソースマネージャーにより実行してもよい。
【０３６８】
［０３７９］
２３２０において、ＵＥ１１５は、ターゲットＢＷＰの識別された通信リソースを使用して、基地局１０５と通信してもよい。２３２０の動作は、ここで説明する方法にしたがって実行してもよい。いくつかの例では、２３２０の動作の態様は、図９〜図１２を参照して説明したように、通信マネージャーにより実行してもよい。
【０３６９】
［０３８０］
図２４は、本開示の態様による、帯域幅部分に対するシグナリング技法をサポートする方法２４００を示すフローチャートを示している。方法２４００の動作は、ここで説明するように、ＵＥ１１５またはそのコンポーネントにより実現してもよい。例えば、方法２４００の動作は、図９〜図１２を参照して説明したように、帯域幅部分マネージャーにより実行してもよい。いくつかの例では、ＵＥ１１５は、ＵＥの機能要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０３７０】
［０３８１］
２４０５において、ＵＥ１１５は、ＵＥ１１５に通信リソースを割り振り、ＢＷＰ識別子フィールドとリソース割り振りフィールドとを含む、ＤＣＩを受信してもよく、リソース割り振りフィールドは、ＵＥ１１５により使用されているアクティブＢＷＰのサイズに基づいている長さを有している。２４０５の動作は、ここで説明する方法にしたがって実行してもよい。いくつかの例では、２４０５の動作の態様は、図９〜図１２を参照して説明したように、通信マネージャーにより実行してもよい。
【０３７１】
［０３８２］
２４１０において、ＵＥ１１５は、ＢＷＰ識別子フィールド中に含まれている情報に基づいて、ＵＥ１１５にアクティブＢＷＰからターゲットＢＷＰに変更させるＢＷＰ切り替えイベントを識別してもよい。２４１０の動作は、ここで説明する方法にしたがって実行してもよい。いくつかの例では、２４１０の動作の態様は、図９〜図１２を参照して説明したように、切り替えイベントマネージャーにより実行してもよい。
【０３７２】
［０３８３］
２４１５において、ＵＥ１５は、基地局から受信されたＤＣＩに基づいて、ＢＷＰ切り替えイベント間に、アクティブＢＷＰのリソースが、ターゲットＢＷＰのリソースにどのようにマッピングされるかを示すマッピングオプションを決定してもよい。２４１５の動作は、ここで説明する方法にしたがって実行してもよい。いくつかの例では、２４１５の動作の態様は、図９〜図１２を参照して説明したように、マッピングマネージャーにより実行してもよい。
【０３７３】
［０３８４］
２４２０において、ＵＥ１１５は、ＢＷＰ切り替えイベントを識別することと、マッピングオプションを決定することとに基づいて、アクティブＢＷＰのリソースをターゲットＢＷＰのリソースにマッピングしてもよく、ＰＲＢ割り振りに関係する、ターゲットＢＷＰの通信リソースを識別することは、リソースのマッピングに基づいている。２４２０の動作は、ここで説明する方法にしたがって実行してもよい。いくつかの例では、２４２０の動作の態様は、図９〜図１２を参照して説明したように、マッピングマネージャーにより実行してもよい。
【０３７４】
［０３８５］
２４２５において、ＵＥ１１５は、リソースをマッピングすることに基づいて、アクティブＢＷＰ中のＰＲＢ割り振りに関係する、ターゲットＢＷＰの通信リソースを識別してもよい。２４２５の動作は、ここで説明する方法にしたがって実行してもよい。いくつかの例では、２４２５の動作の態様は、図９〜図１２を参照して説明したように、リソースマネージャーにより実行してもよい。
【０３７５】
［０３８６］
２４３０において、ＵＥ１１５は、ターゲットＢＷＰの識別された通信リソースを使用して、基地局１０５と通信してもよい。２４３０の動作は、ここで説明する方法にしたがって実行してもよい。いくつかの例では、２４３０の動作の態様は、図９〜図１２を参照して説明したように、通信マネージャーにより実行してもよい。
【０３７６】
［０３８７］
図２５は、本開示の態様による、帯域幅部分に対するシグナリング技法をサポートする方法２５００を示すフローチャートを示している。方法２５００の動作は、ここで説明するように、基地局１０５またはそのコンポーネントにより実現してもよい。例えば、方法２５００の動作は、図１３〜図１６を参照して説明したように、帯域幅部分マネージャーにより実行してもよい。いくつかの例では、基地局１０５は、基地局１０５の機能要素を制御するためのコードのセットを実行して、以下で説明する機能を実行してもよい。追加的にまたは代替的に、基地局１０５は、特殊目的ハードウェアを使用して、以下で説明する機能の態様を実行してもよい。
【０３７７】
［０３８８］
２５０５において、基地局１０５は、ＵＥ１１５と通信するのに使用されている搬送波のアクティブＢＷＰとは異なる、ＵＥ１１５と通信するのに使用されるべき搬送波のターゲットＢＷＰを識別してもよい。２５０５の動作は、ここで説明する方法にしたがって実行してもよい。いくつかの例では、２５０５の動作の態様は、図１３〜図１６を参照して説明したように、リソースマネージャーにより実行してもよい。
【０３７８】
［０３８９］
２５１０において、基地局１０５は、ＢＷＰ切り替えイベントを識別することに基づいて、アクティブＢＷＰ中のＰＲＢ割り振りに関係する、ターゲットＢＷＰの通信リソースを識別してもよい。２５１０の動作は、ここで説明する方法にしたがって実行してもよい。いくつかの例では、２５１０の動作の態様は、図１３〜図１６を参照して説明したように、リソースマネージャーにより実行してもよい。
【０３７９】
［０３９０］
２５１５において、基地局１０５は、ＵＥ１１５に通信リソースを割り振り、ＢＷＰ識別子フィールドとリソース割り振りフィールドとを含む、ＤＣＩを発生させてもよく、リソース割り振りフィールドは、ＵＥ１１５により使用されるべき搬送波のターゲットＢＷＰの通信リソースを示し、リソース割り振りフィールドは、ＵＥ１１５により使用されている搬送波のアクティブＢＷＰのサイズに基づいている長さを有している。２５１５の動作は、ここで説明する方法にしたがって実行してもよい。いくつかの例では、２５１５の動作の態様は、図１３〜図１６を参照して説明したように、制御情報マネージャーにより実行してもよい。
【０３８０】
［０３９１］
２５２０において、基地局１０５は、ＤＣＩをＵＥ１１５に送信してもよい。２５２０の動作は、ここで説明する方法にしたがって実行してもよい。いくつかの例では、２５２０の動作の態様は、図１３〜図１６を参照して説明したように、通信マネージャーにより実行してもよい。
【０３８１】
［０３９２］
２５２５において、基地局１０５は、リソース割り振りフィールド中に含まれている、搬送波のターゲットＢＷＰの通信リソースの一部分を使用して、ＵＥ１１５と通信してもよい。２５２５の動作は、ここで説明する方法にしたがって実行してもよい。いくつかの例では、２５２５の動作の態様は、図１３〜図１６を参照して説明したように、通信マネージャーにより実行してもよい。
【０３８２】
［０３９３］
上記で説明した方法は、可能な実現形態を説明し、動作およびステップは、並べ替えてもよく、または、さもなければ修正してもよく、他の実現形態が可能であることに留意されたい。追加的に、方法のうちの１つより多い態様を組み合わせてもよい。
【０３８３】
［０３９４］
ここで説明する技法は、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、および、他のシステムなど、さまざまなワイヤレス通信システムのために使用してもよい。ＣＤＭＡシステムは、ＣＤＭＡ２０００、ユニバーサル地上無線アクセス（ＵＴＲＡ）のような無線技術を実現してもよく、ＣＤＭＡ２０００は、ＩＳ−２０００標準規格、ＩＳ−９５標準規格、および、ＩＳ−８５６標準規格をカバーする。ＩＳ−２０００リリースは、一般的に、ＣＤＭＡ２０００  １Ｘ、１Ｘなどとして呼ばれることもある。ＩＳ−８５６（ＴＩＡ−８５６）は、一般的にＣＤＭＡ２０００  １ｘＥＶ−ＤＯ、高速パケットデータ（ＨＲＰＤ）などと呼ばれ、ＵＴＲＡは、広帯域ＣＤＭＡ（ＷＣＤＭＡ（登録商標））およびＣＤＭＡの他の変形形態を含んでいる。ＴＤＭＡシステムは、移動体通信用のグローバルシステム（ＧＳＭ（登録商標））のような無線技術を実現してもよい。
【０３８４】
［０３９５］
ＯＦＤＭＡシステムは、ウルトラモバイルブロードバンド（ＵＭＢ）、発展型ＵＴＲＡ（Ｅ−ＵＴＲＡ）、電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭのような無線技術を実現してもよく、ＵＴＲＡおよびＥ−ＵＴＲＡは、ユニバーサル移動体電気通信システム（ＵＭＴＳ）の一部分である。ＬＴＥ、ＬＴＥ−ＡおよびＬＴＥ−Ａプロは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａプロ、ＮＲ、および、ＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）という名称の組織からの文書に記載されている。ここで説明する技法は、上記で説明したシステムおよび無線技術、ならびに、他のシステムおよび無線技術のために使用してもよい。ＬＴＥ、ＬＴＥ−Ａ、ＬＴＥ−ＡプロまたはＮＲシステムの態様は、例のために説明されているかもしれず、ＬＴＥ、ＬＴＥ−Ａ、ＬＴＥ−ＡプロまたはＮＲ用語は、説明の大部分において使用しているかもしれないが、ここで説明する技法は、ＬＴＥ、ＬＴＥ−Ａ、ＬＴＥ−ＡプロまたはＮＲアプリケーションを超えて適用可能である。
【０３８５】
［０３９６］
マクロセルは、一般的に、比較的大きい地理的エリア（例えば、半径が数キロメートル）をカバーし、ネットワークプロバイダのサービスに加入しているＵＥ１１５による無制限アクセスを可能にしてもよい。スモールセルは、マクロセルと比較して、より低電力の基地局１０５に関係しているかもしれず、スモールセルは、マクロセルと同じまたは異なる（例えば、ライセンスされている、ライセンスされていないなど）周波数帯域において動作してもよい。スモールセルは、さまざまな例にしたがって、ピコセル、フェムトセル、および、マイクロセルを含んでいてもよい。ピコセルは、例えば、小さい地理的エリアをカバーしてもよく、ネットワークプロバイダのサービスに加入しているＵＥ１１５による無制限アクセスを可能にしてもよい。フェムトセルはまた、小さい地理的エリア（例えば、自宅）をカバーしてもよく、フェムトセルとの関係を有するＵＥ１１５（例えば、閉じられた加入者グループ（ＣＳＧ）中のＵＥ１１５、自宅内のユーザのためのＵＥ１１５、これらに類するもの）による制限されたアクセスを提供してもよい。マクロセルのためのｅＮＢは、マクロｅＮＢとして呼ばれることもある。スモールセルのためのｅＮＢは、スモールセルｅＮＢ、ピコｅＮＢ、フェムトｅＮＢ、または、ホームｅＮＢとして呼ばれることもある。ｅＮＢは、１つ以上の（例えば、２、３、４のような）セルをサポートしてもよく、また、１つ以上のコンポーネント搬送波を使用して通信をサポートしてもよい。
【０３８６】
［０３９７］
ここで説明したワイヤレス通信システム１００またはシステムは、同期動作または非同期動作をサポートしてもよい。同期動作の場合、基地局１０５は、同様のフレームタイミングを有してもよく、異なる基地局１０５からの送信は、時間的にほぼ整列される。非同期動作の場合、基地局１０５は、異なるフレームタイミングを有してもよく、異なる基地局１０５からの送信は、時間的に整列されないことがある。
【０３８７】
［０３９８］
ここで説明した情報および信号は、さまざまな異なる技術および技法のうちのいずれかを使用して表されているかもしれない。例えば、上記の説明全体に渡って基準されているかもしれない、データ、命令、コマンド、情報、信号、ビット、シンボル、および、チップは、電圧、電流、電磁波、磁界または磁粒、光界または光粒、あるいは、これらの任意の組み合わせにより表されているかもしれない。
【０３８８】
［０３９９］
ここでの開示に関連して説明した、さまざまな例示的なブロックおよびモジュールは、ここで説明した機能を実行するように設計された、汎用プロセッサ、ＤＳＰ、ＡＳＩＣ、ＦＰＧＡまたは他のプログラム可能論理デバイス、ディスクリートゲートまたはトランジスタ論理、ディスクリートハードウェアコンポーネント、あるいは、これらの任意の組み合わせを用いて、実現または実行してもよい。汎用プロセッサはマイクロプロセッサであってもよいが、代替実施形態では、プロセッサは、任意の従来のプロセッサ、制御装置、マイクロ制御装置、または、状態機械であってもよい。プロセッサはまた、コンピューティングデバイスの組み合わせ（例えば、ＤＳＰとマイクロプロセッサの組み合わせ、複数のマイクロプロセッサ、ＤＳＰのコアと関連する１つ以上のマイクロプロセッサ、または、他の何らかのこのようなコンフィギュレーション）として実現してもよい。
【０３８９】
［０４００］
ここで説明した機能は、ハードウェア、プロセッサにより実行されるソフトウェア、ファームウェア、または、これらの任意の組み合わせで実現してもよい。プロセッサにより実行されるソフトウェアで実現する場合、機能は、１つ以上の命令またはコードとしてコンピュータ読取可能媒体上に記憶され、あるいは、これを通して送信されてもよい。他の例およびインプリメンテーションは、本開示および添付の特許請求の範囲内にある。例えば、ソフトウェアの性質により、上記に説明した機能は、プロセッサにより実行されるソフトウェア、ハードウェア、ファームウェア、ハードワイヤリング、または、これらの任意の組み合わせを使用して実現してもよい。機能を実現する特徴はまた、機能の一部分が異なる物理的位置において実現されるように分散させることを含む、さまざまな位置において物理的に位置付けられていてもよい。
【０３９０】
［０４０１］
コンピュータ読取可能媒体は、１つの場所から別の場所へのコンピュータプログラムの転送を促進する任意の媒体を含む、非一時的コンピュータ記憶媒体および通信媒体の両方を含んでいる。非一時的記憶媒体は、汎用または特殊目的コンピュータによりアクセスしてもよい任意の利用可能な媒体であってもよい。限定ではなく例として、非一時的コンピュータ読取可能媒体は、ＲＡＭ、ＲＯＭ、電気的消去可能プログラム可能リードオンリーメモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用することができ、汎用または特殊目的コンピュータ、あるいは、汎用または特殊目的プロセッサによりアクセスしてもよい他の何らかの非一時的媒体を備えることができる。また、任意の接続は、コンピュータ読取可能媒体と適切に呼ばれる。例えば、ソフトウェアが、同軸ケーブル、光ファイバーケーブル、ツイストペア、デジタル加入者線（ＤＳＬ）、あるいは、赤外線、無線、およびマイクロ波のようなワイヤレス技術を使用して、ウェブサイト、サーバ、または、他の遠隔ソースから送信される場合、同軸ケーブル、光ファイバーケーブル、ツイストペア、ＤＳＬ、あるいは、赤外線、無線、およびマイクロ波のようなワイヤレス技術は、媒体の定義に含まれている。ここで使用したようなディスク（ｄｉｓｋおよびｄｉｓｃ）は、ＣＤ、レーザーディスク（登録商標）、光ディスク、デジタル汎用ディスク（ＤＶＤ）、フロッピー（登録商標）ディスクおよびブルーレイ（登録商標）ディスクを含むが、通常、ディスク（ｄｉｓｋ）は通常データを磁気的に再生する一方で、ディスク（ｄｉｓｃ）はデータをレーザにより光学的に再生する。上記の組み合わせもまた、コンピュータ読取可能媒体の範囲内に含まれている。
【０３９１】
［０４０２］
特許請求の範囲を含め、ここで使用するように、項目のリスト（例えば、「のうちの少なくとも１つ」または「のうちの１つ以上」のようなフレーズにより始まる項目のリスト）中で使用する「または」は、例えば、「Ａ、Ｂ、または、Ｃ、のうちの少なくとも１つ」のリストが、ＡまたはＢまたはＣあるいはＡＢまたはＡＣまたはＢＣあるいはＡＢＣ（すなわち、ＡとＢとＣ）を意味するように、包括的なリストを示している。ここで使用するように、フレーズ「に基づいて」は、条件の閉じたセットへの基準として解釈すべきではない。例えば、「条件Ａに基づく」のように説明する例示的なステップは、本開示の範囲から逸脱することなく、条件Ａおよび条件Ｂの両方に基づいていてもよい。言い換えると、ここで使用するように、フレーズ「基づいて」は、フレーズ「に少なくとも部分的に基づいて」と同じ方法で解釈すべきである。
【０３９２】
［０４０３］
添付の図では、同様のコンポーネントまたは特徴は、同じ基準ラベルを有しているかもしれない。追加的に、同じタイプのさまざまなコンポーネントは、基準ラベルにより、および、類似のコンポーネント間を区別する第２のラベルにより区別されているかもしれない。第１の基準ラベルのみを本明細書で使用している場合、説明は、第２の基準ラベルにかかわらず、第１の基準ラベルを有する同様のコンポーネントのいずれか１つ、または、他の後続の基準ラベルに適用可能である。
【０３９３】
［０４０４］
添付の図面に関連して、ここで説明する説明は、例示的なコンフィギュレーションを記載し、実現してもよい、または、特許請求の範囲内に入るすべての例を表すものではない。本明細書で使用している「例示的な」という用語は、「好ましい」または「他の例よりも有利である」という用語ではなく、「例、事例、または、例示の役割を果たす」ことを意味する。詳細な説明は、記載された技法の理解を提供する目的のための具体的な詳細を含んでいる。しかしながら、これらの技法は、これらの具体的な詳細なしに実施してもよい。いくつかの例では、説明した例の概念を不明瞭にすることを避けるために、周知の構造およびデバイスがブロック図の形態で示される。
【０３９４】
［０４０５］
本明細書の説明は、当業者が本開示を作成または使用することを可能にするために提供されている。本開示のさまざまな修正は、当業者には容易に明らかであり、本明細書で定義される一般的な原理は、本開示の範囲から逸脱することなく他の変形例に適用してもよい。したがって、本開示は、ここで説明する例および設計に限定されず、本明細書で開示される原理および新規の特徴と一致する最も広い範囲を与えられるべきである。
【図１】
2021518060.tif 000004
【図２】
2021518060.tif 000005
【図３】
2021518060.tif 000006
【図４】
2021518060.tif 000007
【図５】
2021518060.tif 000008
【図６Ａ】
2021518060.tif 000009
【図６Ｂ】
2021518060.tif 000010
【図７Ａ】
2021518060.tif 000011
【図７Ｂ】
2021518060.tif 000012
【図８】
2021518060.tif 000013
【図９】
2021518060.tif 000014
【図１０】
2021518060.tif 000015
【図１１】
2021518060.tif 000016
【図１２】
2021518060.tif 000017
【図１３】
2021518060.tif 000018
【図１４】
2021518060.tif 000019
【図１５】
2021518060.tif 000020
【図１６】
2021518060.tif 000021
【図１７】
2021518060.tif 000022
【図１８】
2021518060.tif 000023
【図１９】
2021518060.tif 000024
【図２０】
2021518060.tif 000025
【図２１】
2021518060.tif 000026
【図２２】
2021518060.tif 000027
【図２３】
2021518060.tif 000028
【図２４】
2021518060.tif 000029
【図２５】
2021518060.tif 000030
【国際調査報告】
2021518060.tif 000031
2021518060.tif 000032
2021518060.tif 000033